(57)【要約】      （修正有）【課題】５Ｇネットワークアーキテクチャにおいて、仮想化およびネットワークスライシングを使用する。【解決手段】ユーザ機器ＵＥは、仮想ネットワークスライスと相互作用するアンダーレイネットワークと相互作用する。ＵＥは、アンダーレイネットワーク（ＵＬＮ）と相互作用し、仮想ネットワークスライスへの接続を確立する。プロシージャが、新しいスライスインスタンスをＵＥに割り当てるために（ＵＥ開始型およびＵＬＮ開始型）、ＵＥプロファイルを変更するために（ＵＥ開始型およびＵＬＮ開始型）、かつＵＥの割り当てられたスライスインスタンスを変更するために（ＵＬＮ開始型）定義される。【選択図】図２４
2020191667.tif 000002
【特許請求の範囲】
【請求項１】
装置による使用のための方法であって、前記装置は、プロセッサと、メモリとを備え、前記装置は、前記メモリ内に記憶されたコンピュータ実行可能命令をさらに含み、前記命令は、前記プロセッサによって実行されると、
ユーザ機器（ＵＥ）から一時識別子およびサービス記述子を含む初期接続メッセージを受信することと、
前記一時識別子を使用して、認証サーバを決定することと、
前記認証サーバと通信し、前記ＵＥを認証することと、
前記ＵＥが接続すべきである少なくとも１つのネットワークスライスを決定することと、
接続が許可されるかどうかの指示および新しい一時識別子を含む応答メッセージで前記ＵＥに応答することと
を含む方法の機能を実施する、方法。
【請求項２】
前記初期接続メッセージは、ＵＥ能力を含む、請求項１に記載の方法。
【請求項３】
前記初期接続メッセージは、サービス記述子を含む、請求項１に記載の方法。
【請求項４】
前記サービス記述子を使用して、前記ＵＥが接続すべきであるネットワークスライスを決定することをさらに含む、請求項３に記載の方法。
【請求項５】
前記応答メッセージは、ネットワークスライスへの接続が提供されることができるかどうかの指示を含む、請求項３に記載の方法。
【請求項６】
ノードにクエリを行い、前記ＵＥが接続すべきであるネットワークスライスを決定することをさらに含む、請求項１に記載の方法。
【請求項７】
ノードにクエリを行い、前記ＵＥが前記少なくとも１つのネットワークスライスを使用する権限を与えられているかどうかを決定することをさらに含む、請求項１に記載の方法。
【請求項８】
前記ＵＥがアクセスし得るサービスに関連するポリシに対してノードにクエリを行うことをさらに含む、請求項１に記載の方法。
【請求項９】
前記応答メッセージは、全ての要求されるサービスへの接続が提供されることができるかどうかの指示を含む、請求項１に記載の方法。
【請求項１０】
装置によって使用するための方法であって、前記装置は、プロセッサと、メモリとを備え、前記装置は、前記内に記憶されメモリ内に記憶されたコンピュータ実行可能命令をさらに含み、前記命令は、前記プロセッサによって実行されると、
アンダーレイネットワークにおいて、コアネットワークにアクセスするための要求を受信することと、
スライスインスタンス識別子を提供することと、
前記スライスインスタンス識別子を使用して、前記ユーザ機器を前記コアネットワークの仮想化されたネットワークスライスに接続することと
を含む方法の機能を実施する、方法。
【請求項１１】
前記装置は、前記アンダーレイネットワークを実装する、請求項１０に記載の方法。
【請求項１２】
前記要求は、認可および認証サーバポイントオブコンタクトを決定するために前記アンダーレイネットワークによって使用されるべき情報を含む、請求項１０に記載の方法。
【請求項１３】
前記情報は、認可および認証サーバアドレスまたは識別である、請求項１２に記載の方法。
【請求項１４】
前記情報は、認可および認証サーバアドレスまたは識別を調べるために使用されるユーザ機器一時識別子である、請求項１２に記載の方法。
【請求項１５】
前記要求は、ＵＥ識別子を含む、請求項１０に記載の方法。
【請求項１６】
前記アンダーレイネットワークは、ユーザ機器の認証および認可を行う、請求項１０に記載の方法。
【請求項１７】
ユーザ機器プロファイルまたはサービス記述子は、前記ユーザ機器に関連付けられるべきネットワーク機能を決定すること、または接続すべき１つ以上の仮想化されたネットワークスライスを決定することを行うために使用される、請求項１０に記載の方法。
【請求項１８】
ユーザ機器プロファイルまたはサービス記述子の変更は、前記ユーザ機器に提供されるべきネットワーク機能を修正するために使用される、請求項１７に記載の方法。
【請求項１９】
前記アンダーレイネットワークは、ブロードキャスト情報を少なくとも１つのアクセスポイントに提供する、請求項１０に記載の方法。
【請求項２０】
前記アンダーレイネットワークは、前記スライスインスタンス識別子を提供された前記ユーザ機器の識別を前記仮想化されたネットワークスライスに提供する、請求項１０に記載の方法。
【請求項２１】
プロセッサと、メモリとを備えている装置であって、前記装置は、前記装置の前記メモリ内に記憶されたコンピュータ実行可能命令をさらに含み、前記命令は、前記装置の前記プロセッサによって実行されると、
ユーザ機器（ＵＥ）から一時識別子およびサービス記述子を含む初期接続メッセージを受信することと、
前記一時識別子を使用して、認証サーバを決定することと、
前記認証サーバと通信し、前記ＵＥを認証することと、
前記ＵＥが接続すべきである少なくとも１つのネットワークスライスを決定することと、
接続が許可されるかどうかの指示および新しい一時識別子を含む応答メッセージで前記ＵＥに応答することと
を前記装置に行わせる、装置。
【請求項２２】
プロセッサと、メモリとを備えている装置であって、前記装置は、前記装置の前記メモリ内に記憶されたコンピュータ実行可能命令をさらに含み、前記命令は、前記装置の前記プロセッサによって実行されると、
アンダーレイネットワークにおいて、コアネットワークにアクセスするための要求を受信することと、
スライスインスタンス識別子を提供することと、
前記スライスインスタンス識別子を使用して、前記ユーザ機器を前記コアネットワークの仮想化されたネットワークスライスに接続することと
を前記装置に行わせる、装置。
【発明の詳細な説明】
【技術分野】
【０００１】
（関連出願の引用）
本願は、米国仮特許出願第６２／３３５，５１１号（２０１６年５月１２日出願）の利益を主張し、上記出願の開示は、その全体が記載されている場合のように参照により本明細書に引用される。
【背景技術】
【０００２】
用語（Ｓ）Ｇｉ−ＬＡＮは、モバイルコアネットワークのＧＧＳＮまたはＰ−ＧＷとインターネットとの間に位置するパケットデータネットワークを指す。（Ｓ）Ｇｉ−ＬＡＮは、モバイルネットワークオペレータ（ＭＮＯ）の制御下にある。アップリンクデータパケットが（Ｓ）Ｇｉ−ＬＡＮから退出するとき、それらは、もはやＭＮＯの制御下ではなくなり、概して、公衆インターネットに行ったと見なされることができる。これは、図１に示されている。
【０００３】
（Ｓ）Ｇｉ−ＬＡＮは、付加価値サービス（ＶＡＳ）２０５２を含み得る。ＶＡＳ２０５２の例は、ＮＡＴ、ファイアウォール、ビデオ圧縮、データ圧縮、負荷バランサ、ＨＴＴＰヘッダ強化機能、ＴＣＰオプティマイザ等である。概して、ディープパケットインスペクション（ＤＰＩ）技法は、各ＶＡＳ２０５２がデータフローに動作すべきかどうかを決定する。
【０００４】
トラフィックは、Ｍ２Ｍサーバ等の公衆インターネット内で（Ｓ）Ｇｉ−ＬＡＮおよびサーバに／からルーティングされ得る。また、Ｍ２Ｍサーバは、Ｍ２Ｍ／ＩｏＴユースケースのための付加価値サービスのセットをプロビジョニングするように、オペレータまたはサービスプロバイダによって（Ｓ）Ｇｉ−ＬＡＮの内側に展開され得る。
【０００５】
ＩＥＴＦは、ＶＡＳまたは「サービス機能」を効率的に展開するためのアーキテクチャフレームワークを開発してきた。アーキテクチャフレームワークは、ＩＥＴＦ，Ｓｅｒｖｉｃｅ  Ｆｕｎｃｔｉｏｎ  Ｃｈａｉｎｉｎｇ  Ｗｏｒｋｉｎｇ  Ｇｒｏｕｐ，Ｉｎｔｅｒｎｅｔ  Ｄｒａｆｔ，Ｓｅｒｖｉｃｅ  Ｆｕｎｃｔｉｏｎ  Ｃｈａｉｎｉｎｇ  （ＳＦＣ）  Ａｒｃｈｉｔｅｃｔｕｒｅで説明される。フレームワークは、全てのトラフィックが全てのサービス機能を通して順次にルーティングされることを要求するのではなく、各個々のフローに適用されるサービスのみを通して、トラフィックが「操向される」ことを可能にする。用語「サービス機能」および「付加価値サービス」は、同義的に使用されることができる。
【０００６】
図２は、ＩＥＴＦのＳＦＣアーキテクチャフレームワークの主要コンポーネントの略図を示す。
【０００７】
サービス分類機能（ＳＣＦ）は、入力パケットを受信する。従来の（Ｓ）Ｇｉ−ＬＡＮでは、入力パケットは、Ｐ−ＧＷ／ＧＧＳＮまたはインターネットからのＩＰパケットであり得る。ＳＣＦは、別のヘッダを伴って入力パケットをカプセル化し、それを通してパケットがルーティングされるべきサービス機能、パケットがサービス機能を通してルーティングされるべき順序を決定し、メタデータをパケットにアタッチし、サービス機能を支援し得る。
【０００８】
サービス機能フォワーダ（ＳＦＦ）は、ＳＣＦからパケットを受信し、サービス機能を通してそれらをルーティングするであろう。パケットがそのサービスパスを通してルーティングされると、ＳＦＦは、パケットを退出ノードに転送するであろう。退出ノードは、ＳＣＦ、ＳＦＦ、またはサービス機能によって挿入された任意の余剰ヘッダ情報を除去し、（Ｓ）Ｇｉ−ＬＡＮからＰ−ＧＷ／ＧＧＳＮまたは公衆インターネットの中へパケットを送信するであろう。
【０００９】
ネットワークサービスヘッダ（ＮＳＨ）は、ＩＥＴＦのサービス機能チェイニング（ＳＦＣ）ＷＧによって開発され、ＩＥＴＦ，Ｎｅｔｗｏｒｋ  Ｗｏｒｋｉｎｇ  Ｇｒｏｕｐ，Ｉｎｔｅｒｎｅｔ−Ｄｒａｆｔ，Ｎｅｔｗｏｒｋ  Ｓｅｒｖｉｃｅ  Ｈｅａｄｅｒの中で定義されている。ＮＳＨは、メタデータと、サービスパス情報を含む。メタデータおよびサービスパス情報は、ネットワークサービスを通してトラフィックを操向するためにサービスプレーンで使用される。
【００１０】
図３は、ＮＳＨがＩＰデータグラムに対して位置する場所を示す。
【００１１】
図４は、ＮＳＨのフォーマットを示す。ベースヘッダは、以下を含む。
−バージョンフィールド
−重要なメタデータがネットワークサービスヘッダの中に存在することを示す「Ｃ」ビット
−ＮＳＨの全長を示す長さフィールド
−メタデータのフォーマットを示すメタデータタイプフィールド
−オリジナルペイロードのフォーマットを示す次のプロトコルフィールド
【００１２】
サービスパスヘッダは、以下を含む。
−パケットのために選択されるべきサービスパスを示す２４ビットフィールドである、サービスパスＩＤ
−サービスパスの中のパケット場所を示すために使用されるサービスインデックス
【００１３】
コンテキストヘッダは全て、メタデータタイプフィールドがベースヘッダの中に設定される方法に応じて、２つのフォーマットのうちの１つの中にあることができる。コンテキストヘッダ値は全て、固定長であることができる、またはそれらは、可変長値を含み得る。可変長ヘッダの場合に関して、ＩＥＴＦ，Ｎｅｔｗｏｒｋ  Ｗｏｒｋｉｎｇ  Ｇｒｏｕｐ，Ｉｎｔｅｒｎｅｔ−Ｄｒａｆｔ，Ｎｅｔｗｏｒｋ  Ｓｅｒｖｉｃｅ  Ｈｅａｄｅｒは、メタデータをフォーマットする方法およびコンテキストヘッダの中の各値の長さを示す方法を説明する。
【００１４】
メタデータタイプフィールドが、メタデータが可変長であることを示すとき、これは、図５に示されるようにフォーマットされる。
【００１５】
ＴＬＶクラスフィールドは、タイプフィールドの範囲を説明する。換言すると、これは、タイプフィールドを配分したベンダまたは規格団体を識別する。
【００１６】
タイプフィールドは、メタデータの中にある情報のタイプを示す。タイプフィールドのＭＳＢは、エンティティがＮＳＨを処理してメタデータ値を理解することが必須であるかどうかを示すために使用される。
【００１７】
Ｒビットは、将来の使用のために保留にされる。
【００１８】
Ｌｅｎフィールドは、４バイトワードの中のメタデータの長さを示す。
【００１９】
サービス認識ノードは、ヘッダを挿入すること、ヘッダを除去すること、サービスパスを選択すること、コンテキストヘッダを更新すること、およびヘッダコンテンツに基づくポリシ選択等のヘッダ関連アクションを実施することを可能にされる。当然ながら、サービス認識ノードはまた、ＮＳＨヘッダ以上のものを調査ならびに修正することもできる。ＮＡＴ、ファイアウォール、ＨＴＴＰヘッダ強化等のサービスノードは、ＩＰ、ＵＤＰ／ＴＣＰ／アプリケーションデータも調査および修正することができる。
【００２０】
３ＧＰＰ  ＳＡ２  ＷｏｒｋｉｎｇＧｒｏｕｐは、フレキシブルモバイルサービスステアリング（ＦＭＳＳ）と呼ばれる作業項目を有する。本作業項目の目的は、３ＧＰＰコアネットワークが、オペレータ展開型（Ｓ）Ｇｉ−ＬＡＮの要求されるサービスイネーブラを選択するために使用されるであろうトラフィックステアリングポリシを定義および修正することを可能にするサービス要件を定義することである。目標は、（Ｓ）Ｇｉ−ＬＡＮにおいて効率的かつフレキシブルなサービスステアリングを実現することである。
【００２１】
本作業項目の直近の出力は、３ＧＰＰ  ＴＲ  ２３．７１８，Ａｒｃｈｉｔｅｃｔｕｒｅ  Ｅｎｈａｎｃｅｍｅｎｔｓ  ｆｏｒ  Ｆｌｅｘｉｂｌｅ  Ｍｏｂｉｌｅ  Ｓｅｒｖｉｃｅ  Ｓｔｅｅｒｉｎｇで捕捉されている。
【００２２】
図６は、ＴＲ  ２３．７１８で提案される３ＧＰＰアーキテクチャが、ＩＥＴＦ，Ｓｅｒｖｉｃｅ  Ｆｕｎｃｔｉｏｎ  Ｃｈａｉｎｉｎｇ  Ｗｏｒｋｉｎｇ  Ｇｒｏｕｐ，Ｉｎｔｅｒｎｅｔ  Ｄｒａｆｔ，Ｓｅｒｖｉｃｅ  Ｆｕｎｃｔｉｏｎ  Ｃｈａｉｎｉｎｇ  （ＳＦＣ）  ＡｒｃｈｉｔｅｃｔｕｒｅにおいてＩＥＴＦによって提案されるアーキテクチャに適用されるであろう方法の表現である。緑の影付きのボックスは、３ＧＰＰによって標準化され、ＭＮＯによって所有される。オレンジのボックスは、３ＧＰＰによって標準化されないが、典型的には、（Ｓ）Ｇｉ−ＬＡＮで展開され、ＭＮＯによって所有される。
【００２３】
ＩＥＴＦ，Ｓｅｒｖｉｃｅ  Ｆｕｎｃｔｉｏｎ  Ｃｈａｉｎｉｎｇ  Ｗｏｒｋｉｎｇ  Ｇｒｏｕｐ，Ｉｎｔｅｒｎｅｔ  Ｄｒａｆｔ，Ｓｅｒｖｉｃｅ  Ｆｕｎｃｔｉｏｎ  Ｃｈａｉｎｉｎｇ  （ＳＦＣ）  Ａｒｃｈｉｔｅｃｔｕｒｅは、ＰＣＲＦがトラフィックステアリングポリシを（Ｓ）Ｇｉ−ＬＡＮ内のＳＣＦに提供することを可能にするＳｔ参照点を提案する。ＴＲ  ２３．７１８はまた、ＴＤＦとのＳｄインターフェースがトラフィックステアリングポリシをＴＤＦに提供するために使用され得ることも提案する。ＴＤＦは、次いで、検出されたアプリケーション、ユーザ等に基づいて、パケットマーキング（すなわち、ＮＳＨ）をトラフィックに適用するために使用され得る。ＴＲ  ２３．７１８はまた、Ｐ−ＧＷがＰＣＲＦからのポリシに基づいてパケットマーキング（すなわち、ＮＳＨ）を適用することも提案する。
【００２４】
ＩＴサービスは、変動する動作環境（ハードウェアプラットフォーム、オペレーティングシステム等）上で展開されることができる。メッセージベースのミドルウェアは、通信サービスの間に「メッセージ層」を提供し、したがって、各サービスが起動する下層動作環境を抽象化する。換言すると、「メッセージ層」は、サービスの間でメッセージを交換する際に仲介者としての役割を果たす。
【００２５】
図７は、メッセージベースのミドルウェアの高レベル表現を示す。本例では、４つのサービスが、共通ミドルウェアプラットフォームを介して通信する。各サービスは、変動する異なるプラットフォーム（すなわち、ハードウェアプラットフォーム、オペレーティングシステム等）上で起動し得る。ミドルウェアは、ある定義されたメッセージングプロトコルを介して通信することができるように、各サービスの下層動作環境を抽象化する。
【００２６】
多くの周知のメッセージベースのミドルウェアアーキテクチャがある。以下の項は、いくつかの主要なメッセージベースのミドルウェア概念および用語の概観を挙げるであろう。
【００２７】
ミドルウェア層は、図８の例に示されるようなメッセージ待ち行列の概念に基づくことができる。本例では、メッセージをサービス１に送信するために使用されることができる、専用待ち行列がある。サービス２、３、および４は、メッセージをサービス１待ち行列に提出することができ、メッセージは、先入れ先出し（ＦＩＦＯ）様式でサービス１に配信されるであろう。
【００２８】
各サービスは、その詳細がミドルウェアによって抽象化される、異なるトランスポート層プロトコルを介して通信し得ることに留意されたい。
【００２９】
待ち行列ベースのミドルウェアアーキテクチャは、多くの異なる形態をとることができる。メッセージをすべてのサービスに送信するために使用される単一の共有待ち行列、各サービスがメッセージを受信するための専用待ち行列（図８に示される）、各サービスがメッセージを送信するための専用待ち行列等が存在し得る。
【００３０】
パブリッシュ／サブスクライブモデルでは、メッセージは、ミドルウェアの中の宛先に送信（パブリッシュ）される。宛先は、メッセージ「トピック」（時として、チャネルと呼ばれることもある）に依存する。特定のトピックに関連するメッセージを受信することを所望するサービスは、トピックに「サブスクライブ」する。
【００３１】
図９は、パブリッシュ／サブスクライブシステムの例を示す。
●  サービス１、２、および３は、トピック１にパブリッシュする。
●  サービス２および３は、トピック２にパブリッシュする。
●  サービス１は、トピック１および２にサブスクライブする。
●  サービス２は、トピック２にサブスクライブする。
【００３２】
トピックは、任意の数の要因に基づくことができる。トピックは、メッセージタイプ（デバッグ、アラーム、警告、タスク要求等）に関連し得る。
【００３３】
用語メッセージブローカは、一般的に、図１０に示されるように、全てのメッセージを受信し、全てのメッセージを配布するエンティティを指す。ブローカは、いくつかのトピック等を伴うパブリッシュ／サブスクライブアーキテクチャとして、いくつかの待ち行列を伴って実装され得る。
【００３４】
ミドルウェアブローカへ、およびそこから送信されるメッセージは、いくつかの異なる方法で特徴付けられ得る。４つの一般的なタイプのメッセージは、以下である。
●  非確認可能および非ブロッキング要求メッセージ−単純にサービスによってブローカに送信されるメッセージ。サービスがメッセージをブローカに送信すると、サービスは応答を予期せず、サービスの実行が継続する。
●  確認可能およびブロッキング要求メッセージ−ブロッキングメッセージは、サービスがメッセージを受信するまでサービスを一時停止（ブロック）させるであろうメッセージである。例えば、サービスがブローカまたは待ち行列からメッセージを読み取ろうとし、メッセージが準備できていない場合には、サービスの実行はブロックするであろう。
●  確認可能および非ブロッキングメッセージ−非ブロッキングメッセージは、サービスが準備できるまでサービスを一時停止（ブロック）させないであろうメッセージである。例えば、サービスがブローカまたは待ち行列からメッセージを読み取ろうとし、メッセージが準備できていない場合には、サービスの実行は、メッセージが準備できるまで継続する。サービスが非ブロッキング読み取りを試行するとき、メッセージが準備できているときに呼び出され得るコールバック機能をブローカに提供し得る。
●  通知−通知メッセージは、ある前の要求の結果としてブローカがサービスに送信するメッセージである。例えば、前の要求は、非ブロッキング読み取り試行またはサブスクライブ要求であった場合がある。
【００３５】
アドバンストメッセージキューイングプロトコル（ＡＭＱＰ）［ＯＡＳＩＳアドバンストメッセージキューイングプロトコル（ＡＭＱＰ）］は、メッセージバスプロトコルである。メッセージバスは、あるタイプのミドルウェアである。
【００３６】
図１１は、ＡＭＰＱ交換と待ち行列との間の関係を示す。ＡＭＱＰ交換は、サービスからメッセージを受信し、メッセージを１つ以上の待ち行列にルーティングする。交換は、静的規則に基づいて（すなわち、全てメッセージをこれら５つのサービスに送信する）、それら自体を交換に結び付けるあらゆる待ち行列に基づいて、メッセージトピックに基づいて、またはメッセージヘッダの中の値に基づいて、メッセージをルーティングするように設計されることができる。
【００３７】
メッセージキューイングテレメトリトランスポート（ＭＱＴＴ）［ＯＡＳＩＳ  ＭＱＴＴ  Ｖ３．１．１  Ｃｏｍｍｉｔｔｅｅ  Ｓｐｅｃｉｆｉｃａｔｉｏｎ  ０１，１８  Ｍａｙ  ２０１４］は、別のメッセージバスプロトコルである。メッセージバスは、あるタイプのミドルウェアである。
【００３８】
ＭＱＴＴは、１９９０年代後半にＩＢＭおよびＥｕｒｏｔｅｃｈによって最初に開発された、メッセージベースのミドルウェアプロトコルである。これは、正式採用（プロセス継続中）およびさらなる開発のために、２０１３年にＯＡＳＩＳ規格に提出された。ＭＱＴＴは、Ｆａｃｅｂｏｏｋ  Ｍｅｓｓｅｎｇｅｒモバイルアプリで最も有名に展開される、制約されたデバイスならびに低い帯域幅ネットワークに合わせた低オーバーヘッドメッセージキューイングおよびトランスポートプロトコルである。これは、図１２に示されるようなパブリッシュ／サブスクライブモデルを使用する。
【００３９】
ＭＱＴＴのコア要素は、クライアント（パブリッシャおよびサブスクライバの両方であることができる）、サーバ（ブローカとも称される）、セッション、サブスクリプション、およびトピックである。これらは、図１３に示されている。
【００４０】
ＨＴＴＰのように、ＭＱＴＴプロトコルは、２つの異なる役割、すなわち、クライアントおよびサーバを区別するという点で非対称である。
【００４１】
ＭＱＴＴ用語では、クライアントは、ＭＱＴＴを使用するプログラムまたはデバイスである。これは、常に、サーバへのネットワーク接続を確立する。クライアントは、以下を行うことができる。
●  他のクライアントが関心を持ち得るアプリケーションメッセージをパブリッシュする。
●  サブスクライブし、それが受信することに関心を持つアプリケーションメッセージを要求する。
●  サブスクライブ解除し、アプリケーションメッセージの要求を除去する。
●  サーバから切断する。
【００４２】
ＭＱＴＴサーバは、クライアントから接続を受信するエンティティである。同様のＨＴＴＰと異なり、これは、概して、いかなるアプリケーション論理も起動せず、代わりに、ＭＱＴＴサーバが、アプリケーションメッセージをパブリッシュするクライアントと、それらを受信するようにサブスクライブしたクライアントとの間の仲介物としての役割を果たす。
【００４３】
トピックは、ＭＱＴＴの中の「Ｑ」であり、それらは、パブリッシャをサブスクライバとリンクするためにサーバによって維持される、メッセージ待ち行列と名付けられる。ＭＱＴＴクライアントは、ＰＵＢＬＩＳＨメッセージをＭＱＴＴサーバに発行するときにパブリッシャの役割を担い（すなわち、不透明メッセージペイロードを供給されたトピック名にサブスクライブされた任意のクライアントに配信する命令）、ＳＵＢＳＣＲＩＢＥメッセージをＭＱＴＴサーバに発行するときにサブスクライバの役割を担う（すなわち、供給されたトピックフィルタに合致する任意のＰＵＢＬＩＳＨメッセージを受信する命令）。トピックフィルタは、１つ以上のトピックへの関心を示す、サブスクリプションに含まれる式である。トピックフィルタは、ワイルドカード文字を含み得る。ＰＵＢＬＩＳＨメッセージは、３つのＱｏＳレベルの保証（最大でも１回、少なくとも１回、正確に１回）のうちの１つを伴って配信される。
【００４４】
セッションおよびサブスクリプションは、クライアントとサーバとの間の２つのレベルのアタッチメントを表す。セッションは、クライアントとサーバとの間のステートフル相互作用（すなわち、アクティブＴＣＰ／ＩＰネットワーク接続）であり、一意のクライアント識別子によって識別される。セッションは、ＣＯＮＮＥＣＴメッセージをサーバに送信するクライアントのみによって確立されることができる。ＣＯＮＮＥＣＴ、ＰＵＢＬＩＳＨ、およびＳＵＢＳＣＲＩＢＥメッセージの中のフラグは、セッションが切断された場合にセッション状態が維持される方法を決定する。
【００４５】
ネットワーク機能仮想化（ＮＦＶ）は、データセンタ、ネットワークノード、およびエンドユーザ構内に位置し得る、業界標準大容量サーバ、スイッチ、ならびに記憶装置上に多くのネットワーク機器タイプを統合するように、標準ＩＴ仮想化技術を進化させることによって、ネットワークオペレータがネットワークを設計する方法を変換することを目指す。これは、業界標準サーバハードウェアの範囲上で起動することができ、新しい機器の設置を必要とすることなく、要求に応じて、ネットワーク内の種々の場所に移動またはインスタンス化されることができる、ソフトウェアにおけるネットワーク機能（例えば、モビリティ管理、セッション管理、ＱｏＳ）の実装を伴う。ＥＴＳＩ  ＧＳ  ＮＦＶ  ００２，Ｎｅｔｗｏｒｋ  Ｆｕｎｃｔｉｏｎｓ  Ｖｉｒｔｕａｌｉｚａｔｉｏｎ  （ＮＦＶ）；  Ａｒｃｈｉｔｅｃｔｕｒａｌ  Ｆｒａｍｅｗｏｒｋから複製された例証的例が、図１４に示されている。
【００４６】
ＮＦＶは、モバイルおよび固定ネットワーク内の任意のデータプレーンパケット処理ならびに制御プレーン機能に適用可能である。潜在的例は、以下を含み得る。
●  切り替え要素：ＢＮＧ、ＣＧ−ＮＡＴ、ルータ
●  モバイルネットワークノード：ＨＬＲ／ＨＳＳ、ＭＭＥ、ＳＧＳＮ、ＧＧＳＮ／ＰＤＮ−ＧＷ、ＲＮＣ、ｅＮｏｄｅＢ
●  仮想化ホーム環境を作成するためにホームルータおよびセットトップボックスに含まれる機能
●  集中型およびネットワーク規模の機能：ＡＡＡサーバ、ポリシ制御および課金プラットフォーム
●  アプリケーションレベル最適化：ＣＤＮ、キャッシュサーバ、負荷バランサ、アプリケーションアクセラレータ
●  セキュリティ機能：ファイアウォール、ウイルススキャナ、侵入検出システム、スパム保護
【００４７】
ＮＦＶの適用は、ネットワークオペレータに多くの利益をもたらし、電気通信業界の状況の劇的な変化に寄与する。ＮＦＶは、以下の利益をもたらし得る。
●  機器を統合し、ＩＴ業界の規模の経済を活用することを通した、機器コストの削減および電力消費量の削減
●  革新の典型的ネットワークオペレータサイクルを最小限にすることによる、製品化までの時間の速度の増加
●  同一のインフラストラクチャ上で生産、試験、および参照設備を起動する可能性が、はるかに効率的な試験ならびに統合を提供し、開発コストおよび製品化までの時間を削減する
●  地理または顧客セットに基づく標的サービス導入が、可能である。サービスは、要求に応じて急速に拡大／縮小されることができる。
●  多種多様なエコシステムを可能にし、オープン性を促す
●  実際のトラフィック／モビリティパターンならびにサービス需要に基づいて、ほぼリアルタイムでネットワーク構成および／またはトポロジを最適化する
●  マルチテナント機能をサポートし、それによって、ネットワークオペレータが、全て管理ドメインの適切でセキュアな分離を伴って同一のハードウェア上に共存する、複数のユーザ、アプリケーション、または内部システム、もしくは他のネットワークオペレータのための適合サービスおよび接続性を提供することを可能にする
●  標準サーバおよび記憶装置内の電力管理特徴、ならびに作業負荷統合および場所最適化を活用することによる、エネルギー消費の削減
【００４８】
Ｅｕｒｏｐｅａｎ  Ｔｅｌｅｃｏｍｍｕｎｉｃａｔｉｏｎｓ  ＳｔａｎｄａｒｄｓＩｎｓｔｉｔｕｔｅ（ＥＴＳＩ）は、いくつかのホワイトペーパを公開するため、かつＮＦＶを実装することを考慮しているベンダおよびオペレータのための参照としての役割を果たす、ＮＦＶのための標準用語定義ならびにユースケースを含む、いくつかのさらに綿密な資料を生成するために、仕様グループ「ネットワーク機能仮想化」を形成している。
【００４９】
ＥＴＳＩ  ＧＳ  ＮＦＶ  ００２，Ｎｅｔｗｏｒｋ  Ｆｕｎｃｔｉｏｎｓ  Ｖｉｒｔｕａｌｉｚａｔｉｏｎ  （ＮＦＶ）；  Ａｒｃｈｉｔｅｃｔｕｒａｌ  Ｆｒａｍｅｗｏｒｋは、ＮＦＶ概念をモバイルコアネットワークに適用するためのアーキテクチャのフレームワークを確立する、ＥＴＳＩ刊行物である。
【００５０】
図１５は、ＥＴＳＩ  ＧＳ  ＮＦＶ  ００２から複製された、ＶＮＦおよびネスト化転送グラフを伴う例示的エンドツーエンドネットワークサービスである。本図は、仮想化ネットワーク機能転送グラフ（ＶＮＦ−ＦＧ）の概念を図示する。ＶＮＦ−ＧＷは、ＶＮＦのセットがサービスを提供するように接続される方法を説明する。
【００５１】
Ｎｅｘｔ  Ｇｅｎｅｒａｔｉｏｎ  Ｍｏｂｉｌｅ  Ｎｅｔｗｏｒｋ  （ＮＧＭＮ）Ａｌｌｉａｎｃｅ，“Ｄｅｓｃｒｉｐｔｉｏｎ  ｏｆ  Ｎｅｔｗｏｒｋ  Ｓｌｉｃｉｎｇ  Ｃｏｎｃｅｐｔ”で説明されるようなネットワークスライシングは、バックホールおよびコアネットワークの両方である、モバイルオペレータのネットワークの固定部分を横断するエアインターフェースの背後の複数の「仮想」ネットワークをサポートするために、モバイルネットワークオペレータによって使用され得る、機構である。これは、異なるＲＡＮまたは単一のＲＡＮを横断して起動する異なるサービスタイプをサポートするように、ネットワークを複数の仮想ネットワークに「スライスすること」を伴う。ネットワークスライシングは、オペレータが、例えば、機能性、性能、および分離の分野で、多様な要件を要求する、異なる市場シナリオのための最適化されたソリューションを提供するようにカスタマイズされるネットワークを作成することを可能にする。図１６は、ネットワークスライシングの概念的アーキテクチャを示す。異なる色が、異なるネットワークスライスインスタンスまたはサブネットワークスライスインスタンスを示すために使用される。
【００５２】
３ＧＰＰは、５Ｇネットワークを設計しており、５Ｇネットワークに適合するネットワークスライシング技術を組み込むことを考慮している。５Ｇユースケース（例えば、大量ＩｏＴ、重要通信、および拡張型モバイルブロードバンド）が、非常に多様であり、ある時は極端な要件を要求するためである。現在のアーキテクチャは、スマートフォン、ＯＴＴコンテンツ、フィーチャフォン、データカード、および組み込みＭ２Ｍデバイスからのモバイルトラフィック等の種々のサービスに適応するために、比較的モノリシックなネットワークならびにトランスポートフレームワークを利用する。現在のアーキテクチャは、それぞれが性能、拡張性、および利用可能性要件のその独自の具体的セットを有するときに、より広範囲のビジネスニーズを効率的にサポートするために十分に柔軟かつ拡張可能ではないことが予想される。さらに、新しいネットワークサービスの導入は、より効率的にされるべきである。それでもなお、いくつかのユースケースが、同一のオペレータネットワーク内で同時にアクティブであることが予想され、したがって、５Ｇネットワークの高度な融通性および拡張性を要求する。
【００５３】
ネットワークスライシングは、オペレータが、例えば、機能性、性能、および分離の分野で、多様な要件を要求する、異なる市場シナリオのための最適化されたソリューションを提供するようにカスタマイズされるネットワークを作成することを可能にする。しかしながら、将来の５Ｇネットワーク内でネットワークスライシングをサポートするためにいくつかの課題および問題がある。
●  ネットワークスライスインスタンスの間の分離／分離を達成する方法、ならびに要求されるであろう分離／分離のレベルおよびタイプ
●  リソースおよびネットワーク機能共有がネットワークスライスインスタンスの間で使用されることができる方法、ならびにリソースおよびネットワーク機能共有のタイプ
●  ＵＥが１つのオペレータの１つ以上の特定のネットワークスライスインスタンスからサービスを同時に取得することを可能にする方法
●  ネットワークスライシング（例えば、ネットワークスライス作成／構成、修正、削除）に関して、３ＧＰＰの範囲内であるもの
●  特定のネットワークスライスインスタンスに含まれ得るネットワーク機能、およびネットワークスライスから独立しているネットワーク機能
●  ＵＥのための特定のネットワークスライスの選択のためのプロシージャ
●  ネットワークスライシングローミングシナリオをサポートする方法
●  オペレータが、類似ネットワーク特性を要求する複数の第三者（例えば、企業、サービスプロバイダ、コンテンツプロバイダ等）を効率的にサポートするために、ネットワークスライシング概念を使用することを可能にする方法
【００５４】
さらなる詳細（すなわち、問題、課題、および可能な解決策）が、３ＧＰＰが５Ｇネットワークアーキテクチャ内でネットワークスライシングを適用する方法について、３ＧＰＰ  ＴＲ  ２３．７９９，Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍで見出され得る。
【００５５】
ＵＥが１つのネットワークオペレータの複数のネットワークスライスからサービスを同時に取得することを可能にするために、制御プレーン機能の単一のセットが、図１７に示されるように、複数のコアネットワークインスタンスを横断して共有される。本図は、複数のネットワークスライスへの複数の接続のサポートのためのソリューションの最新情報である、３ＧＰＰ  Ｓ２−１６２２５９から複製された。
【００５６】
コアネットワークインスタンスは、制御プレーン機能の単一のセットおよびユーザプレーン機能の単一のセットから成る。また、コアネットワークインスタンスは、同一のＵＥタイプに属しているＵＥ専用である。ＵＥタイプを識別することは、具体的パラメータ、例えば、ＵＥ使用タイプ、および／またはＵＥのサブスクリプションからの情報を使用することによって、行われる。コアネットワークインスタンス内のユーザプレーン機能のセットは、具体的サービスをＵＥに提供し、具体的サービスのデータをユーザプレーンにトランスポートする責任がある。例えば、コアネットワークインスタンス＃１におけるユーザプレーン機能の１つのセットが、拡張型モバイルブロードバンドサービスをＵＥに提供する一方で、コアネットワークインスタンス＃２におけるユーザプレーン機能の別のセットは、重要通信サービスをＵＥに提供する。ＵＥが最初にオペレータのネットワークに接続するとき、ＵＥ使用タイプに合致するデフォルトコアネットワークインスタンスが、ＵＥに割り当てられる。各ＵＥは、同時に異なるコアネットワークインスタンスにおいて利用可能であるユーザプレーン機能の異なるセットへの複数のユーザプレーン接続を有することができる。制御プレーン機能は、ネットワークスライスを横断して共有され得る。
【００５７】
コアネットワーク選択機能（ＣＮＳＦ）は、以下を行う責任がある。
●  ＵＥのサブスクリプションおよび具体的パラメータ、例えば、ＵＥ使用タイプを考慮することによって、ＵＥに適応するコアネットワークインスタンスを選択する
●  基地局が通信すべきである、選択されたコアネットワークインスタンス内の制御プレーン機能を選択する。制御プレーン機能の本選択は、具体的パラメータ、例えば、ＵＥ使用タイプを使用することによって行われる。
●  異なるサービスのユーザプレーンデータをトランスポートするために、基地局が接続を確立すべきであるユーザプレーン機能のセットを選択する。ユーザプレーン機能の本選択は、具体的パラメータ、例えば、ＵＥ使用タイプおよびサービスタイプを使用することによって行われる。
【００５８】
ネットワーク機能の相互接続を可能にするために、相互接続およびルーティング機能（ＩＲＦ）２０５８が、３ＧＰＰ  ＴＲ  ２３．７９９，Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍで提案されている。図１８および図１９は、それぞれ、非ローミングおよびローミングシナリオのためのＩＲＦ２０５８の参照モデルを示す。ＩＲＦ２０５８の機能は、以下を含む。
●  ＵＥの識別と、ＵＥのためのアクティブなセッションを有する各サービングＮＦのインターフェース層識別（例えば、インスタンス番号）との間のバインディングを記憶する。例えば、ローミングシナリオで、ＩＲＦ２０５８と直接インターフェースをとらないＮＦに関して、ＩＲＦ２０５８は、それを介してこれらのＮＦが到達可能である、遠隔ＰＬＭＮのＩＲＦ２０５８の識別を記憶する。
●  例えば、ＵＥモビリティ、負荷再バランシング（すなわち、仮想マシンの縮小もしくは拡大）、または復元理由に起因して、サービングＮＦの識別が所与のＵＥのために変化するときに、バインディングリポジトリを更新する。
●  （メッセージが送信される）ＵＥの識別および宛先ＮＦを決定するために、メッセージヘッダを調査する。ＵＥの識別に関して、宛先ＮＦのインターフェース層識別（例えば、インスタンス番号）または遠隔ＩＲＦ２０５８の識別を決定するために、内部バインディングリポジトリを調べる。それに応じて、メッセージをルーティングする。
●  随意に、オペレータの構成に基づいて、メッセージの認可を実施し、例えば、オペレータの構成が、ＮＦ１がＮＦ４に向かってあるメッセージ（「ＵＥのＡＰＮ−ＡＭＢＲの変更」）を送信しないように禁止する場合には、ＩＲＦ２０５８は、対応するメッセージを拒否する。随意に、過負荷制御、例えば、その負荷／過負荷状態に基づいて所与のＮＦに送信されるメッセージのペーシングを実施することによって、膨大なシグナリング中にＮＦを保護する。
【００５９】
各ＮＦは、その独自のＰＬＭＮ内の所与の参照点を介して、ＩＲＦ２０５８とインターフェースをとる。ＮＦは、直接互いとインターフェースしないが、ＩＲＦ２０５８を介して互いと通信する（すなわち、要求または応答メッセージを送信する）ことができる。したがって、要求されるとき、本モデルは、パス内にいかなる他の無関係なネットワーク機能も伴うことなく、任意のＮＦが任意の他のＮＦと直接通信することを可能にし、例えば、ＮＦ１は、ＮＦ２の関与が必要とされない場合、ＮＦ２を伴うことなく、ＩＲＦ２０５８を介してメッセージをＮＦ３に送信することができる。
【発明の概要】
【課題を解決するための手段】
【００６０】
５Ｇネットワークアーキテクチャは、仮想化およびネットワークスライシングを使用する。ユーザ機器（ＵＥ）は、仮想ネットワークスライスと相互作用する、アンダーレイネットワークと相互作用する。ＵＥは、アンダーレイネットワーク（ＵＬＮ）と相互作用し、仮想ネットワークスライスへの接続を確立する。
【００６１】
以下のプロシージャが、定義されることができる。
●  新しいスライスインスタンスをＵＥに割り当てるプロシージャ（ＵＥ開始型およびＵＬＮ開始型）
●  ＵＥプロファイルを変更するプロシージャ（ＵＥ開始型およびＵＬＮ開始型）
●  ＵＥの割り当てられたスライスインスタンスを変更するプロシージャ（ＵＬＮ開始型）
【００６２】
ネットワークスライスインスタンスが、メッセージブローカを介して仮想化されたネットワーク機能を接続することによって展開される実施形態が説明される。
【００６３】
本概要は、以下の発明を実施するための形態においてさらに説明される、一連の概念簡略化された形態において導入するために提供される。本概要は、請求される主題の重要な特徴または不可欠な特徴を識別することを意図するものではなく、請求される主題の範囲を限定するために使用されることを意図するものでもない。さらに、請求される主題は、本開示の任意の部分に記載される不利点のいずれかまたは全てを解決する制限に限定されない。
【図面の簡単な説明】
【００６４】
より詳細な理解が、付随の図面と併せて一例として挙げられる、以下の説明からもたらされ得る。
【００６５】
【図１】図１は、（Ｓ）Ｇｉ−ＬＡＮを図示する略図である。
【図２】図２は、ＩＥＴＦのＳＦＣアーキテクチャフレームワークの主要コンポーネントを図示する略図である。
【図３】図３は、ＮＳＨカプセル化を図示する略図である。
【図４】図４は、ＮＳＨフォーマットを図示する略図である。
【図５】図５は、可変コンテキストヘッダを図示する略図である。
【図６】図６は、ＩＥＴＦによって提案されるアーキテクチャに適用される３ＧＰＰアーキテクチャを図示する略図である。
【図７】図７は、メッセージベースのミドルウェアの高レベル表現を図示する略図である。
【図８】図８は、待ち行列ベースのミドルウェアを図示する略図である。
【図９】図９は、パブリッシュ／サブスクライブシステムの例を図示する略図である。
【図１０】図１０は、メッセージベースのミドルウェアブローカを図示する略図である。
【図１１】図１１は、ＡＭＰＱ交換と待ち行列との間の関係を図示する略図である。
【図１２】図１２は、ＭＱＴＴパブリッシュ／サブスクライブモデルを図示する略図である。
【図１３】図１３は、ＭＱＴＴ機能モデルを図示する略図である。
【図１４】図１４は、ＮＦＶのためのビジョンを図示する略図である。
【図１５】図１５は、仮想化ネットワーク機能転送グラフ（ＶＮＦ−ＦＧ）の概念を図示する略図である。
【図１６】図１６は、ネットワークスライシングの概念的アーキテクチャを図示する略図である。
【図１７】図１７は、複数のネットワークスライスインスタンスを選択することにおけるＣＮＳＦを図示する略図である。
【図１８】図１８は、ネットワーク機能の相互接続のための非ローミング参照モデルを図示する略図である。
【図１９】図１９は、ネットワーク機能の相互接続のためのローミング参照モデルを図示する略図である。
【図２０Ａ】図２０Ａは、５Ｇネットワークアーキテクチャを図示する略図である。
【図２０Ｂ】図２０Ｂは、図２０Ａの５Ｇネットワークアーキテクチャのためのアンダーレイネットワークを図示する略図である。
【図２０Ｃ】図２０Ｃは、図２０Ａの５Ｇネットワークアーキテクチャのための仮想ネットワークスライスを図示する略図である。
【図２１】図２１は、モバイルコアネットワークおよび各ＲＡＴに関連付けられるネットワークに対するＲＡＴインターフェース機能を図示する略図である。
【図２２】図２２は、初期接続プロシージャを図示する略図である。
【図２３】図２３は、新しい一時識別子のためのＧＵＩプロンプトを図示する略図である。
【図２４】図２４は、ＵＥ開始型ＵＬＮベースの新しいスライスインスタンス割り当てコールフローを図示する略図である。
【図２５】図２５は、ＵＬＮ開始型ＵＬＮベースの新しいスライスインスタンス割り当てコールフローを図示する略図である。
【図２６】図２６は、ＵＥ開始型ＵＬＮベースのプロファイル変更を図示する略図である。
【図２７】図２７は、ＵＬＮ開始型ＵＬＮベースのプロファイル変更を図示する略図である。
【図２８】図２８は、ＵＬＮ開始型ＵＬＮベースのプロファイル変更を図示する略図である。
【図２９】図２９は、ＵＥ開始型の新しいスライス割り当て（代替的アプローチ）を図示する略図である。
【図３０】図３０は、ネットワーク開始型の新しいスライス割り当て（代替的アプローチ）を図示する略図である。
【図３１】図３１は、ＵＥ開始型プロファイル変更（代替的アプローチ）を図示する略図である。
【図３２】図３２は、ネットワーク開始型プロファイル変更（代替的アプローチ）を図示する略図である。
【図３３】図３３は、ネットワーク開始型スライス変更（代替的アプローチ）を図示する略図である。
【図３４】図３４は、メッセージブローカとしてＩＲＦ／ＩＷＫ−ＩＲＦを実装することの例を図示する略図である。
【図３５】図３５は、一実施形態のグラフィカルユーザインターフェースの略図である。
【図３６Ａ】図３６Ａは、通信ネットワークを含むＭ２Ｍ／ＩｏＴ／ＷｏＴ通信システムの略図である。
【図３６Ｂ】図３６Ｂは、Ｍ２Ｍアプリケーション、Ｍ２Ｍゲートウェイデバイス、およびＭ２Ｍ端末デバイスのためのサービス、ならびに通信ネットワークを提供する、フィールドドメイン内の図示されるＭ２Ｍサービス層の略図である。
【図３６Ｃ】図３６Ｃは、本明細書に説明されるネットワークノード、デバイス、または装置のうちのいずれかを実装するために使用され得る、例示的デバイスの略図である。
【図３６Ｄ】図３６Ｄは、本明細書に説明されるネットワークノード、デバイス、または装置のうちのいずれかを実装するために使用され得る、コンピュータシステムもしくはサーバのブロック図である。
【図３７Ａ】図３７Ａは、本明細書に説明および請求される方法ならびに装置が実施形態であり得る、例示的通信システムの一実施形態を図示する。
【図３７Ｂ】図３７Ｂは、本明細書に図示される実施形態による、無線通信のために構成される例示的装置またはデバイスのブロック図である。
【図３７Ｃ】図３７Ｃは、ある実施形態による、ＲＡＮおよびコアネットワークの系統図である。
【図３７Ｄ】図３７Ｄは、別の実施形態による、ＲＡＮおよびコアネットワークの系統図である。
【図３７Ｅ】図３７Ｅは、さらに別の実施形態による、ＲＡＮおよびコアネットワークの系統図である。
【図３７Ｆ】図３７Ｆは、５Ｇコアネットワークのブロック図である。
【発明を実施するための形態】
【００６６】
【表１−１】
2020191667.tif 000003
【表１−２】
2020191667.tif 000004
【表２】
2020191667.tif 000005
【００６７】
３ＧＰＰのＳＡ２ワーキングループは、新しい５Ｇネットワークアーキテクチャを定義している。作業は、「Ｓｔｕｄｙ  ｏｎ  Ａｒｃｈｉｔｅｃｔｕｒｅ  ａｎｄ  Ｓｅｃｕｒｉｔｙ  ｆｏｒ  Ｎｅｘｔ  Ｇｅｎｅｒａｔｉｏｎ  Ｓｙｓｔｅｍ」（ＦＳ＿ＮｅｘｔＧＥＮ）と呼ばれる、研究項目の下で行われている。研究の成果は、３ＧＰＰ  ＴＲ  ２３．７９９，Ｓｔｕｄｙ  ｏｎ  Ａｒｃｈｉｔｅｃｔｕｒｅ  ｆｏｒ  Ｎｅｘｔ  Ｇｅｎｅｒａｔｉｏｎ  Ｓｙｓｔｅｍにまとめられている。
【００６８】
５Ｇネットワークアーキテクチャは、ネットワーク機能仮想化（ＮＦＶ）技法に依拠するであろう。ＮＦＶは、モバイルネットワークオペレータがそれらの顧客によって必要とされる、または要求されると、サービスを動的に展開、拡大、および縮小することを可能にするであろう。サービスは、スライスを形成し、１つ以上のサービスをユーザに提供するように継合される、仮想ネットワーク機能を介して提供されるであろう。
【００６９】
全ての機能が仮想化されることができるわけではない。例えば、ＵＥ２００６がネットワークスライス２００２に接続することができる前に、ネットワークと初期接続を形成しなければならない。したがって、ネットワークが、ＵＥ２００６が接続するはずであるネットワークスライスを決定することができる前に、ネットワークとのある基本的な仮想化されていない接続が形成されなければならない。別の例は、ＵＥ２００６がネットワークと初期接続を形成することができる前に、ある基地局ハードウェアと層１接続を形成しなければならないことである。
【００７０】
これまで考慮されてきた提案では、ＵＥ２００６が５Ｇネットワークと初期接続を形成する方法、およびＵＥ２００６がネットワークと初期接続を形成することができるように任意のネットワークスライス２００２の外側に存在するように要求される機能について、限定された議論のみが存在している。３ＧＰＰ  Ｓ２−１６２２５９および３ＧＰＰ  Ｓ２−１６２２６０は、本問題について議論するいくつかの参考文献のうちの２つである。初期接続プロシージャがネットワークからサービスを受信するようにＵＥに権限を与えることを伴うため、初期接続プロシージャはまた、登録プロシージャとも呼ばれ得ることを理解されたい。
【００７１】
（５Ｇネットワークアーキテクチャ）
図２０Ａは、アンダーレイネットワーク２００４および仮想ネットワークスライス２００２を伴う５Ｇネットワークアーキテクチャ２０００を示す。図２０Ｂは、図２０Ａの５Ｇネットワークアーキテクチャのためのアンダーレイネットワーク２００４を図示する略図である。図２０Ｃは、図２０Ａの５Ｇネットワークアーキテクチャのための仮想ネットワークスライス２００２を図示する略図である。
【００７２】
図に示されるように、種々のＵＥ２００６ａ−ｄが複数の異なる無線アクセス技術（ＲＡＴ）を介して５Ｇネットワークに接続することが可能である。５Ｇネットワークを接続するために使用されるＲＡＴは、３ＧＰＰによって定義される場合もあり、されない場合もある。ＲＡＴが３ＧＰＰによって定義されない場合、３ＧＰＰは、ＲＡＴが５Ｇネットワークとインターフェースをとるためのプロシージャを定義している場合もあり、していない場合もある。３ＧＰＰが、ＲＡＴが５Ｇネットワークとインターフェースをとるためのプロシージャを定義していない場合には、カスタマイズされたインターフェースが、コアネットワークへの３ＧＰＰ定義インターフェースを介して、ＲＡＴが５Ｇネットワークとインターフェースをとることを可能にする、専用ソリューションに基づいて構築され得る。
【００７３】
ＮＧ１と名付けられた参照点が、ＲＡＴを５Ｇコアネットワークとインターフェースをとらせるために使用される。ＮＧ１インターフェースは、ユーザプレーン参照点および制御プレーン参照点、すなわち、それぞれ、ＮＧ１−ＵおよびＮＧ１−Ｃに分割される。ＮＧ参照点は、本インターフェース上のシグナリングおよび本インターフェース上のプロトコルが大部分はＲＡＴ非依存性であるように設計される。しかしながら、インターフェースは、インターフェースがＲＡＴタイプおよびＲＡＴ能力を５Ｇネットワークに知らせる能力を提供するはずであるという意味で、ＲＡＴを認識していることが予期される。ＲＡＴ能力のいくつかの例は、最小または最大待ち時間、最大データレート、セキュリティ能力等であり得る。
【００７４】
図２０Ａおよび２０Ｂは、アンダーレイネットワーク２００４の一部と見なされ得る、機能を示す。アンダーレイネットワーク２００４は、ＵＥ２００６が接続を確立し、最小レベルのサービスを取得するために要求する、コアネットワーク機能から成る。これらの機能は、ＵＥ２００６がサービスを受信するように認証され、権限を与えられ、および許可されることができる前に要求される。アンダーレイネットワーク２００４はまた、仮想化されるべきではない機能から成り得る。例えば、ユーザのサブスクリプションデータは、仮想化されるべきではない。
【００７５】
５Ｇアーキテクチャは、ネットワーク機能仮想化技法に大いに依拠することができる。仮想化されたネットワーク機能は、１つ以上のサービスをＵＥ２００６および／またはＵＥのグループに提供するように、ＩＲＦ２０５８を介して、ネットワークスライスに一緒にグループ化されるであろう。ＵＥ２００６は、１つを上回るネットワークスライスに同時に接続することを可能にされ得る。
【００７６】
ネットワーク機能２０５６は、互いと直接通信しない。むしろ、それらは、上記で説明されるＩＲＦ２０５８を介して通信する。いくつかのネットワーク機能は、複数のネットワークスライスに共通し得る。本タイプのネットワーク機能は、１つを上回るＩＲＦに接続し得る。ネットワークスライスを横断して共有され得るネットワーク機能の例は、ネットワークへのＵＥのアタッチメントの点（すなわち、ＲＡＴ）を追跡する、モビリティ管理ネットワーク機能２０２２である。
【００７７】
ネットワークスライスは、それらが直接相互作用しないであろうという意味で、相互から殆ど分離されることができる。しかしながら、それらは、同一の物理的プラットフォーム上で起動し得、アンダーレイネットワーク２００４内の同一のネットワーク機能とインターフェースし得るという意味で、分離されない。
【００７８】
ネットワークスライスはまた、ローミングシナリオにおいて通信し得る。例えば、いくつかのサービスは、ＵＥのＩＰアンカがＨＰＬＭＮの中に常駐する一方で、モビリティ管理機能性がＶＰＬＭＮの中に常駐し得ることを要求し得る。そのようなシナリオでは、スライスが相互作用すること、またはスライスがオペレータを横断して存在することが必要である。そのようなシナリオでは、各スライス（またはスライスの一部）のＩＲＦは、アンダーレイネットワーク２００４内のＩＲＦインターワーキング（ＩＲＦ−ＩＷＫ）機能２０３０を介して通信するであろう。
【００７９】
オペレータ定義、企業、バーティカル、および第三者サービスが、ネットワーク機能として展開され得る。そのようなサービスは、オペレータのＲＦ２０５８に直接接続し、サービスをＵＥ２００６またはオペレータに提供し得る。例えば、Ｍ２Ｍサーバは、ＩＲＦ２０５８に直接接続し、サービスをＵＥ２００６に提供する、ネットワーク機能として展開され得る。また、ペアレンタルコントロールサービスが、ＮＦとして展開され、ＵＥ２００６を往復するトラフィックにポリシを適用し得る。例えば、ＰＣＦは、ペアレンタルコントロールポリシをＵＰＦに提供し得、ＵＰＦは、ポリシを施行することができる。本書の他の場所に記述されるように、ＵＰＦ等のＮＦは、ＰＥＦを含み得る。
【００８０】
オペレータ定義、企業、バーティカル、および第三者サービスはまた、オーバーザトップ（ＯＴＴ）様式で展開され得る。このようにして展開されたとき、トラフィックは、スライスの退出ノードからＯＴＴサービス２０１０にルーティングされる。退出ノードの出力は、典型的には、ＩＰデータであり得る。しかしながら、これは、ＳＭＳデータであってもよく、ＯＴＴサービスは、ＳＭＳ−ＳＣであり得る。また、トラフィックは、（ＩＰを介して）ＯＴＴサービスにトンネリングされる非ＩＰデータパケットであり得る。
【００８１】
Ｍ２Ｍサーバ（ＩＮ−ＣＳＥ、ＳＣＳ、ＡＳ）等のＯＴＴサービスは、ＯＴＴ様式でＵＥ２００６と同時に接続および相互作用し、ＯＴＴサービスがＩＲＦ２０５８に接続し、スライス２００２からサービスを取得することを可能にするＳＣＥＦ２０５４を介して、ＵＥのネットワークスライス２００２と相互作用し得る。
【００８２】
図２０Ａ−Ｃに含まれるネットワーク機能が、以下で説明される。図２０Ａ−Ｃに図示される機能性は、以下で説明される図３６−３７に図示されるもののうちの１つ等の無線デバイスまたは他の装置（例えば、サーバ、ゲートウェイ、デバイス、もしくは他のコンピュータシステム）のメモリ内に記憶され、そのプロセッサ上で実行する、ソフトウェア（すなわち、コンピュータ実行可能命令）の形態で実装され得ることが理解される。また、図２０Ａ−Ｃに図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。
【００８３】
図２２−３３は、ＵＥ２００６が５Ｇネットワークとの基本的接続性を確立するために要求される５Ｇネットワークプロシージャを説明する。図２２−２８のプロシージャは、ＵＥ２００６とアンダーレイネットワーク２００４内の機能との間の相互作用を要求するアプローチに基づく。図２９−３３のプロシージャは、新しいネットワークスライスに接続する、ネットワークスライスを変更する、プロファイルを変更する等の代替的アプローチを示す。これらのプロシージャは、ＵＥ２００６が、ＩＰ接続性も提供し得る、初期アタッチメント／接続イベントにおいてそれが接続するであろうデフォルトスライスを有すると仮定する。
【００８４】
５Ｇネットワークは、仮想化されるか、または仮想化されないかのいずれかであり得る、ネットワーク機能をサポートするであろう。全てのネットワーク機能を横断して集中および協調されるように要求される、ネットワーク機能、例えば、サブスクライバデータベースを仮想化することは、望ましくない場合がある。異なるネットワーク機能は、同一または異なる物理的プラットフォームもしくはネットワークノードにおいて果たされ得る。表３は、本書で議論されるネットワーク機能を列挙する。
【表３−１】
2020191667.tif 000006
【表３−２】
2020191667.tif 000007
【００８５】
５Ｇネットワークは、１つ以上のネットワーク機能を果たすことができ、ある状況で、もしくはネットワーク機能仮想化を通してのいずれかで、自然にネットワーク機能を果たし得る、ネットワークノードをサポートするであろう。ある場合には、表３に説明される機能は、複数のネットワークノードを横断して分散され得る。例えば、セッション管理機能は、進入および退出ノードの中、ＲＡＴ基地局に、ならびにＵＥに存在し得る。ＲＩＦ、ＣＮＥＰ、およびＭＭ機能が１つのＮＦの中で共同設置される／組み合わせられるとき、複合機能は、ネットワークへのＵＥのアクセスおよびモビリティ管理を取り扱い、したがって、共同設置／複合ＮＦは、アクセスおよびモビリティ管理機能（ＡＭＦ）と呼ばれ得る。ＭＯデータをハンドリングするための単一のＮＦが存在し得る。この場合、ＭＯＩおよびＭＯＥは、共同設置され得る。本ＮＦがユーザプレーンデータを取り扱うため、本複合機能は、ユーザプレーン機能（ＵＰＦ）またはＭＯ−ＵＰＦと呼ばれ得る。ＭＴデータをハンドリングするための単一のＮＦが存在し得る。この場合、ＭＴＩおよびＭＴＥは、共同設置され得る。本ＮＦがユーザプレーンデータを取り扱うため、本複合機能は、ユーザプレーン機能（ＵＰＦ）またはＭＴ−ＵＰＦと呼ばれ得る。ＭＴおよびＭＯデータをハンドリングするための単一のＮＦが存在し得る。この場合、ＭＯＩ、ＭＯＥ、ＭＴＩ、およびＭＴＥは、共同設置され得る。本ＮＦがユーザプレーンデータを取り扱うため、本複合機能は、ユーザプレーン機能（ＵＰＦ）と呼ばれ得る。
【００８６】
以下の項は、表３に説明されるネットワーク機能のうちのいくつかをさらに詳細に説明する。
【００８７】
サブスクリプションサービス機能（ＳＳＦ）２０６０は、サブスクライバデータのクエリをハンドリングする、あるタイプのＮＦである。サブスクライバ情報は、各ＵＥ２００６、ＵＥのグループ、またはアプリケーションサーバのためのサブスクライバ情報を保持する、サブスクライバデータベース内に記憶される。ＨＳＳ、ＨＬＲ、ＳＰＲ、およびＵＤＲ２０３２は、サブスクライバデータベースのタイプである。サブスクライバデータベース自体は、典型的には、仮想化されないであろうが、代わりに、アンダーレイネットワーク２００４の一部であり、ネットワークスライスを横断して共有される機能と見なされるであろう。ＳＳＦ２０６０がスライスの一部であり得るＮＦであるため、これは、ＩＲＦ２０５８を介してＵＤＲ２０３２とインターフェースをとってもよい。
【００８８】
図２０Ａおよび２０Ｂの例では、サブスクライバデータベース（ＵＤＲ２０３２）は、アンダーレイネットワーク２００４の一部であり、仮想化されない。ＳＳＦ２０６０は、仮想化され、各ネットワークスライスインスタンスにおいてインスタンス化され得る、ＮＦである。
【００８９】
新しいネットワークスライスがインスタンス化されるとき、関連付けられるＳＳＦ２０６０は、スライスインスタンスによって提供されるサービスおよびスライスインスタンスに関連付けられる、または関連付けられるであろうユーザに基づいて、構成され得る。例えば、あるユーザ、ユーザのグループ、またはユーザのクラスが、スライスインスタンスを使用することを許可されない場合には、ＳＳＦ２０６０は、クエリがこれらのユーザ、ユーザのグループ、またはユーザのクラスを参照する場合にＵＤＲ２０３２のクエリを可能にし得ない。
【００９０】
ＵＤＲ２０３２が集中型エンティティであり、多くのネットワークスライスを横断して共有される場合、ＳＳＦ２０６０は、ＵＤＲ２０３２内に記憶されるサブスクライバ情報をキャッシュおよび／または事前フェッチし、記憶し得る。ユーザまたはグループがネットワークスライスに関連付けられるとき、次いで、ＳＳＦ２０６０は、ＵＤＲ２０３２からユーザまたはグループのサブスクリプション情報をフェッチし、将来のＵＤＲ２０３２クエリが回避され得るように、ＳＳＦインスタンス２０６０の中にそれをローカルに記憶し得る。ＳＳＦ２０６０は、関連付けられる情報が更新されるときおよび場合に、ＵＤＲ２０３２がＳＳＦ２０６０に通知し得るように、ユーザまたはグループに関連付けられるキャッシュされた情報を有することをＵＤＲ２０３２に知らせてもよい。
【００９１】
サブスクライバデータベースは、ＵＥ２００６がスライスに接続することに先立ってアクセスされる必要があり得、例えば、ＵＥ２００６を用いて認証および認可プロシージャを実施するためにアクセスされ得る。したがって、ＵＤＲ２０３２は、ＡＡＡサーバ２０２８へのインターフェースを有し得る。
【００９２】
ユーザデータリポジトリ（ＵＤＲ２０３２）は、サブスクライバデータのリポジトリである。表４は、ＵＥのＵＤＲサブスクリプションプロファイルの中に含まれ得る情報を捕捉する。代替として、同一の情報は、ＵＥのグループ、アプリケーションサーバ、またはアプリケーションサーバのグループに関連付けられ得る。
【００９３】
ＵＤＲ２０３２が、全てのネットワーク機能を横断して共有される中心機能として展開され、ＵＥ２００６が最初に接続するはずであるスライスを決定することが要求されるため、ＵＤＲ２０３２は、仮想化されない場合があり、アンダーレイネットワーク２００４の一部と見なされ得る。
【表４】
2020191667.tif 000008
【００９４】
（ＵＤＲ一時ＩＤ生成プロシージャ）
ＵＤＲ２０３２は、ＵＥのための一時ＩＤを生成する要求を受信し得る。要求は、一時ＩＤを提供するときにＵＥ２００６が使用することを所望するであろうサービスのタイプ、一時ＩＤが使用されるときにＵＥ２００６が存在することが予期される場所、一時ｉｄが使用されるときに課金される当事者等を示し得る。
【００９５】
（ＵＥ−ＤＥＶＩＣＥ−ＴＹＰＥ）
ＵＥ−ＤＥＶＩＣＥ−ＴＹＰＥは、デバイスまたはデバイス能力のタイプを識別する。例えば、これは、それがＰＳ専用デバイス、制御プレーン専用デバイス、少量データデバイス、緊急／第一対応デバイス等であることを示し得る。
【００９６】
制御プレーン専用デバイスは、ネットワークまたはネットワークスライスへの制御プレーン接続のみを維持するデバイスである。
【００９７】
ＰＳ専用デバイスは、ＰＳサービスのみにアクセスし、ＣＳサービスにアクセスしないデバイスである。
【００９８】
少量データデバイスは、小さいデータパケットを送信するためにネットワークまたはネットワークスライスのみにアクセスするデバイスである。異なるタイプの少量データデバイス（すなわち、非ＩＰ少量データ、ＳＭＳ等）が存在し得る。
【００９９】
緊急／第一対応デバイスタイプは、デバイスが重要な通信に使用されており、ネットワーク輻輳または部分的ネットワーク停止の時間の間に優先されるべきことを示す。
【０１００】
低モビリティデバイスタイプは、ＵＥ２００６がモバイルである可能性が低い、または低頻度で移動するのみであろうことを示し得る。加えて、静止指示または最大速度等の情報が提供され得る。
【０１０１】
ＵＥ−ＤＥＶＩＣＥ−ＴＹＰＥは、サブスクライバデータベースの中の恒久サブスクリプションデータであり得る。
【０１０２】
ＵＥ−ＤＥＶＩＣＥ−ＴＹＰＥは、サブスクライバデータベースの中の一時サブスクリプションデータであり得る。ＵＥ−ＤＥＶＩＣＥ−ＴＹＰＥが、一時サブスクライバデータであるとき、これは、新しいサービスがアクセスされるとき、または初期接続を確立するときに、ＵＥ２００６によって提供され得る。
【０１０３】
ＵＥ−ＤＥＶＩＣＥ−ＴＹＰＥは、デバイスが同時に複数のタイプと見なされることができるように、いくつかの識別子から成り得る。例えば、放射線検出器は、低モビリティおよび緊急デバイスの両方であり得る。
【０１０４】
デバイスタイプは、ＵＥ２００６がネットワークにアクセスすることを可能にされる、または可能にされない時間を示し得る。
【０１０５】
デバイスタイプは、ＵＥ２００６がネットワークにアクセスすることを可能にされる、または可能にされない場所を示し得る。デバイスタイプがコアネットワーク特徴を使用するＵＥの能力を説明するため、これは、ＵＥ５Ｇコアネットワーク（５ＧＣＮ）能力と呼ばれ得る。
【０１０６】
（ＵＥ−ＳＬＩＣＥ−ＤＥＳＣＲＩＰＴＯＲ）
ＵＥ−ＳＬＩＣＥ−ＤＥＳＣＲＩＰＴＯＲは、１つ以上のタイプのスライスを完全に説明する。これは、スライステンプレートに関連付けられるスライステンプレートまたは識別子と見なされ得る。ＵＥのサブスクリプション情報は、ＵＥ２００６が接続し得るスライスのタイプを示す、ＵＥ−ＳＬＩＣＥ−ＤＥＳＣＲＩＰＴＯＲを含み得る。
【０１０７】
ＵＥ−ＳＬＩＣＥ−ＤＥＳＣＲＩＰＴＯＲは、それがＵＥのデフォルトであり、その場合、ＵＥ２００６が、デフォルトで本タイプのスライスに接続するであろうという指示を含み得る。
【０１０８】
ＵＥ−ＳＬＩＣＥ−ＤＥＳＣＲＩＰＴＯＲは、それが要求され、その場合、ＵＥ２００６が、常に、ネットワークに接続されたときに本タイプのスライスに接続するように要求されるという指示を含み得る。
【０１０９】
ＵＥ−ＳＬＩＣＥ−ＤＥＳＣＲＩＰＴＯＲは、それが随意であり、その場合、ＵＥ２００６が、随意に、本タイプのスライスに接続することを要求し得るという指示を含み得る。
【０１１０】
ＵＥ−ＳＬＩＣＥ−ＤＥＳＣＲＩＰＴＯＲは、恒久サブスクリプションデータであり得る、またはそれらは、一時サブスクライバデータであり得る。これが一時サブスクライバデータである場合には、ＵＥ−ＳＬＩＣＥ−ＤＥＳＣＲＩＰＴＯＲは、初期接続プロシージャ中に、または所望のサービスもしくはサービスのセットが要求されるときに、ＵＥ２００６によって提供され得る。
【０１１１】
（ＵＥ−ＳＥＲＶＩＣＥ−ＤＥＳＣＲＩＰＴＯＲ）
ＵＥ−ＳＥＲＶＩＣＥ−ＤＥＳＣＲＩＰＴＯＲは、ＵＥによって所望される１つ以上のサービスを説明する。ＵＥのサブスクリプション情報は、ＵＥ２００６がアクセスし得るサービスのタイプを示す、ＵＥ−ＳＥＲＶＩＣＥ−ＤＥＳＣＲＩＰＴＯＲを含み得る。
【０１１２】
ＵＥ−ＳＥＲＶＩＣＥ−ＤＥＳＣＲＩＰＴＯＲは、それがＵＥのデフォルトであり、その場合、ＵＥ２００６がデフォルトで本タイプのサービスに接続するであろうという指示を含み得る。
【０１１３】
ＵＥ−ＳＥＲＶＩＣＥ−ＤＥＳＣＲＩＰＴＯＲは、それが要求され、その場合、ＵＥ２００６が、常に、ネットワークに接続されたときに本タイプのサービスに接続するように要求されるという指示を含み得る。
【０１１４】
ＵＥ−ＳＥＲＶＩＣＥ−ＤＥＳＣＲＩＰＴＯＲは、それが随意であり（または可能にされ）、その場合、ＵＥ２００６が、随意に、本タイプのサービスに接続することを要求し得るという指示を含み得る。
【０１１５】
ＵＥ−ＳＥＲＶＩＣＥ−ＤＥＳＣＲＩＰＴＯＲは、恒久サブスクリプションデータであり得る、またはそれらは、一時サブスクライバデータであり得る。これが一時サブスクライバデータである場合には、ＵＥ−ＳＥＲＶＩＣＥ−ＤＥＳＣＲＩＰＴＯＲは、初期接続プロシージャ中に、または所望のサービスもしくはサービスのセットが要求されるときに、ＵＥ２００６によって提供され得る。
【０１１６】
ＵＥ−ＳＥＲＶＩＣＥ−ＤＥＳＣＲＩＰＴＯＲは、ＵＥ能力プロファイルおよび／またはＵＥセッションプロファイルを含み得る。ＵＥ能力プロファイルのいくつかの例は、以下である。
●  ＵＥ２００６がウェブブラウジングアプリケーションを使用し、あるアップロードおよびダウンロード速度へのアクセスを有することを予期することを示す、「ウェブブラウジング」サービス記述子。
●  ＵＥ２００６がＳＭＳメッセージを送信するアプリケーションを使用することを予期することを示す、「ＳＭＳメッセージング」サービス記述子。サービス記述子は、ＵＥ２００６が単位時間あたりＸ個のメッセージを送信または受信することを可能にされることを示し得る。
●  例えば、多かれ少なかれ連続的基準で比較的高いデータレートを要求する、ビデオストリーミングアプリケーションによって使用されるであろう、「ビデオストリーミング」サービス記述子。
●  例えば、完全ＩＰスタックを要求しない、ホームオートメーションアプライアンスによって使用されるであろう、「非ＩＰデータ」サービス記述子。
●  例えば、工業オートメーションアプリケーションによって使用するための「超低遅延」サービス記述子。
●  例えば、低周波数短データバーストを生成するスマートメータによって使用するための「短データバースト」サービス記述子。
●  不可欠な用途、例えば、公共の安全または政府使用によって使用するための「重要通信」サービス記述子。
●  第三者提供サービス（例えば、通知サーバ、Ｍ２Ｍサーバ等）
●  スポンサ（例えば、サービスを後援するであろう第三者サービス）
【０１１７】
サービス記述子は、ＵＥ２００６がサービスにアクセスすることを可能にされる、または可能にされない時間を示し得る。
【０１１８】
サービス記述子は、ＵＥ２００６がサービスにアクセスすることを可能にされる、または可能にされない場所を示し得る。
【０１１９】
（ポリシ維持機能）
ポリシ維持機能（ＰＭＦ）２０５０は、５Ｇネットワークならびに第三者によって提供されるサービスに適用可能である、ポリシを記憶し、その読出を可能にする責任がある。ＰＭＦ２０５０は、施行措置を講じる前に、種々のネットワーク機能によってクエリを行われるであろう。ＰＭＦ２０５０は、例えば、ネットワークポリシまたは第三者ポリシの変更に応答して、サービスプロバイダによって更新されるであろう。
【０１２０】
ＰＭＦ２０５０は、アンダーレイネットワーク２００４内に存在する集中型エンティティであり得る。各ネットワークスライスは、ＰＭＦ２０５０へのフロントエンドとしての役割を果たすＮＦを有し得る。ＰＭＦフロントエンド（ＰＭＦ−ＦＥ）は、ポリシを読み出すためにスライス内の他のＮＦによって使用され得る。ＰＭＦ−ＦＥは、スライス内の他のＮＦに送信されるポリシをフィルタ処理し得る。フィルタ処理は、スライスの構成、スライスの能力、またはポリシを読み出しているＮＦの能力もしくは許可レベルに基づき得る。
【０１２１】
代替として、ＰＭＦ２０５０は、集中されず、代わりに、各スライス内のＮＦとして展開され得る、またはいくつかスライスを横断して共有され得る。各ネットワークスライスは、ＰＭＦ２０５０としての役割を果たすＮＦを有し得る。ＰＭＦ２０５０は、ポリシを読み出すためにスライス内の他のＮＦによって使用され得る。ＰＭＦ２０５０は、スライス内の他のＮＦに送信されるポリシをフィルタ処理し得る。フィルタ処理は、スライスの構成、スライスの能力、またはポリシを読み出しているＮＦの能力もしくは許可レベルに基づき得る。
【０１２２】
ＰＭＦ２０５０は、外部エンティティがＰＭＦ２０５０において新しいサービスをプロビジョニングすることを可能にする、インターフェースを提供し得る。本インターフェースは、ＩＲＦ２０５８を介して、またはＯ＆Ｍ方法を介してアクセス可能であり得る。
【０１２３】
（ポリシ施行機能）
ポリシ施行機能（ＰＥＦ）は、独立型機能として展開され得る、またはいくつかのＮＦを横断して分散され得る。換言すると、これは、多くの異なるＮＦによって講じられる措置と見なされ得る。例えば、分散型展開では、ＰＥＦは、進入および／または退出機能の一部となり、コアネットワークに進入／退出するフローにＱｏＳ制約を施行する責任があろう。ＰＥＦはまた、ＰＭＦ２０５０によって規定されるように、あるコンテンツをフィルタ処理することを要求する、ペアレンタルコントロール等の第三者サービスの一部であり得る。ＰＥＦは、ＩＲＦ２０５８の一部であり、アクセスされることを可能にされるＮＦまたはサービスに関連するポリシを施行し得る。したがって、分散型ＰＥＦ機能は、提供されているサービスに関して現在のポリシを取得するために、周期的に（またはあるイベントによってトリガされると）ＰＭＦ２０５０にクエリを行うであろう。
【０１２４】
（ＡＡＡ機能２０２８）
ＡＡＡ機能２０２８は、ＵＥの初期接続プロシージャ中に要求され得る。したがって、図２０Ａおよび２０Ｂに示されるように、これは、仮想化されない場合があり、アンダーレイネットワーク２００４の一部と見なされ得る。
【０１２５】
ＡＡＡサーバ２０２８は、ＵＥ２００６のための認証および認可情報を取得するために使用され得る。これはまた、他のエンティティ（例えば、ＲＩＦ２１０２）がＵＥサブスクリプション情報を取得し、ＵＥ２００６のための新しい一時識別子を取得し、新しい場所および状態情報でＵＥのサブスクリプション情報を更新するために、セキュアなインターフェースとして使用され得る。
【０１２６】
ＵＥ２００６は、ＲＡＴ（小型セル、アクセスポイント、ｅＮｏｄｅＢ、基地局等）を介して初期接続を確立し、ＡＡＡサービス２０２８を利用しようとすることができる。
【０１２７】
ＡＡＡサーバ機能２０２８もまた、仮想化され、類似機能性を提供するようにネットワークスライスの一部として含まれてもよい。５Ｇネットワークアーキテクチャ２０００では、これらのタイプの機能は、ＳＳＦ２０６０によってスライス内で提供される。
【０１２８】
ＵＥ２００６がＡＡＡサーバ２０２８を用いて正常に認証するとき、ＡＡＡサーバ２０２８は、ＲＩＦ２１０２への成功した認証応答の中に表４からの情報等のＵＥサブスクリプション情報を含み得る。
【０１２９】
ＡＡＡ機能２０２８は、ＵＤＲ機能２０３２と統合され得る。
【０１３０】
（ＲＡＴインターフェース機能（ＲＩＦ）２１０２）
コアネットワークは、コアネットワークにアクセスするために使用されているＲＡＴに依存しない、インターフェースをエクスポーズする。ＲＡＴインターフェース機能（ＲＩＦ）２１０２は、コアネットワークとコアネットワークにアクセスするために使用されるＲＡＴとの間でインターフェースをとるために使用される。図２１は、モバイルコアネットワークおよび各ＲＡＴに関連付けられるネットワークに対するＲＡＴインターフェース機能２１０２の設置を示す。本アーキテクチャでは、ＲＩＦ２１０２は、コアネットワーク機能と見なされないが、しかしながら、それがコアネットワークに比較的近く設置され、コアネットワーク機能と見なされ得る、またはＣＮＥＰ等のコアネットワーク機能と統合もしくは共同設置され得る方法を理解することができる。
【０１３１】
図２１に図示される機能性は、以下で説明される図３６−３７に図示されるもののうちの１つ等の無線デバイスまたは他の装置（例えば、サーバ、ゲートウェイ、デバイス、もしくは他のコンピュータシステム）のメモリ内に記憶され、そのプロセッサ上で実行する、ソフトウェア（すなわち、コンピュータ実行可能命令）の形態で実装され得ることが理解される。また、図２１に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。
【０１３２】
ＲＡＴは、概して、３つのカテゴリに分類されることができる。
●  ３ＧＰＰ定義ＲＡＴ
●  ３ＧＰＰ適合ＲＡＴ−３ＧＰＰ適合ＲＡＴは、３ＧＰＰによって定義されていないＲＡＴであるが、３ＧＰＰは、これらのＲＡＴを３ＧＰＰコアネットワークとインターワークさせるプロシージャを定義している。４Ｇでは、これらのＲＡＴは、非３ＧＰＰ  ＲＡＴと呼ばれ、非３ＧＰＰ  ＲＡＴの例は、Ｗｉ−ＦｉおよびＣＤＭＡ２０００である。
●  異質ＲＡＴ−異質ＲＡＴは、３ＧＰＰがインターワーキングプロシージャを定義していないＲＡＴである。しかしながら、カスタマイズされた、または実装特有の無線インターフェースモジュールが、これらのＲＡＴをコアネットワークとインターワークさせるように設計され得る。
【０１３３】
ＲＩＦ２１０２は、１つ以上のネットワークをコアネットワークに接続することができ、各ネットワークは、異なるまたは同一のＲＡＴに関連付けられ得ることに留意されたい。ＲＩＦ２１０２は、各ネットワークのアクセスポイント（すなわち、基地局またはｅＮｏｄｅＢ）とインターフェースをとる。
【０１３４】
ＲＩＦ２１０２は、コアネットワークエントリポイント（ＣＮＥＰ）２０１０を通してコアネットワーク機能にアクセスするであろう。ＲＩＦ２１０２は、例えば、ＲＡＴを選択し、アンダーレイネットワークに接続する際にＵＥ２００６を支援するように、ＲＡＮによってブロードキャスト／アドバタイズされ得る、任意のコアネットワーク情報をＲＡＮに提供するであろう。
【０１３５】
ＲＩＦ２１０２は、表５に列挙されるプロシージャをサポートする。
【表５】
2020191667.tif 000009
【０１３６】
（ＲＡＴブロードキャスト／アドバタイズメント）
初期接続プロシージャに先立って、ＵＥ２００６は、ブロードキャストされる情報を受信する。ブロードキャストの中の情報は、コアネットワークまたはネットワークスライスとの接続を確立するため、かつ所望のサービスを取得するために、ＲＡＴがＵＥ２００６によって使用され得ることを決定するために、ＵＥ２００６によって使用される。ＲＩＦ２１０２は、ブロードキャストされる情報を下層ＲＡＴに提供するであろう。
【０１３７】
以下の情報が、ブロードキャストの中に含まれてもよい。
●  ＲＡＴを介して到達されることができるＲＩＦ２１０２毎に：
○  ＲＡＴインターフェース識別子：ＲＩＦ  ＩＤ（接続のためにＵＥによって参照され得る一意の識別子）
○  ＲＩＦ２１０２に関連付けられるネットワークオペレータの識別：ＰＬＭＮ  ＩＤまたはＭＮＯ  ＩＤ
○  サービングＳＩＳＦのアドレス：ＳＩＳＦのＩＤ、ＩＰアドレス、またはＦＱＤＮ
○  サービングＣＮＥＰのアドレス：ＣＮＥＰのＩＤ、ＩＰアドレス、またはＦＱＤＮ
○  サービスＩＤ−本ＲＡＴまたはＲＩＦ２１０２を介して到達されることができるサービスの識別子もしくは名称。これらのサービスＩＤは、具体的タイプのサービスプロファイルにマップし得る。
○  ＲＡＴタイプ（例えば、低モビリティのみ、低データレートのみ等）
○  共同設置ＲＡＴ情報（該当する場合）
【０１３８】
単一のＡＰ／基地局が、ＵＥによって要求され得る複数のＲＩＦ／ＲＡＴについての情報をブロードキャストし得る。例えば、ＡＰ／基地局は、複数のＲＩＦ識別子をブロードキャストすることができ、上記で列挙される情報の別個のセットが、各識別子に関連付けられ得る。
【０１３９】
ＵＥ２００６は、ユーザが上記の情報のうちのいずれかを入力することを可能にする、ＧＵＩまたはＡＰＩを提供し得る。情報は、次いで、ＵＥ２００６がＲＡＮを接続すべきかどうかを決定するためにＵＥ２００６によって基準として使用されるであろう。加えて、オペレーティングシステムは、インストールされたアプリケーションのプロファイルを維持し、要求されるＲＡＴタイプに直接マップするか、またはアプリケーション要件を満たすために必要とされるＲＡＴタイプに対する制約を提供するかのいずれかである、プロファイル情報を提供し得る。オペレーティングシステムは、アンダーレイネットワークに伝送するためにプロファイルをモデムに提供し得る。モデムは、ＡＰＩをエクスポーズし、本オペレーティングシステムがプロファイルをモデムに提供することを可能にし得る。
【０１４０】
（Ｉｎｉｔｉａｌ−Ｃｏｎｎｅｃｔｉｏｎ）
初期接続プロシージャは、ＵＥ２００６がコアネットワークに初期接続を行おうとしているときに、ＲＩＦ２１０２とＵＥ２００６との間で実行される。
【０１４１】
Ｉｎｉｔｉａｌ−Ｃｏｎｎｅｃｔｉｏｎ−Ｒｅｑメッセージは、ＵＥ２００６によってＲＩＦ２１０２に送信される。要求は、以下の情報を含む。
●  ＵＥ−Ｔ−ＩＤ：ＲＩＦ２１０２がＨＰＬＭ−ＩＤまたはＭＮＯ−ＩＤを解決し得る一時識別子。本識別子のフォーマットは、一時ＩＭＳＩ等の２進値であり得る、または本識別子のフォーマットは、ＵＲＩであることができる。例示的ＵＲＩは、ａｌｐｈａ−ｎｕｍｅｒｉｃ−ｓｔｒｉｎｇ＠ｎｅｔｗｏｒｋ−ｏｐｅｒａｔｏｒ−ｉｄｅｎｔｉｆｅｒ．ｎｅｔであり得る。ネットワークオペレータを識別する識別子の部分は、モバイルネットワークコード（ＭＮＣ）およびモバイル国コード（ＭＣＣ）を含み得る。
●  ＵＥ−ＡＡＡ−ＳＥＲＶＥＲ−ＰＯＣ：ＵＥを認可および認証するために使用されることができる、ＡＡＡサーバ２０２８のポイントオブコンタクト、識別、またはアドレス。本値がＵＥによって提供されない場合、ＲＡＮは、ＵＥ−Ｔ−ＩＤからそれを導出し得る。例えば、ＲＩＦ２１０２は、ＵＥ−Ｔ−ＩＤについてＤＮＳ検索を実施し、ポイントオブコンタクトを得てもよい、またはＲＩＦ２１０２は、ＵＥ−Ｔ−ＩＤが特定のオペレータに関連付けられることを認識し、そのオペレータのための事前プロビジョニングされたポイントオブコンタクトを有し得る。
●  ＵＥ−ＤＥＶＩＣＥ−ＴＹＰＥ（これは、恒久サブスクリプションデータとしてＵＥのサブスクリプション情報の一部であり得る、またはＵＥによって提供され得る。ＵＥ２００６によって提供された場合、これは、一時サブスクリプションデータとしてＵＥのサブスクリプションデータに追加され得る。）
●  ＵＥ−ＳＩＳＦ−ＩＤ（これは、恒久サブスクリプションデータとしてＵＥのサブスクリプション情報の一部であり得る、またはＵＥ２００６によって提供され得る。ＵＥ２００６によって提供された場合、これは、一時サブスクリプションデータとしてＵＥのサブスクリプションデータに追加され得る。）
●  ＵＥ−ＳＬＩＣＥ−ＤＥＳＣＲＩＰＴＯＲＳ（これは、恒久サブスクリプションデータとしてＵＥのサブスクリプション情報の一部であり得る、またはＵＥによって提供され得る。ＵＥ２００６によって提供された場合、これは、一時サブスクリプションデータとしてＵＥのサブスクリプションデータに追加され得る。）
●  ＵＥ−ＳＥＲＶＩＣＥ−ＤＥＳＣＲＩＰＴＯＲＳ（これは、恒久サブスクリプションデータとしてＵＥのサブスクリプション情報の一部であり得る、またはＵＥによって提供され得る。ＵＥ２００６によって提供された場合、これは、一時サブスクリプションデータとしてＵＥのサブスクリプションデータに追加され得る。）
●  ＨＡＮＤＯＶＥＲ−ＦＬＡＧ−これは、ＵＥ２００６が別のアクセスポイントまたは別のＲＩＦ２１０２を介してコアネットワークにすでに接続されているというＵＥ２００６からの指示である。本指示がＵＥによって設定される、またはＵＥによって提供されるとき、これは、ＲＩＦ２１０２がＵＥを認証および認可し、ＳＳＩＦからのＵＥ２００６から関連サブスクリプション情報を取得し、それが現在接続されているコアネットワークおよびネットワークスライスとのＵＥの接続を維持するはずであるという指示である。
●  ＲＩＦ−ＩＤ−本識別子は、ブロードキャスト情報に基づいて、ＵＥ２００６が具体的ＲＩＦ２１０２を一意に参照することを可能にする。これは、たとえブロードキャスト情報が異なるＲＡＴを介して提供されている場合があっても、ＵＥ２００６が特定のＲＡＴへの初期接続を要求することを可能にする。
【０１４２】
Ｉｎｉｔｉａｌ−Ｃｏｎｎｅｃｔｉｏｎ−Ｒｅｓｐメッセージは、ＲＩＦ２１０２によってＵＥ２に送信される。要求は、以下の情報を含む。
●  接続が許可されるかどうかの指示。
●  全ての要求されるサービスまたはスライスへの接続が提供されることができるかどうかの指示。
●  ＵＥ−Ｔ−ＩＤ−ＮＥＷ−新しい一時識別子。本識別子が提供される場合には、前のＵＥ−Ｔ−ＩＤは、無効と見なされるべき。
●  ＵＥ−ＳＥＲＶＩＣＥ−ＤＥＳＣＲＩＰＴＯＲＳ（これは、恒久サブスクリプションデータとしてＵＥのサブスクリプション情報の一部であり得る、またはＵＥによって提供され得る。ＵＥ２００６によって提供された場合、これは、一時サブスクリプションデータとしてＵＥのサブスクリプションデータに追加され得る。）
【０１４３】
（コアネットワークから認証および認可ベクトルを取得する）
このプロシージャは、コアネットワークへの接続を確立しようとしているＵＥ２００６のための認証および認可情報を取得するために、ＲＩＦ２１０２とＡＡＡサーバ２０２８との間で使用される。ＡＡＡサーバ２０２８は、ＵＥ２００６が接続を確立しようとしているコアネットワークの中に常駐する。ＲＩＦ２１０２は、ＵＥのＨＰＬＭＮ内のＡＡＡサーバ２０２８にコンタクトする方法を決定するために、ＵＥのＵＥ−Ｔ−ＩＤを使用する。例えば、ＵＥ−Ｔ−ＩＤについてのＤＮＳ検索は、ＡＡＡサーバ２０２８アドレス、ＨＰＬＭＮ、またはＣＮＥＰ２０２０アドレスを解決し得る。代替として、ＵＥ２００６は、Ｉｎｉｔｉａｌ−Ｃｏｎｎｅｃｔｉｏｎ−Ｒｅｑメッセージの中でネットワークオペレータ、ＨＰＬＭＮ、ＣＮＥＰ、またはＡＡＡサーバＩＤを明示的に提供している場合がある。ＡＡＡサーバ２０２８にコンタクトする代わりに、ポイントオブコンタクトは、ＨＳＳ、ＨＬＲ、またはＵＤＲ２０３２等のサブスクライバデータベースであり得る。
【０１４４】
ＲＩＦ２１０２は、ＡＡ−Ｖｅｃｔｏｒ−ＲｅｑメッセージをＡＡＡサーバ２０２８に送信する。メッセージは、ＵＥ−Ｔ−ＩＤを含む。
【０１４５】
ＡＡＡサーバ２０２８は、ＡＡ−Ｖｅｃｔｏｒ−ＲｅｓｐメッセージでＲＩＦ２１０２に応答する。成功した応答は、ＡＡＡサーバ２０２８が、ＵＥ−Ｔ−ＩＤに関連付けられるＵＥ２００６がＲＡＴへの接続を確立することを可能にされるべきことを認識するというＲＩＦ２１０２への指示である。本応答は、以下の情報を含み得る。
●  ＵＥを認証するために使用されることができる、１つ以上のチャレンジベクトル。ＡＫＡプロシージャは、ＥＰＳで定義されるものに類似し得るが、異なるエンティティおよび関係のために要求に応じて、潜在的に異なるキー導出を伴う。ＡＫＡ機構は、ユニバーサルモバイル電気通信システム（ＵＭＴＳ）ネットワーク内で認証およびセッションキー配布を実施する。ＡＫＡは、対称暗号化を使用する、チャレンジ応答ベースの機構である。ＡＫＡは、典型的には、共有秘密の不正使用防止記憶装置も提供する、スマートカード様デバイス上に常駐するサブスクライバモジュール（例えば、ＵＳＩＭ）の中で起動される。
●  １つ以上のトークンが、ネットワーク認証を実施するためにＵＥ２００６によって使用され得る。
【０１４６】
（ＵＥ認証）
ＵＥ２００６がＲＩＦ２１０２への接続を確立するとき、ＲＩＦ２１０２は、ＵＥを認証する。ＵＥ２００６が１つのＲＡＴから別のＲＡＴまで、または１つのＡＰ／基地局から別のＡＰ／基地局まで移動するとき、ＵＥ２００６は、ＲＩＦ２１０２が変化しない場合に必ずしも再認証する必要はない。
【０１４７】
本認証プロセス中に、ＲＩＦ２１０２は、チャレンジメッセージをＵＥ２００６に送信し、ＵＥ２００６が予期される応答を提供することをチェックするであろう。予期される応答が提供される場合、ＵＥ２００６は、認証されると仮定される。本節は、ＲＩＦ２１０２とＵＥとの間で交換されるチャレンジおよび応答メッセージを説明する。
【０１４８】
ＲＩＦ２１０２は、Ａｕｔｈ−Ｃｈａｌｌｅｎｇｅ−ＲｅｑメッセージをＵＥに送信する。認証チャレンジメッセージは、ＡＡＡサーバ２０２８によって提供されたチャレンジベクトルのうちの１つ以上のものを含む。メッセージはまた、以下の情報を含み得る。
●  一時識別子が認識されない、または一時識別子が盗難デバイスに関連付けられるという指示。これは、ＵＥのプラットフォームに、「本デバイスの識別がネットワークによって認識されません。サービスプロバイダにコンタクトし、識別を取得してください」等のメッセージを表示させ得る。ＵＥ２００６はさらに、ユーザが新しい一時識別を入力し、「接続する」オプションを選択することを可能にする、ＧＵＩを提供し得る。「接続する」オプションを選択することは、ＵＥ２００６に、ネットワークに再び接続し、新しいＩｎｉｔｉａｌ−Ｃｏｎｎｅｃｔｉｏｎ要求を開始しようとさせるであろう。
【０１４９】
ＵＥ２００６は、Ａｕｔｈ−Ｃｈａｌｌｅｎｇｅ−ＲｅｓｐメッセージをＲＡＮに送信する。本チャレンジ応答は、Ａｕｔｈ−Ｃｈａｌｌｅｎｇｅ−Ｒｅｑメッセージの中で提供されたチャレンジベクトルおよびＵＥのプライベート識別に基づく。
【０１５０】
（コアネットワークを用いて認証および認可ベクトルをチェックする）
このプロシージャは、ＵＥの認証応答をチェックするためにＲＩＦ２１０２とＡＡＡサーバ２０２８との間で使用される。ＲＩＦ２１０２は、ＵＥの応答をＡＡＡサーバ２０２８に転送し、ＡＡＡサーバ２０２８は、応答が正しいかどうか、およびＵＥ２００６が認証されると見なされ得るかどうかの指示で応答する。
【０１５１】
ＲＩＦ２１０２は、ＡＡ−Ｃｈａｌｌｅｎｇｅ−Ｃｈｅｃｋ−ＲｅｑメッセージをＡＡＡサーバ２０２８に送信する。このメッセージは、ＵＥ２００６からＡＡＡサーバ２０２８にチャレンジ応答を転送するために使用される。このメッセージはまた、以下の情報を含み得る。
●  Ａｕｔｈ−Ｃｈａｌｌｅｎｇｅ−Ｒｅｑの中でＵＥ２００６に送信されたチャレンジベクトル
●  ＵＥに関連付けられるＵＥ−Ｔ−ＩＤ
【０１５２】
ＡＡＡサーバは、応答が適切であり、ＵＥ−Ｔ−ＩＤに関連付けられるＵＥ２００６によって提供されたことを確認するために、チャレンジベクトル、ＵＥ−Ｔ−ＩＤ、およびＵＥのチャレンジ応答を使用する。ＡＡＡサーバ２０２８は、認証が成功したかどうかの指示を含む、ＡＡ−Ｃｈａｌｌｅｎｇｅ−Ｃｈｅｃｋ−Ｒｅｓｐメッセージで応答する。ＵＥ２００６がここで認証されているため、ＡＡＡサーバ２０２８は、ＵＥ２００６に関連するサブスクリプション情報をＲＩＦ２１０２に送信することを選定し得る。例えば、応答は、以下の情報を含み得る。
●  ＵＥ−Ｔ−ＩＤおよびＵＥ−Ｔ−ＩＤ−ＮＥＷ。認証が成功した場合には、ＡＡＡサーバ２０２８は、新しいＵＥ−Ｔ−ＩＤ、すなわち、ＵＥに割り当てられるはずであるＵＥ−Ｔ−ＩＤ−ＮＥＷを提供し得る。オリジナルＵＥ−Ｔ−ＩＤは、ここで無効と見なされ得る。
●  ＵＥ−ＤＥＶＩＣＥ−ＴＹＰＥ
●  ＵＥ−ＳＩＳＦ−ＩＤ
●  ＵＥ−ＳＬＩＣＥ−ＤＥＳＣＲＩＰＴＯＲＳ
●  ＵＥ−ＳＥＲＶＩＣＥ−ＤＥＳＣＲＩＰＴＯＲＳ
●  ＣＯＮＮＥＣＴＩＯＮ−ＲＥＦＥＲＥＮＣＥ−ＩＤ
●  ＣＨＡＲＧＩＮＧ−ＲＥＦＥＲＥＮＣＥ−ＩＤ
【０１５３】
（スライスインスタンス選択機能（ＳＩＳＦ））
ＳＩＳＦ２０２４は、以下の機能性を有する。
１）例えば、ＵＥ２００６が最初にコアネットワークに接続するとき、またはＵＥサービスプロファイル変更もしくはＵＥ場所があるときに、スライスインスタンスをＵＥに配分する、またはＵＥに割り当てられたネットワークスライスインスタンスのセット内で追加／削除／修正を実施する。
２）ＵＥ２００６を選択されたネットワークスライスインスタンスに接続し、ＵＥのための必要とされるＮＦを構成／設定するようにセッション管理機能に通知する。これは、ＵＥ２００６からの新しいスライス要求の結果としてあり得る。
３）ＳＩＭＦ２０２６からの入力に基づいて、ネットワークスライスインスタンス配分を変更する。
４）ネットワークスライスインスタンスニーズ／使用法をスライスインスタンス管理機能（ＳＩＭＦ）２０２６に報告する。
５）コンテキスト変更（例えば、ＵＥ場所変更）を監視し、それに応答する。
６）ネットワーク開始型接続要求を管理する。
７）トラフィックを適切なネットワークスライスインスタンスにルーティングするためにＣＮＥＰ２０２０を構成する。
【０１５４】
いくつかのアクションが、上記の機能性のうちの１つ以上のものをトリガするであろう。これらは、以下の節で説明される。
【０１５５】
ＳＩＳＦ２０２４は、特定のサービスまたはサービスのセットのためにＵＥ２００６に割り当てられるスライスＩＤを提供する。ＳＩＳＦがネットワークスライスを選択するため、これはまた、ネットワークスライス選択機能（ＮＳＳＦ）と呼ばれ得る。ＳＩＳＦがネットワークスライスのリストまたはリポジトリからネットワークスライスを選択するため、これはまた、ネットワークスライスリポジトリ機能（ＮＳＲＦ）と呼ばれ得る。ＳＩＳＦ２０２４は、加えて、スライスのための構成を提供し得る。例えば、２つのＵＥは、同一のスライスにアクセスし、サービスを取得し得る。しかしながら、スライスは、ＵＥ毎に異なる方法で構成され得る。構成は、各ＵＥ２００６からのトラフィックを処理するスライスおよびＮＦが各ＵＥからのトラフィックを処理する順序を伴う具体的ＮＦを指し得る。現在、ネットワークスライスとネットワークスライスインスタンスとの間に区別はない。しかしながら、本タイプの実装では、ネットワークスライスとネットワークスライスインスタンスとの間の区別は、ネットワークスライスが展開されたＮＦの具体的セットを指す一方で、ネットワークスライスインスタンスがサービスを提供するスライス内のＮＦの具体的チェイニングまたは順序付けを指すことであり得る。
【０１５６】
（アンダーレイネットワーク２００４に接続する新しいＵＥ２００６に基づいて、ネットワークスライスインスタンスを配分する）
ＵＥを認証および認可した後、ＲＩＦ２１０２は、ＳＩＳＦ２０２４にクエリを行い、ＵＥ２００６が接続し得るネットワークスライスインスタンスを決定するであろう。ＳＩＳＦ２０２４にクエリを行うために使用されるメッセージは、ＳＩＳＦ−Ｒｅｑと呼ばれ得る。クエリは、以下の情報に基づき得る。
●  ＵＥ−ＳＬＩＣＥ−ＤＥＳＣＲＩＰＴＯＲＳ−１つ以上のスライス記述子は、ＵＥに関連付けられ得る。スライス記述子は、単純に、スライスの要件を記述し得る。スライス記述子はまた、スライステンプレートと呼ばれ得る。
●  ＵＥ−ＳＥＲＶＩＣＥ−ＤＥＳＣＲＩＰＴＯＲＳ−１つ以上のサービス記述子は、ＵＥに関連付けられ得る。サービス記述子は、ＵＥ２００６がアクセスすることを予期するサービスのタイプを記述する。
●  ＵＥ−ＤＥＶＩＣＥ−ＴＹＰＥ−デバイスタイプは、ＵＥ２００６が使用されるであろう一般的様式を記述し得る。例えば、ＭＴＣデバイスタイプは、ＵＥ２００６が低いデータレートのみを要求することを含意し得る。デバイスタイプは、ＵＥ２００６がある数またはタイプのネットワークスライスインスタンスにアクセスすることに限定されることを示し得る。デバイスタイプは、それが緊急サービスに使用され、緊急事態中に無効にされることの低い確率を有するスライスに割り当てられるはずであることを示し得る。
●  ＬＯＣＡＴＩＯＮ−ＩＮＦＯＲＭＡＴＩＯＮ−割り当てられたスライスは、ＵＥの場所に依存し得る。例えば、あるエリア（すなわち、学校）内のＵＥは、あるコンテンツを視聴しないように制約され得る、またはあるコンテンツは、あるエリア（すなわち、競技場もしくはライブイベント）内のＵＥに限定され得る。ＵＥの場所はまた、ＳＩＳＦ２０２４が、例えば、低遅延拡張現実アプリケーションを促進するように、ＵＥ２００６に地理的に近い計算リソースを伴うスライスを割り当てることを所望し得るという意味で、スライス選択に影響を及ぼし得る。ＵＥの場所は、ＵＥ２００６自体によって（すなわち、ＧＰＳフォーマットで）提供され得る、または場所は、ＵＥ２００６が接続している無線局の識別によって推測され得る。したがって、ＬＯＣＡＴＩＯＮ−ＩＮＦＯＲＭＡＴＩＯＮは、ＵＥ２００６が接続されるＲＡＴ／ＲＡＮまたは無線局の識別であり得る。
●  ＵＥ−ＨＰＬＭＮ−ＩＤ−ＵＥのホームネットワーク識別子は、ＵＥ２００６が接続するように告げられるはずであるスライスを決定するために使用され得る。例えば、ＳＩＳＦ２０２４は、それが各オペレータと結ぶローミング合意に応じて、異なるスライスを割り当ててもよい。
●  ＵＥ−ＩＤ−ＵＥ−ＩＤは、クエリに関連付けられる特定のＵＥ２００６を識別する。
●  ＲＡＴ−ＴＹＰＥ−ＩＮＤＩＣＡＴＯＲ−ＲＩＦ２１０２がインターフェースをとっているＲＡＴのタイプを示す。これは、ＲＡＴによって提供されるサービスのタイプを示し得る。例えば、ＲＡＴ−ＴＹＰＥ−ＩＮＤＩＣＡＴＯＲは、ＲＩＦ２１０２が、拡張型モバイルブロードバンドではなく、ＩｏＴアプリケーションのために好適であろう、低スループット、低モビリティＲＡＴとインターフェースをとることを示し得る。これは、本ＲＡＴを介してネットワークにアクセスするＵＥのために選択されるべきスライスインスタンスについての追加の情報をＳＩＳＦ２０２４に提供するであろう。ＲＡＴが本インジケータを提供しない場合、ＳＩＳＦ２０２４は、具体的ＲＡＴタイプのために最適化されるサブセットではなく、全ての利用可能なスライスインスタンスから選択を行うことができる。ＲＡＴ−ＴＹＰＥ−ＩＮＤＩＣＡＴＯＲは、Ｒａｔタイプと一致するはずである。●  第三者サービス合意−例えば、ＵＥのサブスクリプション情報は、第三者がその接続を後援するであろうことを示す情報を伴って、すでに構成されていてもよい。
【０１５７】
上記の情報がＲＩＦ２１０２を通してＲＡＴによってＳＩＳＦ２０２４に提供されるとき、ＲＡＴは、例えば、ＵＥ２００６がその初期接続または認証／認可要求を行ったときに、ＵＥ２００６自体からあるフィールドを取得している場合がある。ＲＡＴ（もしくはＲＩＦ２１０２）はまた、サブスクライバデータベースからあるフィールドを取得している場合がある、例えば、ＵＥのホームネットワークオペレータは、ＵＥ２００６が認証および認可されると、情報をＲＡＴ（もしくはＲＩＦ２１０２）に提供している場合がある、またはＲＡＴ（もしくはＲＩＦ２１０２）は、ＵＥ２００６が認証および認可された後に、情報に関してＵＥのホームネットワークオペレータにクエリを行っている場合がある。
【０１５８】
ＳＩＳＦ２０２４は、ＲＡＴの中に位置し得る、またはＲＡＴから遠隔であるが、ＶＰＬＭＮの中に位置し得る（すなわち、ＲＡＴの同一の所有者によって所有される）。ＳＩＳＦ２０２４は、以下に列挙される情報でＲＡＴのクエリに応答し得る、またはＳＩＳＦ２０２４は、代わりにクエリを行われるはずである、別の遠隔に位置するＳＩＳＦ２０２４の識別でＲＡＴ（もしくはＲＩＦ２１０２）に応答し得る。例えば、ＳＩＳＦ２０２４は、ＵＥの識別に基づいて、ＵＥのホームネットワーク内のＳＩＳＦ２０２４がクエリを行われるはずであることを決定し得る。本タイプのシナリオでは、ＲＡＴ（またはＲＩＦ２１０２）の中の機能は、「ＳＩＳＦ解決機能」であってもよく、ＳＩＳＦ２０２４は、ＵＥのホームネットワーク内にあり得る。代替として、ＲＡＴ（またはＲＩＦ２１０２）の中のＳＩＳＦは、適切なＳＩＳＦ機能を解決し、ＲＡＴと適切なＳＩＳＦ機能との間のプロキシとしての役割を果たし得る。ＳＩＳＦ２０２４はまた、ＲＡＴインターフェース機能の中に常駐し得る。
【０１５９】
ＳＩＳＦ２０２４は、ＵＥのホームネットワークの中に位置し得る。ＵＥの識別子は、適切なＳＩＳＦの場所を特定するためにＲＡＮによって使用され得る。例えば、ＵＥの識別は、ＵＥのホームネットワークオペレータを識別し得、ＲＡＮ（もしくはＲＩＦ２１０２）は、ホームネットワーク識別子を使用し、ＳＩＳＦアドレスを調べてもよい、またはＵＥの識別子についてのＤＮＳクエリは、ＳＩＳＦ識別を解決し得る。非３ＧＰＰ  ＲＡＴに関して、ＳＩＳＦ２０２４は、ＲＡＴインターフェース機能と共同設置されるであろうか、またはＵＬＮ２００４内に存在するであろうかのいずれかである。非３ＧＰＰ  ＲＡＴに関して、ＳＩＳＦ２０２４がそれ自体をＵＥ２００６に提示し得る１つの方法は、ＤＨＣＰサーバとしてである。
【０１６０】
ＳＩＳＦ２０２４からの応答メッセージは、ＳＩＳＦ−Ｒｅｓｐと呼ばれ得る。応答は、以下の情報を含み得る。
●  配分されたネットワークスライスインスタンス識別および関連付けられるスライス記述のリスト。各識別は、以下の情報を含み得る。
○  ＮＳＩ−ＩＤ：ネットワークスライスインスタンス識別子
○  スライスによってサポートされる通信タイプ（例えば、ＳＭＳ、ＩＰ、非ＩＰ）
○  ＩＰＯＣ−初期ポイントオブコンタクト。これは、ＤＨＣＰサーバであり得る。
○    ＵＥ−ＳＬＩＣＥ−ＤＥＳＣＲＩＰＴＯＲ−ＩＮＤＥＸ−クエリメッセージの中で提供された、関連付けられるＵＥ−ＳＬＩＣＥ−ＤＥＳＣＲＩＰＴＯＲまたはＵＥ−ＳＥＲＶＩＣＥ−ＤＥＳＣＲＩＰＴＯＲＳ。代替として、これは、クエリからのスライスまたはサービス記述に関連付けられるインデックスであることができる。例えば、３の値は、本スライスがクエリの中に記述された第三者サービスまたはスライスによって要求されるサービスもしくは機能性を履行するであろうことを示し得る。
○  ネットワークスライス記述またはテンプレートのリスト（ＳＬＩＣＥ＿ＤＥＳＣＲＩＰＴＯＲと称される）。各記述またはテンプレートは、所望のインスタンスを動的にインスタンス化するために使用され得る、以下の情報を含み得る。
・  提供されるサービス：スライスによって提供されるサービスのタイプの指示。例えば、重要通信、大量ＩｏＴ、拡張型モバイルブロードバンド等。
・待ち時間：これは、スライスに関連付けられる待ち時間の指示を含む。例えば、初期接続、ハンドオーバ等のための典型的制御プレーン待ち時間、および典型的ユーザプレーン待ち時間。
・提供される付加価値サービス：スライスによって提供される付加価値サービスのリスト。例えば、ペアレンタルコントロール、ユーザプレーンコンテンツのキャッシング等。
・  モビリティサポート：スライスがサポートするモビリティのタイプの指示。いくつかのスライスは、いかなるモビリティもサポートしない。例えば、モビリティをサポートしないスライスに関連付けられるＵＥ２００６は、コアネットワークによって追跡されないであろう。
○  ＵＥ−ＳＬＩＣＥ−ＡＶＡＩＬＩＢＩＬＩＴＹ−スライスがこのＵＥに利用可能であるときの時間（または時間のリスト）。これは、初期接続時間をＵＥに示すために使用され得る。これはまた、スライスの間のＵＥ２００６による自動切り替えを作成するように、複数のスライスが同一のＵＥ２００６に割り当てられるときに使用され得る。
【０１６１】
ＳＩＳＦ２０２４は、「コアネットワーク機能」と見なされ得、したがって、仮想化されない場合がある。いくつかの機能は、接続プロシージャが開始する前にＵＥ２００６が接続するためのスライスを選択しなければならないため、ＳＩＳＦ２０２４は、ＵＥ２００６がスライスに接続することに先立ってアクセスされる必要があり得る。ＵＥ２００６がスライスに接続されると、ＵＥ２００６に関連付けられる全てのスライスは、ＳＩＳＦとインターフェースをとってもよい。ネットワークスライスは、ＳＩＳＦフロントエンド（ＳＩＳＦ−ＦＥ）ＮＦを介してＳＩＳＦ２０２４とインターフェースをとってもよい。
【０１６２】
ＳＬＩＣＥ＿ＤＥＳＣＲＩＰＴＯＲおよびＲＡＴ−ＴＹＰＥ−ＩＮＤＩＣＡＴＯＲの組み合わせは、ネットワーク退出を通してＲＡＴから提供されることができる、サービスの特性をＳＩＳＦ２０２４に提供するであろう。ＳＩＳＦ２０２４は、したがって、ユーザのサービスプロファイルのために必要なサービスが、いかなるライスインスタンスによっても満たされることができないと決定し得、したがって、ユーザが代替的ＲＡＴを探し求めることを推奨し得る。本推奨は、ＯＭＡデバイス管理ＡＰＩを介してＵＥ２００６にシグナリングされ得、異なるＲＡＴのためのサポートをそれらのサブスクリプションに追加することを所望し得ることを示す、ユーザインターフェースメッセージをユーザに表示するようにＵＥ２００６をトリガし得る。デバイス管理シグナリングは、ＵＥに割り当てられた代替的スライスインスタンス、デフォルトスライスインスタンスを経由して、またはアンダーレイネットワーク２００４を介して、搬送され得る。
【０１６３】
（ＵＥプロファイル変更に基づいて、配分されたネットワークスライスインスタンス割り当てを修正する）
ＵＥ２００６がその能力またはセッションプロファイルを変更する場合、ＳＩＳＦ２０２４は、新しいネットワークスライスインスタンスをＵＥに配分し得るように知らされる。ＲＩＦ２１０２は、ＳＳ＿Ｐｒｏｆｉｌｅ＿Ｃｈａｎｇｅ＿ＲｅｑをＳＩＳＦ２０２４に送信し得る。クエリは、以下の情報を含み得る。
●  ＵＥ−ＩＤ−ＵＥ−ＩＤは、クエリに関連付けられる特定のＵＥ２００６を識別する。
●  ＵＥ−ＳＬＩＣＥ−ＤＥＳＣＲＩＰＴＯＲＳ−１つ以上のスライス記述子は、ＵＥに関連付けられ得る。スライス記述子は、単純に、スライスの要件を記述し得る。スライス記述子はまた、スライステンプレートと呼ばれ得る。
●  ＵＥ−ＳＥＲＶＩＣＥ−ＤＥＳＣＲＩＰＴＯＲＳ−１つ以上のサービス記述子は、ＵＥに関連付けられ得る。サービス記述子は、ＵＥ２００６がアクセスすることを予期するサービスのタイプを記述する。
●  ＲＡＴ−ＴＹＰＥ−ＩＮＤＩＣＡＴＯＲ−ＲＩＦ２１０２がインターフェースをとっているＲＡＴのタイプを示す。
【０１６４】
プロファイル変更に応答して、ＳＩＳＦ２０２４は、ＳＩＳＦ−Ｒｅｓｐメッセージの中で列挙されたパラメータと、以下に列挙されるパラメータとを含み得る、ＳＳ＿Ｐｒｏｆｉｌｅ＿Ｃｈａｎｇｅ＿Ｒｅｓｐを通して、ＵＥ２００６に配分されるネットワークスライスインスタンスを変更し得る。
●  配分されたネットワークスライスインスタンス識別および関連付けられるスライス記述のリスト。
●  これらのネットワークスライスインスタンス識別毎のＳＬＩＣＥ＿ＤＥＳＣＲＩＰＴＯＲ。これは、ネットワークスライス記述またはテンプレートを含む。各記述またはテンプレートは、所望のインスタンスを動的にインスタンス化するために使用され得る、以下の情報を含み得る。
●  ＲＡＴ−ＴＹＰＥ−ＩＮＤＩＣＡＴＯＲ−ＲＩＦ２１０２がインターフェースをとっているＲＡＴのタイプを示す。
【０１６５】
再び、ＳＩＳＦ２０２４は、ユーザのサービスプロファイルのために必要なサービスが、現在使用されているＲＡＴを介して、いかなるライスインスタンスによっても満たされることができないと決定し得、したがって、ユーザが代替的ＲＡＴを探し求めることを推奨し得る。
【０１６６】
（ＵＥ２００６をネットワークスライスインスタンスに接続する）
ＲＩＦ２１０２は、ＳＩＳＦ２０２４がＵＥ２００６をネットワークスライスインスタンスに接続することを要求し得る。これは、以下を含み得る、ＳＳ＿Ｓｌｉｃｅ＿Ｒｅｑを通して達成される。
●  ＵＥ−ＩＤ−ＵＥ−ＩＤは、クエリに関連付けられる特定のＵＥ２００６を識別する。
●  ＮＳＩ＿ＩＤ−（例えば、初期接続後またはプロファイル変更後に）ＳＩＳＦ２０２４によって提供されるスライスのうちの１つ。
●  ＵＥ−ＳＥＲＶＩＣＥ−ＤＥＳＣＲＩＰＴＯＲＳ−１つ以上のサービス記述子は、ＵＥに関連付けられ得る。サービス記述子は、ＵＥ２００６がアクセスすることを予期するサービスのタイプを記述する。これは、ＵＥ−ＳＥＲＶＩＣＥ−ＤＥＳＣＲＩＰＴＯＲＳのサブセットであり得、スライスに接続するように本要求をトリガしている接続の指示として、ＳＩＳＦ２０２４によって使用される。ＵＥ２００６は、随意に、ＵＥ−ＳＥＲＶＩＣＥ−ＤＥＳＣＲＩＰＴＯＲＳを提供しなくてもよく、その場合において、ＳＩＳＦ２０２４は、ＵＥ２００６が基本的デフォルト接続を所望するという指示としてこれを受け取り得る。この情報が特定のネットワークスライスインスタンスを選択する際にネットワークを支援するため、ＵＥ−ＳＥＲＶＩＣＥ−ＤＥＳＣＲＩＰＴＯＲＳは、ネットワークスライス選択支援情報（ＮＳＳＡＩ）と呼ばれ得る。
●  ＣＯＮＮＥＣＴＩＯＮ＿ＩＤ：クエリに関連付けられる接続の識別子
●  ＲＡＴ−ＴＹＰＥ−ＩＮＤＩＣＡＴＯＲ−ＲＩＦ２１０２がインターフェースをとっているＲＡＴのタイプを示す。
ＳＩＳＦ２０２４は、ＳＳＦ２０６０にクエリを行い、ＵＥ２００６がスライスへのアクセスを有することを検証し得、ＵＥ２００６を要求されるスライスに接続し得る、または代替として、ＵＥ２００６を代替的スライスに接続し得る。ＳＩＳＦ２０２４がＵＥ２００６を代替的スライスに接続し得る１つの理由は、ＲＡＴ−ＴＹＰＥ−ＩＮＤＩＣＡＴＯＲと要求されるスライスとの間の非適合である。ＳＩＳＦ２０２４は、以下を含み得る、ＵＥへの応答（ＳＳ＿Ｓｌｉｃｅ＿Ｒｅｓｐ）を発行する。
●  ＵＥ−ＩＤ−ＵＥ−ＩＤは、クエリに関連付けられる特定のＵＥ２００６を識別する。
●  ＮＳＩ＿ＩＤ−ＵＥに割り当てられたネットワークスライスインスタンスのＩＤ
●  ＣＯＮＮＥＣＴＩＯＮ＿ＩＤ：クエリに関連付けられる接続の識別子
●  Ｓｌｉｃｅ＿Ｃｏｎｎｅｃｔ＿Ｃａｕｓｅ−ＵＥ２００６を本スライスに割り当てるための理由。これは、サブスクリプション、要求されるスライス上のリソースの欠如等のためであり得る。
●  Ｓｌｉｃｅ＿Ｏｐｅｒａｔｉｎｇ＿Ｐａｒａｍｅｔｅｒｓ−スライスに関連付けられる任意の制限、例えば、これは、接続がスライスを使用するはずであるときのスケジュールを含み得る。
●  Ｃｏｎｎｅｃｔｉｏｎ＿Ｐａｒａｍｅｔｅｒｓ：−接続に関連するコアネットワークパラメータ。例えば、ＵＥ２００６に割り当てられたＩＰアドレス（該当する場合）、スリープパラメータ、ＳＭパラメータ、またはスライスがＵＥに利用可能である時間、ＵＥ２００６がスライスにアクセスし得る場所、スライスにアクセスするときに施行されるべき帯域幅およびデータレート制限等の他のスライス関連パラメータ。
【０１６７】
（ＵＥネットワークスライスインスタンスを自律的に変更する）
ＳＩＳＦ２０２４は、ＵＥ２００６が接続されるネットワークスライスインスタンスを変更することを自律的に決定し得、例えば、既存のスライスが削除され得る、ＳＩＭＦ２０２６による新しく作成されたスライスが、ＵＥ２００６接続により好適であり得る等である。ＳＩＳＦ２０２４は、以下を含み得る、ＳＳ＿Ｎｅｗ＿ＳｌｉｃｅメッセージをＵＥ２００６に（ＲＩＦ２１０２を介して）送信し得る。
●  ＵＥ−ＩＤ−ＵＥ−ＩＤは、クエリに関連付けられる特定のＵＥ２００６を識別する。
●  スライスのリスト
○  ＮＳＩ＿ＩＤ−ＵＥ２００６が接続されているネットワークスライスインスタンスのＩＤ
○  ＳＬＩＣＥ＿ＤＥＳＣＲＩＰＴＯＲ−スライスの記述
○  ＣＯＮＮＥＣＴＩＯＮ＿ＩＤ：クエリに関連付けられる接続の識別子。含まれる場合、これは、提供されたスライスとの新しいＰＤＵ接続を開始するようにＵＥ２００６に告げる。
○  Ｓｌｉｃｅ＿Ｏｐｅｒａｔｉｎｇ＿Ｐａｒａｍｅｔｅｒｓ
○  Ｃｏｎｎｅｃｔｉｏｎ＿Ｐａｒａｍｅｔｅｒｓ
ＳＳ＿Ｎｅｗ＿Ｓｌｉｃｅ＿Ａｃｋの受信は、ＵＥ２００６が要求を受信したことを確認する。
【０１６８】
（ネットワークスライスインスタンス構成を変更する）
ＳＩＳＦ２０２４は、ＵＥに割り当てられたネットワークスライスインスタンスの構成を変更し得る。ＳＩＳＦ２０２４は、変更されているネットワークスライスインスタンスのＮＳＩ＿ＩＤならびに新しいネットワークスライスインスタンスに関連する情報を提供する。ＵＥ２００６が変更されているネットワークスライスインスタンスにすでに接続されている場合、ＳＩＳＦ２０２４は、Ｓｌｉｃｅ＿Ｏｐｅｒａｔｉｎｇ＿ＰａｒａｍｅｔｅｒｓおよびＣｏｎｎｅｃｔｉｏｎ＿ＰａｒａｍｅｔｅｒｓをＵＥに提供し得る。ＵＥ２００６が変更されているスライスにまだ接続されていない場合には、ＵＥ２００６は、配分されたスライスのそのリストを更新するのみである（古いスライス情報を新しいスライス情報と交換する）。ＳＩＳＦ２０２４は、ＳＳ＿Ｃｈａｎｇｅ＿Ｓｌｉｃｅ要求メッセージを使用し、スライスを変更し得る。メッセージは、以下を含み得る。
●  ＵＥ−ＩＤ−ＵＥ−ＩＤは、クエリに関連付けられる特定のＵＥ２００６を識別する。
●  スライスへの変更のリスト：
○  ＯＬＤ＿ＮＳＩ＿ＩＤ−変更されているネットワークスライスインスタンスのＩＤ
○  ＮＥＷ＿ＮＳＩ＿ＩＤ−追加されているネットワークスライスインスタンスのＩＤ（ＮＥＷ＿ＮＳＩ＿ＩＤがＮＵＬＬであるか、またはＵＥにすでに割り当てられているスライスインスタンスに関連付けられるかのいずれかである場合には、ネットワークスライスインスタンス変更は、効果的に、ネットワークスライスインスタンス削除である。）
○  ＳＬＩＣＥ＿ＤＥＳＣＲＩＰＴＯＲ−スライスの記述
○  Ｓｌｉｃｅ＿Ｏｐｅｒａｔｉｎｇ＿Ｐａｒａｍｅｔｅｒｓ（ＵＥ２００６がＯＬＤ＿ＮＳＩ＿ＩＤにすでに接続している場合）
○  Ｃｏｎｎｅｃｔｉｏｎ＿Ｐａｒａｍｅｔｅｒｓ（ＵＥ２００６がＯＬＤ＿ＮＳＩ＿ＩＤにすでに接続している場合）
○  ＨＡＲＤ／ＳＯＦＴ＿ＴＲＡＮＳＩＴＩＯＮ＿ＩＮＤ−スライスの間の遷移が「メイクビフォアブレーク」接続とともに実施されるべきかどうかを示す
○  Ｓｅｒｖｉｃｅｓ＿ｐｅｒ＿ｓｌｉｃｅ−１つを上回るスライスが遷移後に配分される場合、これは、いずれのサービスがいずれのスライスに転送されるべきであるかを示す。
【０１６９】
（配分されたスライスについてＳＩＭＦ２０２６を更新する）
ＳＩＳＦ２０２４は、ステータス情報をＳＩＭＦ２０２６に定期的に提供し、ネットワークスライスインスタンスを管理する際にＳＩＭＦ２０２６を支援し得る。ＳＩＳＦ２０２４は、Ｓｌｉｃｅ＿Ｕｓａｇｅ＿Ｕｐｄａｔｅメッセージを通してＳＩＭＦ２０２６を更新する。このメッセージは、以下を含み得る。
●  ＵＥ−ＩＤ−ＵＥ−ＩＤは、更新をトリガした特定のＵＥ２００６を識別する。
●  ＵＥ−ＳＥＲＶＩＣＥ−ＤＥＳＣＲＩＰＴＯＲＳ−１つ以上のサービス記述子は、ＵＥに関連付けられ得る。サービス記述子は、ＵＥ２００６がアクセスすることを予期するサービスのタイプを記述する。
●  ＮＳＩ＿ＩＤ−ＵＥに現在割り当てられているネットワークスライスインスタンスのＩＤ
【０１７０】
（ＵＥ場所の変更を管理する）
ＵＥ２００６がその場所を変更するとき、これは、ＵＥに配分されるスライスインスタンスを修正するように、またはＵＥ２００６が接続されるスライスインスタンスを変更するように、ＳＩＳＦ２０２４をトリガし得る。ＳＩＳＦ２０２４は、モビリティ管理機能、またはＵＥ場所情報を維持する任意の類似機能から通知される。ＳＩＳＦ２０２４は、ＳＩＳＦ２０２４に以下を提供する、ＳＳ＿Ｌｏｃａｔｉｏｎ＿Ｃｈａｎｇｅ＿Ｒｅｑメッセージを通して通知され得る。
●  ＵＥ−ＩＤ−ＵＥ−ＩＤは、更新をトリガした特定のＵＥ２００６を識別する。
●  ＬＯＣＡＴＩＯＮ−ＩＮＦＯＲＭＡＴＩＯＮ−ＵＥ場所（例えば、ＧＰＳフォーマット）。
●  ＭＯＢＩＬＩＴＹ＿ＳＴＡＴＵＳ−ＵＥ２００６は、その関連付けられるモビリティ（低モビリティ、静止、高速移動等）の指示を提供し得る。例えば、いくつかのスライスインスタンスは、低モビリティＵＥに標的化され得る。ＵＥ２００６は、この情報を事前構成させてもよい、またはＧＰＳ、基地局変更等に基づいて、これを動的に決定し得る。
【０１７１】
（ＰＭＦ２０５０から新しい接続要求を管理する）
ネットワーク開始型接続がＵＥに要求されるとき、ＰＭＦ２０５０は、スライスインスタンスを接続に割り当てるようにＳＩＳＦ２０２４をトリガし得る。ＳＩＳＦ２０２４は、ＳＩＳＦ２０２４に以下を提供する、ＳＳ＿Ｃｏｎｎｅｃｔｉｏｎ＿Ｒｅｑメッセージを通して通知され得る。
●  ＵＥ−ＩＤ−ＵＥ−ＩＤは、標的化される特定のＵＥ２００６を識別する。
●  ＵＥ−ＳＥＲＶＩＣＥ−ＤＥＳＣＲＩＰＴＯＲＳ−接続要求の詳細を示す、１つ以上のサービス記述子。
●  ＲＥＱＵＥＳＴＯＲ−ＩＤ−要求を開始したアプリケーションサーバまたはネットワーク機能。
【０１７２】
（ルーティングのためにＣＮＥＰ２０２０を構成する）
ＵＥ２００６をスライスに接続した後、ＳＩＳＦ２０２４は、ＵＥ接続のためのルーティング情報をＣＮＥＰ２０２０に提供し得る。これは、ＣＮＥＰ２０２０が適切なネットワークスライスインスタンスへの接続をルーティングすることを可能にする。ＳＩＳＦ２０２４は、以下を含み得る、Ｃｏｎｎｅｃｔｉｏｎ＿Ｃｏｎｆｉｇ＿Ｒｅｑメッセージを使用し得る。
●  ＵＥ−ＩＤ−ＵＥ−ＩＤは、要求をトリガした特定のＵＥ２００６を識別する。
●  ＣＯＮＮＥＣＴＩＯＮ＿ＩＤ：ＵＥに関連付けられる接続の識別子
●  ＮＳＩ＿ＩＤ−ＵＥに現在割り当てられているネットワークスライスインスタンスのＩＤ。これは、代替として、ネットワークスライスインスタンス上のＣＮ進入機能への識別子であり得る。
【０１７３】
（スライスインスタンス管理機能（ＳＩＭＦ））
ＳＩＭＦ２０２６は、ＵＬＮ２００４が相互作用する場所が従来、仮想化層またはハイパーバイザと見なされ得る点である。ＳＩＭＦ２０２６は、ネットワークスライスが追加、修正、または削除されることを要求するためのＵＬＮのインターフェースである。
【０１７４】
（スライスインスタンスを追加／削除／修正する）
ＳＩＭＦ２０２６は、ネットワークスライスインスタンスを管理する責任がある。ＳＩＭＦ２０２６は、以下を行う管理およびネットワーク編成（ＭＡＮＯ）機能性に基づいて、その決定を行ってもよい。
●  スライスインスタンス自体からステータス情報（例えば、使用法、負荷、遅延等）を定期的に取得する。
●  接続を要求している、またはそのプロファイルが変化した、新しいＵＥに関するステータス情報をＳＩＳＦ２０２４から取得する。
【０１７５】
加えて、ＳＩＭＦ２０２６は、オペレータが新しいスライスを作成すること、または既存のスライスインスタンスを修正／削除することを可能にする、グラフィカルユーザインターフェース（ＧＵＩ）を通して、ネットワークスライスインスタンスを構成するようにダイレクトされ得る。スライスインスタンスの任意の変更がある場合（既存のスライスインスタンスが削除もしくは修正される、または新しいスライスインスタンスが作成される場合）、ＳＩＭＦ２０２６は、スライスインスタンス選択中にこれらの更新を考慮し得るように、ＳＩＳＦに通知するはずである。ＳＩＭＦ２０２６は、Ｎｅｗ＿Ｓｌｉｃｅ＿Ｒｅｑ、Ｍｏｄｉｆｙ＿Ｓｌｉｃｅ＿Ｒｅｑ、およびＤｅｌｅｔｅ＿Ｓｌｉｃｅ＿Ｒｅｑメッセージを通して、ＳＩＳＦ２０２４に通知する。これらのメッセージのコンテンツのうちのいくつかが、以下に説明される。
●  Ｎｅｗ＿Ｓｌｉｃｅ＿Ｒｅｑ
○  ＮＳＩ＿ＩＤ−追加されているネットワークスライスインスタンスのＩＤ
○  ＳＬＩＣＥ＿ＤＥＳＣＲＩＰＴＯＲ−スライスの記述
●  Ｍｏｄｉｆｙ＿Ｓｌｉｃｅ＿Ｒｅｑ：
○  ＮＳＩ＿ＩＤ−追加されているネットワークスライスインスタンスのＩＤ
○  ＳＬＩＣＥ＿ＤＥＳＣＲＩＰＴＯＲ−スライスの記述
●  Ｄｅｌｅｔｅ＿Ｓｌｉｃｅ＿Ｒｅｑ
○  ＮＳＩ＿ＩＤ−追加されているネットワークスライスインスタンスのＩＤ
【０１７６】
新しいスライス、スライス修正、およびスライス削除要求は、管理またはＯ＆Ｍ手段によって開始され得る。例えば、オペレータが、署名から１ヶ月で発効するであろう大規模スマートグリッドオペレータとの商業協定に署名すると仮定されたい。オペレータは、ＳＩＳＦ２０２４がそのスマートグリッド顧客のためにトリガされる前に、ある量のネットワーク容量（すなわち、多数のスライスインスタンス）を事前留保することを所望し得る。
【０１７７】
（コアネットワークエントリポイント（ＣＮＥＰ）２０２０）
ＣＮＥＰ２０２０は、以下を提供し得る。
●  割り当てられたスライスインスタンス内の正しいネットワーク機能まで流れることができるようなパケットのマーキング。例えば、ＣＮＥＰは、それが正しいスライスに送信されるように、特定のＵＥ２００６からのトラフィックをマークし得る。マーキングはまた、トラフィックまたはサービスタイプを示すようにＵＥ２００６によって挿入された情報に基づき得る。
●  ＳＩＳＦからの構成に基づく、正しいネットワークスライスインスタンス（すなわち、正しいＩＲＦ）へのパケットのルーティング。これは、ＵＥ＿ＩＤ、ＣＯＮＮＥＣＴＩＯＮ＿ＩＤに基づき得る、またはある他の識別子に基づき得る。
●  ＵＬＮ２００４内の適切な制御プレーンネットワーク機能への制御プレーンパケットのルーティング
●  ＲＡＴの間の協調および潜在的なマルチＲＡＴ動作（ＵＥ接続が２つ以上のＲＡＴにわたって同時に分割される）を可能にする、ＲＩＦの間のインターワーキング
【０１７８】
（相互接続およびルーティング機能（ＩＲＦ））
ＩＲＦ２０５８の機能は、以下を含む。
●  ＵＥの識別と、ＵＥ２００６のためのアクティブなセッションを有する各サービングＮＦのインターフェース層識別（例えば、インスタンス番号）との間のバインディングを記憶する。例えば、ローミングシナリオで、ＩＲＦ２０５８と直接インターフェースをとらないＮＦに関して、ＩＲＦ２０５８は、それを介してこれらのＮＦが到達可能である、遠隔ＰＬＭＮのＩＲＦ２０５８の識別を記憶する。
●  例えば、ＵＥモビリティ、負荷再バランシング（すなわち、仮想マシンの縮小もしくは拡大）、または復元理由に起因して、サービングＮＦの識別が所与のＵＥのために変化するときに、バインディングリポジトリを更新する。
●  （メッセージが送信される）ＵＥ２００６の識別および宛先ＮＦを決定するために、メッセージヘッダを調査する。ＵＥの識別に関して、宛先ＮＦのインターフェース層識別（例えば、インスタンス番号）または遠隔ＩＲＦ２０５８の識別を決定するために、内部バインディングリポジトリを調べる。それに応じて、メッセージをルーティングする。
●  随意に、オペレータの構成に基づいて、メッセージの認可を実施し、例えば、オペレータの構成が、ＮＦ１がＮＦ２に向けたあるメッセージ（「ＵＥのＡＰＮ−ＡＭＢＲの変更」）を呼び出さないように禁止する場合には、ＩＲＦ２０５８は、対応するメッセージを拒否する。随意に、過負荷制御、例えば、その負荷／過負荷状態に基づいて所与のＮＦに送信されるメッセージのペーシングを実施することによって、膨大なシグナリング中にＮＦを保護する。
【０１７９】
（モバイル発信進入機能）
モバイル発信進入（ＭＯＩ）機能は、アンダーレイネットワーク２００４がＭＯユーザプレーン通信のためにネットワークスライスに接続する点である。ＣＮＥＰ２０２０は、ＵＥ２００６からＰＤＵを受信し、ＰＤＵを送信するネットワークスライスを決定する。ＰＤＵは、次いで、適切な選択されたネットワークスライスのＭＯＩ２０４０に送信される。ＰＤＵの受信に応じて、ＭＯＩ２０４０は、ＰＤＵが、ＰＤＵをネットワークスライスに送信する権限を与えられているＵＥ／アンダーレイネットワークの組み合わせに由来することを確認し得る。ＭＯＩ２０４０は、ＰＤＵが認可されたＵＥ／アンダーレイネットワークの組み合わせに由来しない場合に、拒否応答をＣＮＥＰ２０２０に送信し得る。待ち時間を最小限にするために、ＣＮＥＰは、基地局またはアクセスポイントにより近いＲＩＦの中に常駐し得る。
【０１８０】
ＰＤＵが認可され、適切にフォーマットされていると仮定して、ＭＯＩ２０４０は、新しいヘッダでＰＤＵを包んでもよい。新しいヘッダは、転送されるべきＮＦのＰＤＵについての情報を含み得る。
【０１８１】
例えば、ＵＥ２００６がＰＤＵにアタッチしたヘッダ情報に基づいて、ＭＯＩ２０４０は、ＰＤＵがＳＭＳメッセージであることを決定し、ＰＤＵが、ＳＭＳ−ＳＣ、ＩＷ−ＭＳＣ、またはレガシーＩＷ−ＭＳＣもしくはＳＭＳ−ＳＣへのインターフェースとしての役割を果たす、特定のＮＦにルーティングされるべきことを示す情報をアタッチし得る。ＭＯＩ２０４０が、ＰＤＵが別のオペレータのネットワークに向けられたＳＭＳ  ＰＤＵであることを決定する場合、ＭＯＩ２０４０は、ＰＤＵが他のオペレータのネットワークにルーティングされるべきことを示す情報をアタッチし得、具体的には、パケットが、次いで、標的ネットワークのＩＲＦ−ＩＷＫ２０３０に転送されることができるように、パケットは、アンダーレイネットワーク２００４内のＩＲＦ−ＩＷＫ２０３０に送信され得る。
【０１８２】
別の例では、ＵＥ２００６がＰＤＵにアタッチしたヘッダ情報に基づいて、ＭＯＩ２０４０は、ＰＤＵがＩＰパケットであることを決定し、ＰＤＵがＩＰアンカポイントとしての役割を果たす特定のＮＦに送信されるべきことを示す情報をアタッチし得る。ＭＯＩ２０４０は、ヘッダ情報に基づいて、ＩＰアンカが別のネットワークスライス内または別のオペレータのネットワーク内に常駐することを検出し、次いで、適切な宛先ネットワークに転送されることができるように、ＰＤＵがＩＲＦ−ＩＷＫ２０３０に送信されるべきことを示す情報をアタッチし得る。
【０１８３】
別の例では、ＵＥ２００６がＰＤＵにアタッチしたヘッダ情報に基づいて、ＭＯＩ２０４０は、ＰＤＵが構造化されていない非ＩＰパケットであることを決定し、ＰＤＵがパケットを宛先に転送するために使用されることができる特定のＮＦに送信されるべきことを示す情報をアタッチし得る。ＭＯＩ２０４０は、ヘッダ情報に基づいて、パケットが別のネットワークスライス内または別のオペレータのネットワーク内に常駐するＮＦに送信される必要があることを検出し、次いで、適切な宛先ネットワークに転送されることができるように、ＰＤＵがＩＲＦ−ＩＷＫ２０３０に送信されるべきことを示す情報をアタッチし得る。
【０１８４】
ＭＯＩ２０４０は、ヘッダ情報をＰＤＵにアタッチし、ＰＤＵを処理するはずである他のネットワーク機能、およびＮＦがデータを処理するはずである順序を示し得る。例えば、ヘッダは、ＮＳＨと同様にフォーマットされ得る。ＭＯＩ２０４０はまた、メタデータをヘッダに追加し得る。メタデータは、ＰＤＵを処理することに役立つために他のＮＦによって使用され得る。例えば、メタデータは、パケットがある優先順位を有すること、特定の場所に由来したこと等を示し得る。
【０１８５】
（モバイル発信退出機能）
モバイル発信退出（ＭＯＥ）機能２０４６は、ネットワークスライスから退出する前にユーザプレーンパケットを処理する最後のＮＦである。ＭＯＥ２０４６は、スライスを通して、かつスライス内のＮＦの間でパケットをルーティングするために使用された、ＮＳＨ等のヘッダ情報を除去する。
【０１８６】
ＰＤＵタイプに基づく、複数のタイプのＭＯＥが存在し得る。例えば、ＭＯＥ２０４６は、ＳＭＳ  ＰＤＵのために規定され得、ＭＯＥ２０４６は、ＰＤＵをＳＭＳ−ＳＣに送信し得る。本例では、ＭＯＥ２０４６は、ＳＭＳ−ＳＣへのそのインターフェース上でＩＷ−ＭＳＣとして作用し得る。別の例では、ＭＯＥ２０４６は、ＩＰパケットを処理し得る。ＭＯＥ２０４６は、スライス内の処理に特有であるヘッダ情報を除去し、ＩＰパケットをＩＰネットワークに送信し得る。別の例では、ＭＯＥ２０４６は、パケットが構造化されていない非ＩＰパケットであることを検出し、パケットをＭ２Ｍサーバ、アプリケーションサーバ等のサーバに直接送信し得る。ＭＯＥ２０４６は、ＵＥ２００６、ＳＭ  ＮＦ２０４８、ＭＯＩ、または別のＮＦによってアタッチされたＰＤＵのヘッダの中の識別子に基づいて、非ＩＰパケットの宛先を把握し得る。ＳＭ  ＮＦ２０４８、ＭＯＩ２０４０、または他のＮＦは、セッション確立中にＵＥ２００６によって提供された情報に基づいて、またはプロビジョニングされたサブスクリプション情報に基づいて、非ＩＰデータの宛先を把握し得る。非ＩＰパケットは、ＭＯＥ２０４６から宛先サーバにトンネリングされ得る。
【０１８７】
（モバイル終端進入機能）
モバイル終端進入（ＭＴＩ）機能２０４４は、ネットワークスライスがＰＤＮに、またはユーザプレーン通信のためのサーバに直接接続する点である。ＰＤＮ（またはサーバ）は、ＩＰパケット、ＳＭＳメッセージ、または構造化されていない非ＩＰデータをＭＴＩ２０４４に送信する。
【０１８８】
ＰＤＵタイプがＩＰであるとき、ＭＴＩ２０４４は、ＵＥ２００６のＩＰアンカポイントであり得る。ＭＴＩ２０４４がネットワークスライスの一部と見なされない場合には、ＭＴＩ２０４４は、宛先およびソースＩＰアドレスならびにポート番号に基づいて、データを送信する適切なネットワークスライスを決定するであろう。データを送信するネットワークスライスの決定はまた、トラフィックを調査し、ＰＤＵに関連付けられるアプリケーションのタイプを決定したＤＰＩエンジンからの情報に基づき得る。
【０１８９】
ＰＤＵタイプがＳＭＳであるとき、ＭＴＩ２０４４は、ＳＭＳ−ＳＣからＳＭＳデータを受信するＳＭＳ−ＧＭＳＣとしての役割を果たし得る。ＭＴＩ２０４４は、次いで、宛先ＭＳＩＳＤＮ、アプリケーションポートＩＤ、データコーディング方式、およびプロトコル識別子ＳＭＳヘッダフィールドに基づいて、ＰＤＵを適切な宛先スライスまたはＮＦに転送し得る。
【０１９０】
ＰＤＵタイプが構造化されていない非ＩＰであるとき、ＭＴＩ２０４４は、ヘッダの中の情報を使用し、データを転送するＮＦまたはネットワークスライスを決定し得る。決定はまた、非ＩＰデータのソースアドレスまたは識別子に基づき得る。非ＩＰデータが（例えば、ＩＰトンネル内で）ＭＴＩ２０４４にトンネリングされるとき、ＭＴＩ２０４４は、さらにネットワークスライスの中へパケットを転送する前に、ＩＰトンネルからヘッダを除去するであろう。
【０１９１】
セッション設定中にプロビジョニングされた情報に基づいて、ＭＴＩ２０４４は、それをネットワークスライスの中へパケットを転送する前に、パケットマーキングをＰＤＵにアタッチし得る。パケットマーキングは、要求されるＱｏＳ処置（すなわち、優先順位、待ち時間要件等）を示し得る。
【０１９２】
（モバイル終端退出機能２０４２）
モバイル終端退出（ＭＴＥ）機能２０４２は、ネットワークスライスから退出する前にユーザプレーンパケットを処理し、ＵＥ２００６に伝送するためにアンダーレイネットワーク２００４に送信される、最後のＮＦである。ＭＴＥ２０４２は、スライスを通して、かつスライス内のＮＦの間でパケットをルーティングするために使用された、ＮＳＨ等のヘッダ情報を除去する。
【０１９３】
ＰＤＵタイプに基づく、複数のタイプのＭＴＥが存在し得る。例えば、ＭＴＥ２０４２は、ＳＭＳ  ＰＤＵのために規定され得、ＭＴＥ２０４２は、ＩＰデータのために規定され、ＭＴＥ２０４２は、構造化されていない非ＩＰデータのために規定され得る。
【０１９４】
ＭＴＥ２０４２は、ＵＥ２００６がＰＤＵを処理する方法を決定し得るように、新しいヘッダをＰＤＵにアタッチし得る。例えば、ＭＴＥ２０４２は、ＵＥ２００６がＰＤＵをＵＥ２００６内の適切なアプリケーションにルーティングすることができるように、ベアラ識別子、トンネル識別子、トラフィックタイプ識別子、宛先アプリケーション識別子、またはＳＭＳヘッダを含む、ヘッダを追加し得る。ＭＴＥ２０４２は、ＳＭ  ＮＦ２０４８から、ＵＥ２００６自体から、またはサブスクリプション情報から、セッション設定中にこの情報を取得している場合がある。
【０１９５】
（セッション管理（ＳＭ）機能）
セッション管理機能は、ネットワークスライスインスタンス内でＵＥのＰＤＵセッションを管理する責任がある。これらのセッションは、ＩＰベース、非ＩＰベース、ならびにコネクションレスであり得る。セッション管理機能は、以下の責任を有する。
●  ＰＤＵセッションのユーザプレーントラフィックの制御／管理。これは、特定のＰＤＵセッションのパケットが辿るはずであるパスの指示を提供する、ＰＤＵセッション「フロー情報」を準備することを伴い得る。例えば、ＳＭ機能２０４８は、種々のユーザプレーンネットワーク機能において、ＰＤＵセッションに関連付けられるＰＤＵ転送規則およびＰＤＵスクリーニング規則を設定し得る。代替として、ＳＭ機能２０４８は、ユーザプレーンパケットをマークする責任があるＮＦ（例えば、ＣＮＥＰ２０２０、ＭＯ進入機能、またはＭＴ進入機能）にフロー情報を提供し得る。
●  （ＩＰベースのＰＤＵセッションのために）ＩＰアドレスをＵＥ２００６に割り当てる
●  複数のアクセスネットワークパスを横断して、ＰＤＵセッションの分離または集約を管理する。例えば、ＵＥ２００６は、３ＧＰＰ  ＲＡＴおよびＷｉ−Ｆｉ  ＲＡＴに同時に接続し得る。ＰＤＵセッションは、両方のアクセスネットワーク接続を横断して分割され得る。ＳＭ機能２０４８は、ＰＤＵセッションを適切に分割／集約するために必要とされる情報を伴ってセパレータ／アグリゲータネットワーク機能を構成する。これは、ポリシまたは規則を通し得る。例えば、
○  アクセスネットワークの間のＰＤＵパケットの交互伝送
○  異なるアクセスネットワークにわたるＰＤＵセッションパケット伝送の公平な分割
○  アクセスネットワークにわたってパケットを送信し、例えば、あるチャネル品質インジケータ等に基づいて、最高瞬間伝送レートを提供する
（モビリティ管理（ＭＭ）機能）
【０１９６】
モビリティ管理機能は、ネットワーク内の全てのＵＥのためのモビリティコンテキストを維持する。これは、以下に責任がある。
●  ＵＥ２００６の場所を追跡する。例えば、ＵＥ２００６が１つのアクセスネットワーク基地局から別のものまで、または１つのＲＡＴから別のものまで移動する。
●  ＵＥモビリティプロファイルを評価する。例えば、ＭＭ機能２０２２は、ＵＥ２００６が静止、高速移動、携帯用等であるかどうかを決定し得る。これはまた、決定されたモビリティプロファイルがＵＥサブスクリプション内に記憶されたプロファイルに対応するかどうかを決定し得る。対応しない場合、これは、積極的措置を講じることができる。例えば、ＭＭ機能２０２２は、割り当てられたネットワークスライスインスタンスからＵＥ２００６を削除するようにＳＩＳＦ２０２４に通知し得る。ＭＭ機能は、ＲＩＦまたはＣＮＥＰ等の別のネットワーク機能と共同設置もしくは統合され得ることを理解されたい。●  モビリティ情報を他のネットワーク機能に提供する。これは、要求に基づいてもよく、例えば、ＮＦは、具体的にはＭＭ２０２２にクエリを行い、１つのＵＥまたはＵＥのグループの場所を決定し得る。代替として、これは、サブスクリプションモデルに基づいてもよく、それによって、ネットワーク機能は、ＵＥ２００６がそのモビリティコンテキストを変更するときに通知されるようにサブスクライブする。代替として、ＭＭ機能２０２２は、モビリティイベントが起こるとき、または周期的のいずれかで、場所情報をあるＮＦにプッシュ配信し得る。例えば、ＭＭ機能２０２２は、これがサブスクリプションデータベースの中で更新されることができるように、ＵＥ場所の変更についてＳＳＦ２０６０に通知し得る。
●  ＵＥページングを提供し、モバイル終端通信をサポートする
【０１９７】
（５Ｇネットワークプロシージャ（アンダーレイネットワークベース））
本節で説明される５Ｇネットワークプロシージャは、ＵＥ２００６がＲＡＴ、コアネットワーク、およびネットワークスライスに初期接続を行う方法に関する。それらは全て、ＵＥ２００６が仮想化されていないＲＡＮおよび／またはコアネットワーク内の機能へのある制御プレーン接続を要求するという仮定に基づく。これらの「常に存在する」／「仮想化されていない」機能をアンダーレイネットワーク２００４と称する。アンダーレイネットワーク２００４は、ＵＥ２００６がＲＡＮ、コアネットワーク、およびネットワークスライスに初期接続を行うために使用する機能性である。表６は、本節で説明されるプロシージャを要約する。
【表６】
2020191667.tif 000010
【０１９８】
（初期接続プロシージャ）
初期接続プロシージャでは：
●  ＵＥ２００６は、ＲＡＴへの接続を確立する。
●  ＲＩＦ２１０２がＨＰＬＭＮ識別子を解決する、一時識別子（ＵＥ−Ｔ−ＩＤ）をＲＩＦ２１０２に提供する。
●  ＲＩＦ２１０２は、一時識別子を使用し、ＨＰＬＭにコンタクトして、ＵＥ２００６が認可および認証されるプロセスを開始する。
●  ＲＩＦ２１０２は、ＳＩＳＦ２０２４と通信し、ＵＥ２００６が接続するはずであるネットワークスライスを決定する。
●  ＵＥ２００６は、接続するスライスを告げられる。
【０１９９】
初期接続プロシージャ後、ＵＥ２００６は、ネットワークスライスに接続し始める。本プロセスは、図２４および２５に関して説明される。初期接続プロシージャがネットワークからサービスを受信するようにＵＥに権限を与えるステップを伴うため、初期接続プロシージャはまた、登録プロシージャとも呼ばれ得ることを理解されたい。
【０２００】
一般的原理として、ＵＥ２００６は、そのプライベートサブスクリプション識別子をＲＩＦ２１０２に決して提供すべきではない。ＵＥ２００６は、一時識別子のみをＲＩＦ２１０２に提供するはずである。新しい一時識別子は、周期的にＵＥ２００６に提供されるであろう、または一時識別子は、ＵＥ２００６がネットワークに初めて接続している場合のために事前プロビジョニングされ得る。ＵＥ２００６は、ユーザが、次にシステムに接続するときにＵＥ２００６によって使用され得る一時識別子を入力することを可能にする、ＧＵＩを提供し得る。ユーザがその一時識別子を構成することを可能にするＧＵＩの例は、図２３に示されている。ユーザは、それらのアカウントのアクティブ化の一部として一時識別子を提供され得る。加えて、デバイス管理プロシージャは、新しいＴＩＤをＵＥ２００６にプッシュ配信するために使用され得る。
【０２０１】
図２２は、初期接続プロシージャを図示する略図である。
【０２０２】
図２２のステップ０では、ＵＥ２００６は、利用可能であるネットワークをチェックするようにプロビジョニングされるであろう。ＵＥ２００６は、あるＲＡＴタイプおよびある周波数のアクセスポイントが利用可能であるかどうかをチェックするようにプロビジョニングされるであろう。容認可能なＲＡＴおよび周波数の組み合わせが存在すると検出することに応じて、ＵＥは、関連付けられるアクセスポイントのそれぞれによってブロードキャストされる情報をリッスンし、接続するＲＡＴに関して決定を行うであろう。いくつかのアクセスポイントは、別のＲＡＴタイプのアクセスポイントに関連付けられる情報をブロードキャストし得る。例えば、５Ｇセルラー基地局は、近傍の非３ＧＰＰ（例えば、Ｗｉ−Ｆｉ）アクセスポイント、その動作周波数、そのＳＳＩＤ等についての情報をブロードキャストし得る。図２０Ａに示されるように、ＲＩＦ２１０２は、１つ以上のアクセスポイントに接続し、ブロードキャストされるべき情報をそれに提供し得る。ＲＩＦ２１０２によってブロードキャストされる情報およびＵＥ２００６が情報を使用して接続要求をＲＩＦ２１０２に送信することを決定する方法が、上記で説明される。代替として、アクセスポイントは、Ｏ＆Ｍプロシージャを介してブロードキャスト情報をプロビジョニングされ得る。
【０２０３】
図２２のステップ１では、観察されたブロードキャスト情報に基づいて、特定のアクセスポイントに接続することを所望すると決定した後、ＵＥ２００６は、Ｉｎｉｔｉａｌ−Ｃｏｎｎｅｃｔｉｏｎ−ＲｅｑメッセージをＲＩＦ２１０２に送信する。
【０２０４】
図２２のステップ２では、ＲＩＦ２１０２は、ＡＡ−Ｖｅｃｔｏｒ−ＲｅｑメッセージをＵＥのＨＰＬＭＮ内のＡＡＡサーバ２０２８に送信する。このメッセージは、ＵＥ２００６のための認証および認可（ＡＡ）ＡＡベクトルを取得するために使用される。
【０２０５】
図２２のステップ３では、ＡＡＡサーバ２０２８は、ＡＡ−Ｖｅｃｔｏ−ＲｅｓｐメッセージをＲＩＦ２１０２に送信する。本ステップの部分３ａ）および３ｂ）に示されるように、ＡＡＡサーバ２０２８は、ＳＳＦ２０６０からＡＡベクトルを取得し得る。
【０２０６】
図２２のステップ４では、ＲＩＦ２１０２は、認証チャレンジをＵＥ２００６に送信する。
【０２０７】
図２２のステップ５では、ＵＥ２００６は、認証チャレンジ応答をＲＩＦ２１０２に送信する。
【０２０８】
図２２のステップ６では、ＲＩＦ２１０２は、要求をＡＡＡサーバ２０２８に送信し、ＵＥ２００６によって提供される応答が正しいことを検証する。
【０２０９】
図２２のステップ７では、随意に、ＡＡＡサーバ２０２８がサブスクリプション情報またはスライス識別子を有していない場合、ＵＥ２００６が現在、認証および認可されていることをＡＡＡサーバ２０２８が把握しているため、ＲＩＦ２１０２に提供されることができるように、サブスクライバデータベース（すなわち、ＨＬＲ、ＨＳＳ、またはＵＤＲ２０３２）からＵＥサブスクリプション情報を取得することを選定し得る。本クエリの一部として、サブスクライバデータベースは、ＵＥ２００６によって使用されることができるＳＩＳＦ２０２４からスライス識別子を取得し得る。スライス識別子が本ステップで取得される場合には、ＲＩＦ２１０２が、ステップ１２に示されるように、単純にスライス識別子をＵＥ２００６に転送し得るため、ステップ１０−１２は、必要とされない場合がある。
【０２１０】
図２２のステップ８では、ＡＡＡサーバ２０２８は、ＵＥの応答が正しかったかどうか、およびＵＥ２００６が認証されたと見なされることができるかどうかの指示でＩＦ２１０２に応答する。本応答はまた、ステップ７でＲＩＦ２１０２に提供されたサブスクライブデータを含み得る。
【０２１１】
図２２のステップ９では、ＲＩＦ２１０２は、ＳＩＳＦ２０２４にクエリを行い、ＵＥ２００６に割り当てるネットワークスライスを決定する。図２２のステップ１０では、随意に、ＳＩＳＦ２０２４は、ＵＥ２００６のニーズを満たすであろうＳＩＭＦ２０２６によるスライスインスタンスの作成をトリガし得る。ＳＩＳＦ２０２４は、スライスＩＤをＲＩＦ２１０２に提供し、スライスが利用可能であろう時間を示し得る。ＳＩＳＦ２０２４はまた、別のＮＦ、アプリケーションサーバ、またはサーバにクエリを行い、それが自発的にＵＥの接続を後援するかどうかを確認し得る。ＳＩＳＦのクエリは、フローが後援されるであろうというＵＥの要求またはサブスクリプション情報の中の指示に基づき得る。
【０２１２】
図２２のステップ１１では、ＳＩＳＦ２０２４は、ネットワークスライス識別子のリストでＲＩＦ２１０２に応答する。
【０２１３】
図２２のステップ１２では、ＲＩＦ２１０２は、Ｉｎｉｔｉａｌ−Ｃｏｎｎｅｃｔｉｏｎ−ＲｅｓｐメッセージでＵＥの接続要求に応答する。ＵＥ２００６が、Ｉｎｉｔｉａｌ−Ｃｏｎｎｅｃｔｉｏｎ−Ｒｅｓｐの中でこれがハンドオーバ動作であることを示した場合には、このメッセージは、ＵＥの既存のスライス接続が維持されていることを示し得る、またはこのメッセージは、ＵＥ２００６がすでに関連付けられているスライス識別子をＵＥ２００６に提供し得る。このメッセージが、ＵＥ２００６が接続するはずであるスライス識別子を含む場合には、ＵＥ２００６（またはＲＩＦ／ＳＩＳＦ）は、続いて、識別されたスライスに向けてスライス接続プロシージャを開始し得る。
【０２１４】
図２２に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２２に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２２に図示されるステップを実施する。また、図２２に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２２に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２１５】
（新しいスライスインスタンスをＵＥ２００６に割り当てる（ＵＬＮベース））
新しいスライスインスタンスをＵＥに割り当てるプロシージャは、ＵＥのサービスプロファイルまたは場所が変化するときに開始され得る。
【０２１６】
ＵＥのサービスプロファイル変更は、ＵＥ２００６によって開始されている場合がある。これは、新しいアプリがインストールされる、または初めて起動されるときに起こり得る。
【０２１７】
ＵＥのサービスプロファイル変更は、ネットワークで開始されている場合がある。これは、サブスクリプションデータの変更、ＳＣＥＦ２０５４を介してＯＴＴサービスからサービスをアクティブ化する要求、またはあるタイプのダウンリンクもしくはアップリンクトラフィックがＵＥ２００６のために検出されているというＮＦからの指示があるときに起こり得る。
【０２１８】
以下の節は、ＵＬＮベースのシナリオに関する新しいスライス割り当ての詳細を説明する。
【０２１９】
（新しいスライスインスタンスをＵＥに割り当てる−ＵＥ開始型）
ＵＥ開始型でＵＬＮベースの新しいスライスインスタンスをＵＥに割り当てるプロシージャでは、ＵＥ２００６は、ＳＩＳＦ２０２４によってネットワークスライスインスタンスＩＤに解決され得る情報をすでに有していると仮定される。この情報は、サービスプロファイル、スライスＦＱＤＮ、またはある他のスライス識別子であり得る。
【０２２０】
ＵＥ２００６は、ＲＩＦ２１０２を介してこの情報をＳＩＳＦ２０２４に提供し、ＳＩＳＦ２０２４は、ＵＥ２００６に提供され、続いて、ネットワークスライスを接続するためにＵＥ２００６によって使用されるであろうネットワークスライスインスタンスＩＤのセットに情報を解決するであろう。ＵＥ２００６に提供されるスライスインスタンスＩＤは、特定のスライスに接続するためにＵＥ２００６またはＵＥのグループによって使用されるのみであり得る、一時識別子であってもよく、したがって、ＵＥ２００６から内部スライス識別子を隠す。
【０２２１】
このプロシージャ後に、ＵＥ２００６は、それに割り当てられた少なくとも１つの新しいネットワークスライスを有するであろうが、ＵＥ２００６はまだスライスに接続されていない場合がある。ＵＥ２００６は、後続のプロシージャの一部としてスライスに接続し得る。代替として、このプロシージャはまた、スライス接続プロセスを開始するために使用され得る。
【０２２２】
図２４は、ＵＥ開始型ＵＬＮベースの新しいスライスインスタンス割り当てコールフローを図示する略図である。
【０２２３】
図２４のステップ０では、ＵＥ２００６は、それがアクセスすることを所望するサービスについての情報をすでに有していると仮定される。例えば、これは、初期ＲＡＴ接続プロシージャにおいてサービスプロファイルを受信している場合があり（図２２参照）、ユーザは、新しいサービスプロファイルをＵＥ２００６に手動で入力している場合がある、またはＵＥ２００６上のアプリケーションレベルイベントが、ＵＥのＯＳにＵＥのサービスプロファイルを修正させている、もしくは新しいサービスプロファイルを作成させている場合がある。これはまた、図２６および２７のプロシージャにおいてサービスプロファイルでプロビジョニングされている、またはネットワークからサービスプロファイルを受信している場合がある。
【０２２４】
図２４のステップ１では、ＵＥ２００６は、Ｎｅｗ−Ｓｌｉｃｅ−ＲｅｑメッセージをＲＩＦ２１０２に送信する。このメッセージは、ＵＥ２００６が割り当てられることを所望するサービスのリストを含み、ＳＳ−Ｓｌｉｃｅ−Ｒｅｑと同じであり得る。
【０２２５】
図２４のステップ２では、ＲＩＦ２１０２は、ＳＳ−Ｓｌｉｃｅ−ＲｅｑメッセージをＳＩＳＦ２０２４に送信し、ＵＥ２００６への１つ以上のスライスインスタンスの割り当てを要求する。ＳＩＳＦ２０２４は、随意に、要求されたスライスインスタンスがユーザのサブスクリプションの一部であるかどうかを示して応答するであろう、サブスクリプションサービス機能に要求を転送し得る。
【０２２６】
図２４のステップ３では、ＳＩＳＦ２０２４は、新しいスライスインスタンスがＵＥ２００６に正常に割り当てられていること、または異なるスライスインスタンスがＵＥ２００６に割り当てられる（ネットワークがＵＥ要求をオーバーライドする）ことを示す、ＳＳ−Ｓｌｉｃｅ−ＲｅｓｐメッセージでＲＩＦ２１０２に応答する。ＵＥ要求が参照ＩＤを用いて行われた場合、ネットワークは、ＵＥ２００６が認識することなくＵＥ要求をオーバーライドし得る。
【０２２７】
図２４のステップ４では、ＳＩＳＦ２０２４は、ＵＥ２００６が割り当てられているネットワークスライスインスタンスをセッションインスタンス管理機能に通知し、最低でもＵＥ識別子を含むであろうＳｌｉｃｅ−Ｎｏｔｉｆｙメッセージを送信することによって、それが現在、追加の割り当てを有していることを知らせるであろう。
【０２２８】
図２４のステップ５では、ＲＩＦ２１０２は、Ｎｅｗ−Ｓｌｉｃｅ−Ｒｅｓｐメッセージを送信することによって、ＵＥ２００６がネットワークスライスインスタンスに割り当てられていることを確認する。割り当てられたネットワークスライスインスタンスがＩＰ接続性を提供する場合において、本ステップは、ＩＰアドレスをＵＥ２００６に割り当てる、またはそれを通してＩＰアドレス割り当てプロシージャが完了され得る（通常のブロードキャストクエリを回避する）ＤＨＣＰサーバにＵＥ２００６をダイレクトするために、使用され得る。
【０２２９】
図２４に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２４に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２４に図示されるステップを実施する。また、図２４に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２４に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２３０】
（新しいスライスインスタンスをＵＥに割り当てる−ＵＬＮ開始型）
ＵＬＮベースでＵＬＮ開始型の新しいスライスインスタンスをＵＥに割り当てるプロシージャでは、ＵＥ２００６は、ＵＬＮ２００４内のアクションの結果として新しいスライスインスタンスを提供される。本開始の例示的原因は、ユーザのプロファイル、サブスクリプション、またはオンライン課金の変更であり得る。ネットワークスライスインスタンスがＩＰ接続性を提供する場合において、ＵＥ２００６は、ＩＰアドレスを割り当てられているか、またはそれを通してＩＰアドレス割り当てプロシージャが完了され得る（通常のブロードキャストクエリを回避する）ＤＨＣＰサーバにダイレクトされているかのいずれかであろう。
【０２３１】
図２５は、ＵＬＮ開始型ＵＬＮベースの新しいスライスインスタンス割り当てコールフローを図示する略図である。
【０２３２】
図２５のステップ０では、ＵＥプロファイルおよび／またはサブスクリプションは、随意に、ＵＬＮ２００４開始型の新しいスライスインスタンスプロシージャに先立って変更されている場合がある。このプロシージャは、図２６および２７に関して説明される。
【０２３３】
図２５のステップ１では、例えば、プロファイルまたはサブスクリプション変更の結果として、ＳＩＳＦ２０２４は、ＵＥ２００６に割り当てられるスライスインスタンスＩＤを含むであろう、ＳＳ−Ｎｅｗ−ＳｌｉｃｅメッセージをＲＩＦ２１０２に送信するであろう。
【０２３４】
図２５のステップ２では、ＲＩＦ２１０２は、１つ以上のスライスインスタンスＩＤを含むであろう、Ｎｅｗ−Ｓｌｉｃｅ−ＡｓｓｉｇｎメッセージをＵＥ２００６に送信するであろう。
【０２３５】
図２５のステップ３では、ＵＥ２００６は、Ｎｅｗ−Ｓｌｉｃｅ−Ａｓｓｉｇｎメッセージの中でそれに提供される新しいスライスインスタンスへの割り当てを現在確認していることを示す、Ｎｅｗ−Ｓｌｉｃｅ−ＲｅｓｐメッセージでＲＩＦ２１０２に応答するであろう。
【０２３６】
図２５のステップ４では、ＲＩＦ２１０２は、ＵＥ２００６が新しいネットワークスライスインスタンスに割り当てられていることを確認する、ＳＳ−Ｎｅｗ−Ｓｌｉｃｅ−ＲｅｓｐメッセージをＳＩＳＦ２０２４に送信するであろう。
【０２３７】
図２５のステップ５では、ＳＩＳＦ２０２４は、ＵＥ２００６が割り当てられているネットワークスライスインスタンスをセッションインスタンス管理機能に通知し、最低でもＵＥ識別子を含むであろうＳｌｉｃｅ−Ｎｏｔｉｆｙメッセージを送信することによって、それが現在、追加の割り当てを有していることを知らせるであろう。
【０２３８】
図２５に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２５に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２５に図示されるステップを実施する。また、図２５に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２５に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２３９】
（プロファイル変更）
ネットワークの中（例えば、サブスクリプションサービス機能の中および／またはＳＩＳＦの中）に記憶されたサービスプロファイルは、種々の理由により更新され得る。プロファイル変更は、ＵＥ２００６、ＵＬＮ２００４、またはネットワークによって開始され得る。プロファイルは、管理措置に起因して、またはＵＥ場所変更に起因して変化している場合がある。プロファイル変更は、既存のＩＰ接続（存在する場合）を経由して、またはＵＬＮ２００４を使用して実施され得る。以下の節は、ＵＬＮベースのシナリオに関するプロファイル変更プロシージャの詳細を説明する。
【０２４０】
（プロファイル変更−ＵＬＮベース−ＵＥ開始型）
ＵＥ開始型ＵＬＮベースのプロファイル変更プロシージャでは、ＵＥ２００６は、例えば、新しいアプリケーションがインストールされること、または初めて起動されることに応答して、プロファイルの変更を要求するであろう。プロファイル変更の完了時に、ＵＥ２００６は、１つ以上のネットワークスライスインスタンスＩＤ（もしくはネットワークによってネットワークスライスインスタンスＩＤに一意に解決可能であり得る他の識別子）を提供され得る。
【０２４１】
図２６は、ＵＥ開始型ＵＬＮベースのプロファイル変更を図示する略図である。
【０２４２】
図２６のステップ０では、ＵＥ２００６開始型プロファイル変更に先立って、ＵＬＮ２００４との接続性をそれに提供した初期ＲＩＦ接続プロシージャは、完了しているはずである（図２２参照）。
【０２４３】
図２６のステップ１では、例えば、新しいアプリケーションのインストールまたはアプリケーションを初めて起動することの結果として、ＵＥ２００６は、Ｐｒｏｆｉｌｅ−Ｃｈａｎｇｅ−ＲｅｑメッセージをＲＩＦ２１０２に送信する。Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０２４４】
図２６のステップ２では、ＲＩＦ２１０２は、随意に、メッセージをサブスクリプションサービス機能に転送し得る、ＳＩＳＦ２０２４にＳＳ−Ｐｒｏｆｉｌｅ−Ｃｈａｎｇｅ−Ｒｅｑメッセージを送信するであろう。ＳＳ−Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０２４５】
図２６のステップ３では、サブスクリプションサービス機能がステップ２でＳＳ−Ｐｒｏｆｉｌｅ−Ｃｈａｎｇｅ−Ｒｅｑを送信された場合、これは、ＵＥサブスクリプションを考慮してプロファイル変更が容認可能であることを確認し、ＳＩＳＦ２０２４に応答し得る。代替として、ＳＩＳＦ２０２４は、ＵＥプロファイルが更新されているという確認を示すであろう、ＳＳ−Ｐｒｏｆｉｌｅ−Ｃｈａｎｇｅ−ＲｅｓｐメッセージでＳＳ−Ｐｒｏｆｉｌｅ−Ｃｈａｎｇｅ−Ｒｅｑに独立して応答し得る。ＳＩＳＦ２０２４は、随意に、ＳＳ−Ｐｒｏｆｉｌｅ−Ｃｈａｎｇｅ−Ｒｅｓｐメッセージとともに、１つ以上のネットワークスライスＩＤ（もしくはネットワークによってネットワークスライスインスタンスＩＤに一意に解決され得る他の識別子）を含み得る。
【０２４６】
図２６のステップ４では、ＲＩＦ２１０２は、ＵＥプロファイル変更プロシージャがＵＬＮ２００４によって完了されたことを示す、Ｐｒｏｆｉｌｅ−Ｃｈａｎｇｅ−ＲｅｓｐメッセージをＵＥ２００６に送信するであろう。このメッセージは、前のステップで送信されたＳＳ−Ｐｒｏｆｉｌｅ−Ｃｈａｎｇｅ−Ｒｅｓｐメッセージと同一であり得る。
【０２４７】
図２６に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２６に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２６に図示されるステップを実施する。また、図２６に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２６に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２４８】
（プロファイル変更−ＵＬＮベース−ＵＬＮ開始型）
ＵＬＮ開始型ＵＬＮベースのプロファイル変更では、ＵＬＮ２００４は、例えば、サブスクリプション変更またはＯＭＡデバイス管理コマンドに応答して、プロファイルの変更を要求するであろう。プロファイル変更の完了時に、ＵＥ２００６は、ネットワークによって割り当てられる新しいプロファイルに基づいて、そのＳＩＭカードＯＳ構成を更新し得る。加えて、ＵＥ２００６は、１つ以上のネットワークスライスインスタンスＩＤ（もしくはネットワークによってネットワークスライスインスタンスＩＤに一意に解決可能であり得る他の識別子）を提供され得る。
【０２４９】
図２７は、ＵＬＮ開始型ＵＬＮベースのプロファイル変更を図示する略図である。
【０２５０】
図２７のステップ０では、ＵＥ２００６開始型プロファイル変更に先立って、ＵＬＮ２００４との接続性をそれに提供した初期ＲＩＦ接続プロシージャは、完了しているはずである（図２２参照）。
【０２５１】
図２７のステップ１では、随意に、サブスクリプションサービス機能は、ユーザサブスクリプションの変更の結果として、またはＯＭＡデバイス管理コマンドの結果として、ＳＳ−Ｐｒｏｆｉｌｅ−Ｃｈａｎｇｅ−ＲｅｑメッセージをＳＩＳＦ２０２４に送信する。サブスクリプションサービス機能は、ＳＳ−Ｐｒｏｆｉｌｅ−Ｃｈａｎｇｅ−Ｒｅｑメッセージを転送するＳＩＳＦ２０２４にＳＳ−Ｐｒｏｆｉｌｅ−Ｃｈａｎｇｅ−Ｒｅｑメッセージを送信し、随意に、ＲＩＦ２１０２への１つ以上のネットワークスライスインスタンスＩＤ（もしくはネットワークスライスインスタンスＩＤに一意に解決可能であり得る他の識別子）を含み得る。
【０２５２】
図２７のステップ２では、ＲＩＦ２１０２は、Ｐｒｏｆｉｌｅ−Ｃｈａｎｇｅ−ＲｅｑメッセージをＵＥ２００６に送信するであろう。Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０２５３】
図２７のステップ３では、ＵＥ２００６は、ＳＩＭ、ＯＳ構成、または他のデバイス構成メモリのうちの１つ以上のものの中のＰｒｏｆｉｌｅ−Ｃｈａｎｇｅ−Ｒｅｑメッセージに基づいて、そのプロファイルを更新したことを示す、Ｐｒｏｆｉｌｅ−Ｃｈａｎｇｅ−Ｒｅｓｐメッセージで応答する。
【０２５４】
図２７のステップ４では、ＵＥ２００６は、Ｐｒｏｆｉｌｅ−Ｃｈａｎｇｅ−Ｒｅｑメッセージに基づいて、そのプロファイルの更新を確認したことを示す、Ｐｒｏｆｉｌｅ−Ｃｈａｎｇｅ−Ｒｅｓｐメッセージで応答する。随意に、ＳＩＳＦ２０２４は、Ｐｒｏｆｉｌｅ−Ｃｈａｎｇｅ−Ｒｅｓｐをサブスクリプションサービス機能に転送し得る。
【０２５５】
図２７に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２７に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２７に図示されるステップを実施する。また、図２７に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２７に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２５６】
（スライスインスタンスを変更する）
ネットワークは、ユーザのサブスクリプション、負荷バランシング等の変更等の種々の理由により、ＵＥ２００６が割り当てられるスライスインスタンスを変更し得る。スライスインスタンス変更は、既存のＩＰ接続（存在する場合）を経由して、またはＵＬＮ２００４を経由して実施され得る。以下の節は、ＵＬＮベースの更新の場合に関するスライスインスタンス変更プロシージャの詳細を説明する。
【０２５７】
（スライスインスタンスを変更する−ＵＬＮベース−ＵＬＮ開始型）
ＵＬＮ２００４によって開始され、ＵＬＮ２００４を経由して実施されたとき、スライスインスタンスを変更するプロシージャは、１つ以上のネットワークスライスＩＤ（もしくはネットワークスライスＩＤに一意に解決可能である他の識別子）をＵＥ２００６に提供するであろう。このプロシージャ後に、ネットワークスライスインスタンスを前もって割り当てられたＵＥのうちの１つ以上のものは、もはや割り当てられないであろうが、異なるネットワークスライスインスタンスによって置換されるであろう。
【０２５８】
図２８は、ＵＬＮ開始型ＵＬＮベースのプロファイル変更を図示する略図である。
【０２５９】
図２８のステップ０では、随意に、サブスクリプションサービス機能は、ユーザに現在割り当てられているスライスのうちの１つ以上のものに影響を及ぼし得る、ユーザサブスクリプションの変更をＳＩＳＦ２０２４に通知し得る。
【０２６０】
図２８のステップ１では、ＳＩＳＦ２０２４は、更新されたサブスクリプション情報に基づいて、またはＯＭＡデバイス管理コマンド等により、ＳＳ−Ｃｈａｎｇｅ−ＳｌｉｃｅメッセージをＲＩＦ２１０２に送信するであろう。ＳＳ−Ｃｈａｎｇｅ−Ｓｌｉｃｅメッセージは、ユーザに現在配分されている１つ以上のネットワークスライスＩＤ、ならびにＵＥ２００６が現在の割り当てと置換するはずである１つ以上のネットワークスライスＩＤを含むであろう。
【０２６１】
図２８のステップ２では、ＲＩＦ２１０２は、少なくとも、それが受信したＳＳ−Ｃｈａｎｇｅ−Ｓｌｉｃｅメッセージの中に含まれたものと同一の情報を含むであろう、Ｃｈａｎｇｅ−Ｓｌｉｃｅ−ＡｓｓｉｇｎメッセージをＵＥ２００６に送信するであろう。
【０２６２】
図２８のステップ３では、ＵＥ２００６は、それが受信したＣｈａｎｇｅ−Ｓｌｉｃｅ−Ａｓｓｉｇｎメッセージに基づいて、それがネットワークスライスインスタンスの変更を確認することを示す、Ｃｈａｎｇｅ−Ｓｌｉｃｅ−Ｒｅｓｐメッセージで応答するであろう。
【０２６３】
図２８のステップ４では、ＲＩＦ２１０２は、ＳＳ−Ｃｈａｎｇｅ−Ｓｌｉｃｅ−Ｒｅｓｐメッセージの中でＵＥ２００６からの応答を転送するであろう。このメッセージは、ＵＥ２００６からのＣｈａｎｇｅ−Ｓｌｉｃｅ−Ｒｅｓｐメッセージの中に含まれた、少なくとも同一の情報を含むであろう。
【０２６４】
図２８に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２８に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２８に図示されるステップを実施する。また、図２８に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２８に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２６５】
（５Ｇネットワークプロシージャ（代替的アプローチ））
本節の中のプロシージャは、新しいネットワークスライスに接続する、ネットワークスライスを変更する、プロファイルを変更する等の代替的アプローチを示す。
【０２６６】
本節で説明される５Ｇネットワークプロシージャは、ＵＥ２００６が、ＩＰ接続も提供し得る、初期アタッチメント／接続イベントにおいてそれが接続するであろうデフォルトスライスを有すると仮定する。プロシージャは、表７で要約されるように、ＵＥサービスプロファイル更新と、ネットワークスライスインスタンス割り当ておよび更新とを含む。本節は、初期接続プロシージャ（ブロードキャストを含む）が図２２に関して説明されるように実施されると仮定する。
【表７】
2020191667.tif 000011
【０２６７】
（新しいスライスインスタンスをＵＥ２００６に割り当てる（代替的アプローチ））
新しいスライスインスタンスをＵＥに割り当てるプロシージャは、ＵＥ２００６によって開始され得る（例えば、新しいアプリがインストールされる、もしくは初めて起動される）、またはネットワークが、ユーザサブスクリプションの変更等の種々の理由により、それを開始し得る。以下の節は、種々の可能なシナリオに関する新しいスライス割り当ての詳細を説明する。
【０２６８】
（新しいスライスインスタンスをＵＥに割り当てる−ＵＥ開始型（代替的アプローチ））
新しいスライスインスタンス（代替的アプローチ）割り当てプロシージャは、１つ以上の新しいネットワークスライスを要求するように、ＵＥ２００６によって開始され得る。ＵＥ２００６は、このプロシージャ後に、ＵＥ２００６がそれに割り当てられたこれらの新しいネットワークスライスを有するように、ネットワークスライスインスタンスＩＤ（またはＳＩＳＦ２０２４によってネットワークスライスインスタンスＩＤに一意に解決され得る他の識別子）をすでに提供されていると仮定される。
【０２６９】
図２９は、ＵＥ開始型新しいスライス割り当て（代替的アプローチ）を図示する略図である。
【０２７０】
図２９のステップ０では、ネットワーク開始型プロファイル変更に先立って、接続性をＵＥ２００６に提供した初期ＲＩＦ接続プロシージャは、完了しているはずである（図２２参照）。ＩＰ接続もまた、確立されている場合がある。
【０２７１】
図２９のステップ１では、ＵＥ２００６は、Ｎｅｗ−Ｓｌｉｃｅ−ＲｅｑメッセージをＲＩＦ２１０２に送信する。このメッセージは、ＵＥ２００６が接続することを所望する、１つ以上のスライスインスタンスＩＤ（もしくはＳＩＳＦ２０２４によってスライスインスタンスＩＤに一意に解決され得るＩＤ）を含む。
【０２７２】
図２９のステップ２では、ＲＩＦ２１０２は、ＳＳ−Ｓｌｉｃｅ−ＲｅｑメッセージをＳＩＳＦ２０２４に送信し、ＵＥ２００６への１つ以上のスライスインスタンスの割り当てを要求する。
【０２７３】
ステップ２ａおよび２ｂでは、ＳＩＳＦ２０２４は、ＵＥサブスクリプションを考慮して、プロファイル変更が容認可能であることをチェックし得、したがって、メッセージのサブスクリプション要求／応答ペアが、サブスクリプションサービス機能と交換され得る。
【０２７４】
図２９のステップ３では、ＳＩＳＦ２０２４は、現在の割り当てに加えて、ＵＥ２００６が使用するはずであるネットワークスライスＩＤとともにＳＳ−Ｎｅｗ−Ｓｌｉｃｅメッセージを送信するであろう。ＳＩＳＦ２０２４によって提供されるリストは、ＵＥ２００６によって要求されるリストと同一、そのサブセット、または異なるスライスが割り当てられたものであり得る。
【０２７５】
ＳＩＳＦ２０２４が、ある機能性が新しいスライスに転送されることを要求する場合、転送および／または可能にされた機能のリスト、ならびに新しいスライスのための接続確立についての情報が提供される。ＨＡＲＤ／ＳＯＦＴ−ＴＲＡＮＳＩＴＩＯＮインジケータが、それをサポートし得る機能のための「メイクビフォアブレーク」遷移を示すように送信される。
【０２７６】
図２９のステップ４では、ＲＩＦ２１０２は、少なくとも、それが受信したＳＳ−Ｎｅｗ−Ｓｌｉｃｅメッセージの中に含まれたものと同一の情報を含むであろう、Ｎｅｗ−Ｓｌｉｃｅ−ＡｓｓｉｇｎメッセージをＵＥ２００６に送信するであろう。
【０２７７】
図２９のステップ５では、ＳＩＳＦ２０２４は、Ｓｌｉｃｅ−Ｎｏｔｉｆｙメッセージをサブスクリプションサービス機能２０６０（ＳＳＦ、５ａ）およびスライスインスタンス管理機能２０２６（ＳＩＭＦ、５ｂ）に送信し、ＵＥ２００６に割り当てられる更新されたネットワークスライスＩＤを示し得る。他のＳｌｉｃｅ−Ｎｏｔｉｆｙ指示メッセージが、関与するネットワークスライスのそれぞれの中のセッション管理（ＳＭ）機能２０４８を含む、他のネットワーク機能に送信され得る（５ｃ）。
【０２７８】
図２９のステップ６（随意）では、ＩＰセッションは、新しいスライス割り当てに基づいて修正され得る。
【０２７９】
図２９に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図２９に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図２９に図示されるステップを実施する。また、図２９に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図２９に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２８０】
（新しいスライスインスタンスをＵＥに割り当てる−ネットワーク開始型（代替的アプローチ））
新しいスライスインスタンス割り当て（代替的アプローチ）プロシージャは、ネットワークによって開始され、１つ以上の新しいネットワークスライスＩＤ（もしくはネットワークスライスＩＤに一意に解決可能である他の識別子）をＵＥ２００６に提供する。このプロシージャ後に、ＵＥ２００６は、それに割り当てられた少なくとも１つの新しいネットワークスライスを有するであろう。ＳＩＳＦ２０２４または他のネットワーク機能のいずれかが、新しいスライス割り当てを開始し得る。
【０２８１】
図３０は、ネットワーク開始型の新しいスライス割り当て（代替的アプローチ）を図示する略図である。
【０２８２】
図３０のステップ０では、ネットワーク開始型プロファイル変更に先立って、接続性をＵＥ２００６に提供した初期ＲＩＦ接続プロシージャは、完了しているはずである（図２２参照）。ＩＰ接続もまた、確立されている場合がある。
【０２８３】
図３０のステップ１では、ＳＩＳＦ２０２４は、内部処理に基づいて、または別のネットワーク機能からの具体的要求に基づいて、新しいスライスが１つ以上のＵＥのために要求されることを決定する。これは、サブスクリプションの変更を含み得る。
【０２８４】
新しいスライス割り当てがサブスクリプション変更によってトリガされる場合、本ステップは、図２４および２５のプロファイル変更プロシージャを含み得る、または以下の全プロシージャは、図２４および２５のプロファイル変更プロシージャと合併され得る。
【０２８５】
図３０のステップ２では、新しいスライス割り当てがサブスクリプションサービスに由来しなかった場合、ＳＩＳＦ２０２４は、サブスクリプションサービス機能を用いて、ＵＥ２００６サブスクリプションが新しいスライスと適合性があることをチェックする。
【０２８６】
図３０のステップ２ａおよび２ｂでは、メッセージのサブスクリプション要求／応答ペアは、本理由により、サブスクリプションサービス機能と交換され得る。
【０２８７】
図３０のステップ３では、ＳＩＳＦ２０２４は、現在の割り当てに加えて、ＵＥ２００６が使用するはずである、１つ以上のネットワークスライスＩＤを含む、ＳＳ−Ｎｅｗ−Ｓｌｉｃｅメッセージを送信するであろう。
【０２８８】
ＳＩＳＦ２０２４が、ある機能性が新しいスライスに転送されることを要求する場合、転送および／または可能にされた機能のリスト、ならびに新しいスライスのための接続確立についての情報が提供される。ＨＡＲＤ／ＳＯＦＴ−ＴＲＡＮＳＩＴＩＯＮインジケータが、それをサポートし得る機能のための「メイクビフォアブレーク」遷移を示すように送信される。
【０２８９】
図３０のステップ４では、ＲＩＦ２１０２は、少なくとも、それが受信したＳＳ−Ｎｅｗ−Ｓｌｉｃｅメッセージの中に含まれたものと同一の情報を含むであろう、Ｎｅｗ−Ｓｌｉｃｅ−ＡｓｓｉｇｎメッセージをＵＥ２００６に送信するであろう。
【０２９０】
図３０のステップ５では、ＵＥ２００６は、それが新しいネットワークスライスインスタンスの割り当てを確認することを示す、Ｎｅｗ−Ｓｌｉｃｅ−Ｒｅｓｐメッセージで応答するであろう。
【０２９１】
図３０のステップ６では、ＲＩＦ２１０２は、ＳＳ−Ｎｅｗ−Ｓｌｉｃｅ−Ｒｅｓｐメッセージの中でＵＥ２００６からの応答を転送するであろう。このメッセージは、ＵＥ２００６からのＮｅｗ−Ｓｌｉｃｅ−Ｒｅｓｐメッセージの中に含まれた、少なくとも同一の情報を含むであろう。
【０２９２】
図３０のステップ７では、ＳＩＳＦ２０２４は、Ｎｅｗ−Ｓｌｉｃｅ−Ｎｏｔｉｆｙメッセージを送信し、スライス割り当てプロシージャの完了を示すであろう。
【０２９３】
図３０のステップ７ａでは、イニシエータがＳＩＳＦ以外のネットワーク機能であった場合、発信側は、プロシージャ完了を通知される。
【０２９４】
図３０のステップ７ｂでは、スライスインスタンス管理機能（ＳＩＭＦ）は、新しいスライス割り当てを通知される。
【０２９５】
図３０のステップ７ｃ（随意）では、サブスクリプションサービス機能はまた、ＵＥ２００６に割り当てられる更新されたネットワークスライスＩＤを示すように、新しいスライス割り当てを通知され得る。
【０２９６】
図３０のステップ７ｄ（随意）では、他のＳｌｉｃｅ−Ｎｏｔｉｆｙ指示メッセージが、関与するネットワークスライスのそれぞれの中のセッション管理（ＳＭ）機能を含む、他のネットワーク機能に送信され得る。
【０２９７】
図３０のステップ８（随意）では、ＩＰセッションは、新しいスライス割り当てに基づいて修正され得る。
【０２９８】
図３０に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図３０に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図３０に図示されるステップを実施する。また、図３０に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図３０に図示される任意の伝送および受信ステップは、装置のプロセッサならびにそれが実行するコンピュータ実行可能命令（例えば、ソフトウェア）の制御下で、装置の通信回路によって実施され得ることも理解される。
【０２９９】
（プロファイル変更）
ネットワークの中（例えば、サブスクリプションサービス機能の中および／またはＳＩＳＦの中）に記憶されたサービスプロファイルは、種々の理由により更新され得る。プロファイル変更は、ＵＥ２００６またはネットワークによって開始され得る。
【０３００】
（プロファイル変更−ＵＥ開始型（代替的アプローチ））
ＵＥ開始型（代替的アプローチ）プロファイル変更では、ＵＥ２００６は、アプリケーション要件を変更すること、例えば、ブラウザがビデオストリーミングに使用され始めることに応答して、プロファイルの変更を要求するであろう。ＵＥ２００６は、退出機能を通してＩＰ接続を有すると仮定される。
【０３０１】
プロファイル変更の完了時に、既存のセッションが、修正され得る、またはＵＥ２００６は、１つ以上の新しいネットワークスライスインスタンスＩＤを提供され得る。
【０３０２】
図３１は、ＵＥ開始型プロファイル変更（代替的アプローチ）を図示する略図である。
【０３０３】
図３１のステップ０では、ＵＥ２００６開始型プロファイル変更に先立って、ＵＬＮ２００４との接続性をそれに提供した初期ＲＩＦ接続プロシージャは、完了しているはずである（図２２参照）。ＩＰ接続もまた、確立されている場合がある。
【０３０４】
図３１のステップ１では、サービス機能性が変化する（例えば、ブラウジングからビデオストリーミングになる）とき、ＵＥ２００６は、Ｐｒｏｆｉｌｅ−Ｃｈａｎｇｅ−ＲｅｑメッセージをＲＩＦ２１０２に送信するであろう。Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０３０５】
図３１のステップ２では、ＲＩＦ２１０２は、ＳＳ−Ｐｒｏｆｉｌｅ−Ｃｈａｎｇｅ−ＲｅｑメッセージをＳＩＳＦに送信するであろう。ＳＳ−Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０３０６】
図３１のステップ２ａおよび２ｂでは、ＳＩＳＦ２０２４は、ＵＥサブスクリプションを考慮して、プロファイル変更が容認可能であることをチェックし得、したがって、メッセージのサブスクリプション要求／応答ペアが、サブスクリプションサービス機能と交換され得る。
【０３０７】
図３１のステップ３では、ＳＩＳＦ２０２４は、Ｐｒｏｆｉｌｅ−Ｃｈａｎｇｅ−ＲｅｓｐメッセージでＲＩＦ２１０２に応答し、随意に、１つ以上のネットワークスライスＩＤ（もしくはネットワークによってネットワークスライスＩＤに一意に解決され得る他の識別子）を含み得る。
【０３０８】
図３１のステップ４では、ＲＩＦ２１０２は、ＳＩＳＦから受信される情報を含む、Ｐｒｏｆｉｌｅ−Ｃｈａｎｇｅ−ＲｅｓｐメッセージをＵＥ２００６に送信するであろう。
【０３０９】
図３１のステップ５（随意）では、ＳＩＳＦ２０２４は、ＵＥプロファイル変更プロシージャが完了したことを示す、Ｐｒｏｆｉｌｅ−Ｃｈａｎｇｅ−Ｎｏｔｉｆｙメッセージをサブスクリプションサービス機能（ＳＳＦ）２０６０に送信するであろう。他のネットワーク機能も、同様に通知され得る。
【０３１０】
図３１のステップ６（随意）では、ＩＰセッションは、ＵＥプロファイル変更に基づいて修正され得る。
【０３１１】
図３１に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図３１に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図３１に図示されるステップを実施する。また、図３１に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図３１に図示される任意の伝送および受信ステップは、装置のプロセッサならびにそれが実行するコンピュータ実行可能命令（例えば、ソフトウェア）の制御下で、装置の通信回路によって実施され得ることも理解される。
【０３１２】
（プロファイル変更−ネットワーク開始型（代替的アプローチ））
ネットワーク開始型（代替的アプローチ）プロファイル変更では、プロファイルの変更の要求が、サブスクリプション変更またはＯＭＡデバイス管理コマンドに応答して、ネットワーク機能によって発行される。ＵＥ２００６は、ＩＰ接続を有し得る。
【０３１３】
プロファイル変更の完了時に、既存のセッションが、修正され得る、またはＵＥ２００６は、１つ以上の新しいネットワークスライスインスタンスＩＤを提供され得る。
【０３１４】
図３２は、ネットワーク開始型プロファイル変更（代替的アプローチ）を図示する略図である。
【０３１５】
図３２のステップ０では、ネットワーク開始型プロファイル変更に先立って、接続性をＵＥ２００６に提供した初期ＲＩＦ接続プロシージャは、完了しているはずである（図２２参照）。ＩＰ接続もまた、確立されている場合がある。
【０３１６】
図３２のステップ１では、サブスクリプションサービスまたは別のネットワーク機能は、ＳＩＳＦへのＰｒｏｆｉｌｅ−Ｃｈａｎｇｅ−Ｒｅｑメッセージを使用することによって、プロファイル変更を要求するであろう。Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０３１７】
図３２のステップ１ａおよび１ｂでは、ＳＩＳＦ２０２４は、ＵＥサブスクリプションを考慮して、プロファイル変更が容認可能であることをチェックし得、したがって、（この機能がプロファイル変更リクエスタではない限り）メッセージのサブスクリプション要求／応答ペアが、サブスクリプションサービス機能と交換され得る。
【０３１８】
図３２のステップ２では、ＳＩＳＦ２０２４は、新しいプロファイル情報とともに、ＳＳ−Ｐｒｏｆｉｌｅ−Ｃｈａｎｇｅ−ＲｅｑをＲＩＦ２１０２に送信することによって、プロファイル変更を開始する。ＳＳ−Ｐｒｏｆｉｌｅ−Ｃｈａｎｇｅ−Ｒｅｑメッセージは、最低でも、ＵＥ２００６がアクセスすることを予期するサービスのタイプを記述する、１つ以上のＵＥ−ＳＥＲＶＩＣＥ−ＤＥＳＣＲＩＰＴＯＲＳを含むであろう。
【０３１９】
メッセージは、ＵＥ２００６とネットワークとの間のプロファイルの同期化変更を可能にする、「アクティブ時間」等の追加のパラメータを含み得る。また、メッセージは、ＵＥ２００６ならびにネットワークによって自動的に適用され／切り替えられ得る、異なる条件で、および／または異なる時間に使用される、代替的プロファイルを提供し得る。
【０３２０】
図３２のステップ３では、ＲＩＦ２１０２は、新しいプロファイル情報とともにＰｒｏｆｉｌｅ−Ｃｈａｎｇｅ−ＲｅｑメッセージをＵＥ２００６に送信するであろう。
【０３２１】
図３２のステップ４では、ローカルに記憶されたプロファイルを変更した後、ＵＥ２００６は、新しいプロファイルを確認するＰｒｏｆｉｌｅ−Ｃｈａｎｇｅ−ＲｅｓｐメッセージをＲＩＦ２１０２に送信するであろう。
【０３２２】
図３２のステップ５では、ＲＩＦ２１０２は、ＳＳ−Ｐｒｏｆｉｌｅ−ｃｈａｎｇｅ−ＲｅｓｐメッセージをＩＳＦに送信するであろう。
【０３２３】
図３２のステップ６では、ＳＩＳＦ２０２４は、Ｐｒｏｆｉｌｅ−Ｃｈａｎｇｅ−Ｒｅｓｐメッセージでイニシエータ（ＳＳＦ２０６０または他のネットワーク機能）に応答する。
【０３２４】
図３２のステップ７（随意）では、イニシエータがサブスクリプションサービス機能（ＳＳＦ）２０６０以外のネットワーク機能であった場合、ＳＩＳＦ２０２４は、ＵＥプロファイル変更プロシージャが完了したことを示す、Ｐｒｏｆｉｌｅ−Ｃｈａｎｇｅ−ＮｏｔｉｆｙをＳＳＦ２０６０に送信し得る。
【０３２５】
図３２のステップ８（随意）では、ＩＰセッションは、ＵＥプロファイル変更に基づいて修正され得る。
【０３２６】
図３２に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図３２に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図３２に図示されるステップを実施する。また、図３２に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図３２に図示される任意の伝送および受信ステップは、装置のプロセッサならびにそれが実行するコンピュータ実行可能命令（例えば、ソフトウェア）の制御下で、装置の通信回路によって実施され得ることも理解される。
【０３２７】
（スライスインスタンスを変更する）
ネットワークは、とりわけ、負荷バランシングまたはユーザのサブスクリプションの変更等の種々の理由により、ＵＥ２００６が割り当てられるスライスインスタンスを変更し得る。
【０３２８】
（変更スライスインスタンス−ネットワーク開始型（代替的アプローチ））
スライスインスタンスを変更するプロシージャ（代替的アプローチ）は、ネットワークによって開始され、ＵＥ２００６に割り当てられたネットワークスライスを変更する。このプロシージャ後に、ＵＥ２００６は、異なるネットワークスライスインスタンスに割り当てられるであろう。
【０３２９】
図３３は、ネットワーク開始型スライス変更（代替的アプローチ）を図示する略図である。
【０３３０】
図３３のステップ０では、ネットワーク開始型プロファイル変更に先立って、接続性をＵＥ２００６に提供した初期ＲＩＦ接続プロシージャは、完了しているはずである（図２２参照）。ＩＰ接続もまた、確立されている場合がある。
【０３３１】
図３３のステップ１では、ＳＩＳＦ２０２４は、内部処理に基づいて、または別のネットワーク機能からの具体的要求に基づいて、１つ以上のＵＥに割り当てられたスライスが変更される必要があることを決定する。これは、サブスクリプションの変更を含み得る。
【０３３２】
新しいスライス割り当てがサブスクリプション変更によってトリガされる場合、本ステップは、図２４および２５のプロファイル変更プロシージャを含み得る、または以下の全プロシージャは、図２４および２５のプロファイル変更プロシージャと合併され得る。
【０３３３】
図３３のステップ２では、新しいスライス割り当てがサブスクリプションサービスに由来しなかった場合、ＳＩＳＦ２０２４は、サブスクリプションサービス機能を用いて、ＵＥ２００６サブスクリプションが新しいスライスと適合性があることをチェックする。
【０３３４】
図３３のステップ２ａおよび２ｂでは、メッセージのサブスクリプション要求／応答ペアは、本理由により、サブスクリプションサービス機能と交換され得る。
【０３３５】
図３３のステップ３では、ＳＩＳＦ２０２４は、ＵＥ２００６に現在配分されている（１つ以上の）ネットワークスライスＩＤ、ならびに現在の割り当てを置換するはずである（１つ以上の）ネットワークスライスＩＤを含む、ＳＳ−Ｃｈａｎｇｅ−Ｓｌｉｃｅメッセージを送信するであろう。メッセージは、新しいスライスについての情報（例えば、ＮＥＷ＿ＮＳＩ＿ＩＤ−ＩＤ、ＳＬＩＣＥ＿ＤＥＳＣＲＩＰＴＯＲ、Ｓｌｉｃｅ＿Ｏｐｅｒａｔｉｎｇ＿Ｐａｒａｍｅｔｅｒｓ、Ｃｏｎｎｅｃｔｉｏｎ＿Ｐａｒａｍｅｔｅｒｓ）を含むであろう。
【０３３６】
ＳＩＳＦ２０２４が、スライスあたりの転送される機能および／または可能にされた機能のリスト、ならびに新しいスライスのための接続確立についての情報を提供し得る。ＨＡＲＤ／ＳＯＦＴ−ＴＲＡＮＳＩＴＩＯＮインジケータが、それをサポートし得る機能のための「メイクビフォアブレーク」遷移を示すように送信される。
【０３３７】
図３３のステップ４では、ＲＩＦ２１０２は、少なくとも、それが受信したＳＳ−Ｃｈａｎｇｅ−Ｓｌｉｃｅメッセージの中に含まれたものと同一の情報を含むであろう、Ｃｈａｎｇｅ−Ｓｌｉｃｅ−ＡｓｓｉｇｎメッセージをＵＥ２００６に送信するであろう。
【０３３８】
図３３のステップ５では、ＵＥ２００６は、それが受信したＣｈａｎｇｅ−Ｓｌｉｃｅ−Ａｓｓｉｇｎメッセージに基づいて、それがネットワークスライスインスタンスの変更を確認することを示す、Ｃｈａｎｇｅ−Ｓｌｉｃｅ−Ｒｅｓｐメッセージで応答するであろう。
【０３３９】
図３３のステップ６では、ＲＩＦ２１０２は、ＳＳ−Ｃｈａｎｇｅ−Ｓｌｉｃｅ−Ｒｅｓｐメッセージの中でＵＥ２００６からの応答を転送するであろう。このメッセージは、ＵＥ２００６からのＣｈａｎｇｅ−Ｓｌｉｃｅ−Ｒｅｓｐメッセージの中に含まれた、少なくとも同一の情報を含むであろう。
【０３４０】
図３３のステップ７では、イニシエータが別のネットワークであった場合、ＳＩＳＦ２０２４は、Ｓｌｉｃｅ−Ｃｈａｎｇｅ−Ｒｅｓｐを個別の機能に送信し、スライス変更プロシージャの完了を示す。
【０３４１】
図３３のステップ８では、ＳＩＳＦ２０２４は、Ｓｌｉｃｅ−Ｃｈａｎｇｅ−Ｎｏｔｉｆｙ指示をセッション管理（ＳＭ）機能に送信して、ＵＥ２００６に割り当てられる更新されたネットワークスライスＩＤを示し、必要なセッション転送プロシージャをトリガする。８ａおよび８ｂは、プロシージャ実行前ならびに後に割り当てられたスライス内のＳＭ機能に送信されたインジケータを示す。
【０３４２】
図３３のステップ９では、スライスへのＵＥ２００６接続は、割り当てられたスライスに基づいて修正される。コンテキストは、プロシージャに関与するスライスの間で交換され得る。
【０３４３】
スライス変更通知は、スライス変更による影響を受けた他のネットワーク機能に送信され得、変更が行われるはずであるときについてのタイミング情報を含み得る。他のコンテキスト転送プロシージャが、２つのスライスの中の同等の機能の間で起こり得る。
【０３４４】
図３３に図示されるステップを実施するエンティティは、図３６−３７に図示されるもの等の無線および／またはネットワーク通信もしくはコンピュータシステムのために構成される装置のメモリ内に記憶され、そのプロセッサ上で実行する、ソフトウェア（すなわち、コンピュータ実行可能命令）の形態で実装され得る、論理エンティティであり得ることが理解される。すなわち、図３３に図示される方法は、図３６−３７に図示される装置またはコンピュータシステム等の装置のメモリ内に記憶されたソフトウェア（すなわち、コンピュータ実行可能命令）の形態で実装され得、そのコンピュータ実行可能命令は、装置のプロセッサによって実行されると、図３３に図示されるステップを実施する。また、図３３に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。また、図３３に図示される任意の伝送および受信ステップは、装置のプロセッサならびにそれが実行するコンピュータ実行可能命令（例えば、ソフトウェア）の制御下で、装置の通信回路によって実施され得ることも理解される。
【０３４５】
（実施形態（実装側面））
図３４は、メッセージブローカとしてＩＲＦ／ＩＷＫ−ＩＲＦを実装することの例を示す。以下の点が留意される。
●  ＩＲＦ２０５８および／またはＩＷＫ−ＩＲＦは、ＩＲＦ２０５８に登録する全ての他のＮＦならびにＶＡＳがネットワークスライスインスタンスに関与し得るように、メッセージブローカとして実装される。ネットワークスライスインスタンスは、コアネットワークオペレータまたは第三者オペレータのいずれかによってプロビジョニングされるＮＦおよびＶＡＳから成り得る。
●  コアネットワークオペレータは、以下を提供する。
○  ＳＩＳＦ、ＳＩＭＦ、およびモビリティ管理等の機能性をＣＮで実装するＮＦならびにＶＡＳ。
○  ＩＲＦ２０５８に登録する利用可能なＮＦならびにＶＡＳの便宜的な発見を可能にする、ＮＦおよびＶＡＳディレクトリ
●  ＩＲＦ／ＩＷＫ−ＩＲＦが、本質的にメッセージングベースのミドルウェアであるメッセージブローカとして実装されるため、ＮＦは、ＩＲＦ２０５８において、それらが関心を持つある情報／イベントにサブスクライブし得る。例えば、モビリティ管理機能およびセッション管理機能は、対応する場所更新で通知されるように、ＩＲＦ２０５８においてＵＥ２００６またはＵＥのグループのための場所レポート／更新情報にサブスクライブし得る。
●  異なる第三者オペレータが、それらの独自のＮＦおよびＶＡＳをＩＲＦ２０５８に登録し、これらの機能／サービスをユーザに提供し得る。
●  図３４は、単一のネットワークスライスを表し得る、またはＩＲＦ２０５８が複数のネットワークスライスによって共有され、ＩＲＦ２０５８に接続されるＮＦが異なるネットワークスライスに属する、いくつかのネットワークスライスを表し得る。
【０３４６】
図３４に図示される機能性は、以下で説明される図３６−３７に図示されるもののうちの１つ等の無線デバイスまたは他の装置（例えば、サーバ、ゲートウェイ、デバイス、もしくは他のコンピュータシステム）のメモリ内に記憶され、そのプロセッサ上で実行する、ソフトウェア（すなわち、コンピュータ実行可能命令）の形態で実装され得ることが理解される。また、図３４に図示される機能性は、仮想化されたネットワーク機能のセットとして実装され得ることも理解される。ネットワーク機能は、必ずしも直接通信するわけではない場合があり、むしろ、転送またはルーティング機能を介して通信し得る。
【０３４７】
グラフィカルユーザインターフェース（ＧＵＩ）等のインターフェースが、仮想化されたモバイルコアネットワークに接続することに関連する機能性を制御および／または構成するユーザを支援するために使用されることができる。図３５は、ユーザが新しいスライスを作成する、または既存のスライスインスタンスを修正／削除することを可能にする、インターフェース３５０２を図示する略図である。インターフェース３５０２は、図３５に示されるもの等のディスプレイを使用して生成され得ることを理解されたい。
【０３４８】
（例示的Ｍ２Ｍ／ＩｏＴ／ＷｏＴ通信システム）
本明細書に説明される種々の技法は、ハードウェア、ファームウェア、ソフトウェア、もしくは適切である場合、それらの組み合わせに関連して実装され得る。そのようなハードウェア、ファームウェア、およびソフトウェアは、通信ネットワークの種々のノードに位置する装置の中に常駐し得る。本装置は、本明細書に説明される方法を達成するように、単独で、または互いと組み合わせて動作し得る。本明細書で使用されるように、「装置」、「ネットワーク装置」、「ノード」、「デバイス」、および「ネットワークノード」という用語は、同義的に使用され得る。
【０３４９】
サービス層は、ネットワークサービスアーキテクチャ内の機能層であり得る。サービス層は、典型的には、ＨＴＴＰ、ＣｏＡＰ、またはＭＱＴＴ等のアプリケーションプロトコル層の上方に位置し、付加価値サービスをクライアントアプリケーションに提供する。サービス層はまた、例えば、制御層およびトランスポート／アクセス層等の下位リソース層におけるコアネットワークへのインターフェースも提供する。サービス層は、サービス定義、サービス実行時間有効化、ポリシ管理、アクセス制御、およびサービスクラスタ化を含む、（サービス）能力または機能性の複数のカテゴリをサポートする。近年、いくつかの業界規格団体、例えば、ｏｎｅＭ２Ｍが、インターネット／ウェブ、セルラー、企業、およびホームネットワーク等の展開へのＭ２Ｍタイプのデバイスならびにアプリケーションの統合に関連付けられる課題に対処するように、Ｍ２Ｍサービス層を開発している。Ｍ２Ｍサービス層は、ＣＳＥまたはＳＣＬと称され得る、サービス層によってサポートされる上記の能力もしくは機能性の集合またはセットへのアクセスをアプリケーションおよび／または種々のデバイスに提供することができる。いくつかの例は、種々のアプリケーションによって一般に使用されることができる、セキュリティ、課金、データ管理、デバイス管理、発見、プロビジョニング、および接続性管理を含むが、それらに限定されない。これらの能力または機能性は、Ｍ２Ｍサービス層によって定義されるメッセージフォーマット、リソース構造、およびリソース表現を利用するＡＰＩを介して、そのような種々のアプリケーションに利用可能にされる。ＣＳＥまたはＳＣＬは、ハードウェアおよび／またはソフトウェアによって実装され得、それらがそのような能力または機能を使用するために、種々のアプリケーションならびに／もしくはデバイス（すなわち、そのような機能エンティティ間の機能インターフェース）にエクスポーズされる（サービス）能力または機能性を提供する、機能エンティティである。
【０３５０】
図３６Ａは、１つ以上の開示される実施形態が実装され得る、例示的マシンツーマシン（Ｍ２Ｍ）、モノのインターネット（ＩｏＴ）、もしくはモノのウェブ（ＷｏＴ）通信システム１０の略図である。概して、Ｍ２Ｍ技術は、ＩｏＴ／ＷｏＴのための構築ブロックを提供し、任意のＭ２Ｍデバイス、Ｍ２Ｍゲートウェイ、Ｍ２Ｍサーバ、またはＭ２Ｍサービスプラットフォームは、ＩｏＴ／ＷｏＴのコンポーネントまたはノードならびにＩｏＴ／ＷｏＴサービス層等であり得る。通信システム１０は、開示される実施形態の機能性を実装するために使用されることができ、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の機能性および論理エンティティを含むことができる。
【０３５１】
図３６Ａに示されるように、Ｍ２Ｍ／ＩｏＴ／ＷｏＴ通信システム１０は、通信ネットワーク１２を含む。通信ネットワーク１２は、固定ネットワーク（例えば、イーサネット（登録商標）、ファイバ、ＩＳＤＮ、ＰＬＣ等）または無線ネットワーク（例えば、ＷＬＡＮ、セルラー等）もしくは異種ネットワークのネットワークであり得る。例えば、通信ネットワーク１２は、音声、データ、ビデオ、メッセージング、ブロードキャスト等のコンテンツを複数のユーザに提供する、多重アクセスネットワークから成り得る。例えば、通信ネットワーク１２は、符号分割多重アクセス（ＣＤＭＡ）、時分割多重アクセス（ＴＤＭＡ）、周波数分割多重アクセス（ＦＤＭＡ）、直交ＦＤＭＡ（ＯＦＤＭＡ）、単一キャリアＦＤＭＡ（ＳＣ−ＦＤＭＡ）等の１つ以上のチャネルアクセス方法を採用し得る。さらに、通信ネットワーク１２は、例えば、コアネットワーク、インターネット、センサネットワーク、工業制御ネットワーク、パーソナルエリアネットワーク、融合個人ネットワーク、衛星ネットワーク、ホームネットワーク、または企業ネットワーク等の他のネットワークを備えてもよい。
【０３５２】
図３６Ａに示されるように、Ｍ２Ｍ／ＩｏＴ／ＷｏＴ通信システム１０は、インフラストラクチャドメインと、フィールドドメインとを含み得る。インフラストラクチャドメインは、エンドツーエンドＭ２Ｍ展開のネットワーク側を指し、フィールドドメインとは、通常は、Ｍ２Ｍゲートウェイの背後にある、エリアネットワークを指す。フィールドドメインおよびインフラストラクチャドメインは両方とも、種々の異なるネットワークノード（例えば、サーバ、ゲートウェイ、デバイス等）を備えてもよい。例えば、フィールドドメインは、Ｍ２Ｍゲートウェイ１４と、端末デバイス１８とを含み得る。任意の数のＭ２Ｍゲートウェイデバイス１４およびＭ２Ｍ端末デバイス１８が、所望に応じてＭ２Ｍ／ＩｏＴ／ＷｏＴ通信システム１０に含まれ得ることを理解されるであろう。Ｍ２Ｍゲートウェイデバイス１４およびＭ２Ｍ端末デバイス１８のそれぞれは、通信回路を使用して、通信ネットワーク１２または直接無線リンクを介して、信号を伝送および受信するように構成される。Ｍ２Ｍゲートウェイ１４は、無線Ｍ２Ｍデバイス（例えば、セルラーおよび非セルラー）ならびに固定ネットワークＭ２Ｍデバイス（例えば、ＰＬＣ）が、通信ネットワーク１２等のオペレータネットワークを通して、または直接無線リンクを通してのいずれかで、通信することを可能にする。例えば、Ｍ２Ｍ端末デバイス１８は、データを収集し、通信ネットワーク１２または直接無線リンクを介して、データをＭ２Ｍアプリケーション２０または他のＭ２Ｍ端末デバイス１８に送信し得る。Ｍ２Ｍ端末デバイス１８はまた、Ｍ２Ｍアプリケーション２０またはＭ２Ｍ端末デバイス１８からデータを受信し得る。さらに、データおよび信号は、以下で説明されるように、Ｍ２Ｍサービス層２２を介して、Ｍ２Ｍアプリケーション２０に送信され、そこから受信され得る。Ｍ２Ｍ端末デバイス１８およびゲートウェイ１４は、例えば、セルラー、ＷＬＡＮ、ＷＰＡＮ（例えば、Ｚｉｇｂｅｅ（登録商標）、６ＬｏＷＰＡＮ、Ｂｌｕｅｔｏｏｔｈ（登録商標））、直接無線リンク、および有線を含む、種々のネットワークを介して通信し得る。
【０３５３】
例示的Ｍ２Ｍ端末デバイス１８は、タブレット、スマートフォン、医療デバイス、温度および気象モニタ、コネクテッドカー、スマートメータ、ゲームコンソール、携帯情報端末、保健および健康モニタ、照明、サーモスタット、電化製品、ガレージドア、および他のアクチュエータベースのデバイス、セキュリティデバイス、ならびにスマートコンセントを含むが、それらに限定されない。
【０３５４】
図３６Ｂを参照すると、フィールドドメイン内の図示されたＭ２Ｍサービス層２２は、Ｍ２Ｍアプリケーション２０、Ｍ２Ｍゲートウェイデバイス１４、およびＭ２Ｍ端末デバイス１８、ならびに通信ネットワーク１２のためのサービスを提供する。通信システムネットワーク１２は、開示される実施形態の機能性を実装するために使用されることができ、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の機能性および論理エンティティを含むことができる。Ｍ２Ｍサービス層２２は、例えば、以下で説明される図３６Ｃおよび３６Ｄで図示されるデバイスを含む、１つ以上のサーバ、コンピュータ、デバイス、仮想マシン（例えば、クラウド／記憶ファーム等）、もしくは同等物によって実装され得る。Ｍ２Ｍサービス層２２は、所望に応じて、任意の数のＭ２Ｍアプリケーション、Ｍ２Ｍゲートウェイ１４、Ｍ２Ｍ端末デバイス１８、および通信ネットワーク１２と通信し得ることを理解されるであろう。Ｍ２Ｍサービス層２２は、サーバ、コンピュータ、デバイス等を備え得る、ネットワークの１つ以上のノードによって実装され得る。Ｍ２Ｍサービス層２２は、Ｍ２Ｍ端末デバイス１８、Ｍ２Ｍゲートウェイ１４、およびＭ２Ｍアプリケーション２０に適用されるサービス能力を提供する。Ｍ２Ｍサービス層２２の機能は、例えば、ウェブサーバとして、セルラーコアネットワークで、クラウドで等、種々の方法で実装され得る。
【０３５５】
図示されたＭ２Ｍサービス層２２と同様に、インフラストラクチャドメイン内にＭ２Ｍサービス層２２’がある。Ｍ２Ｍサービス層２２’は、インフラストラクチャドメイン内のＭ２Ｍアプリケーション２０’および下層通信ネットワーク１２’のためのサービスを提供する。Ｍ２Ｍサービス層２２’はまた、フィールドドメイン内のＭ２Ｍゲートウェイ１４およびＭ２Ｍ端末デバイス１８のためのサービスも提供する。Ｍ２Ｍサービス層２２’は、任意の数のＭ２Ｍアプリケーション、Ｍ２Ｍゲートウェイ、およびＭ２Ｍデバイスと通信し得ることを理解されるであろう。Ｍ２Ｍサービス層２２’は、異なるサービスプロバイダによるサービス層と相互作用し得る。Ｍ２Ｍサービス層２２’は、サーバ、コンピュータ、デバイス、仮想マシン（例えば、クラウドコンピューティング／記憶ファーム等）等を備え得る、ネットワークの１つ以上のノードによって実装され得る。
【０３５６】
また、図３６Ｂも参照すると、Ｍ２Ｍサービス層２２および２２’は、多様なアプリケーションおよびバーティカルが活用することができる、サービス配信能力のコアセットを提供する。これらのサービス能力は、Ｍ２Ｍアプリケーション２０および２０’がデバイスと相互作用し、データ収集、データ分析、デバイス管理、セキュリティ、請求、サービス／デバイス発見等の機能を果たすことを可能にする。本質的に、これらのサービス能力は、これらの機能性を実装する負担をアプリケーションから取り除き、したがって、アプリケーション開発を単純化し、市場に出す費用および時間を削減する。サービス層２２および２２’はまた、Ｍ２Ｍアプリケーション２０および２０’が、サービス層２２および２２’が提供するサービスと関連して、ネットワーク１２を通して通信することも可能にする。
【０３５７】
本願の方法は、サービス層２２および２２’の一部として実装され得る。サービス層２２および２２’は、アプリケーションプログラミングインターフェース（ＡＰＩ）および下層ネットワーキングインターフェースのセットを通して付加価値サービス能力をサポートする、ソフトウェアミドルウェア層である。ＥＴＳＩ  Ｍ２ＭおよびｏｎｅＭ２Ｍは両方とも、本願の接続方法を含み得る、サービス層を使用する。ＥＴＳＩ  Ｍ２Ｍのサービス層は、サービス能力層（ＳＣＬ）と称される。ＳＣＬは、Ｍ２Ｍデバイス（デバイスＳＣＬ（ＤＳＣＬ）と称される）、ゲートウェイ（ゲートウェイＳＣＬ（ＧＳＣＬ）と称される）、および／またはネットワークノード（ネットワークＳＣＬ（ＮＳＣＬ）と称される）内に実装され得る。ｏｎｅＭ２Ｍサービス層は、共通サービス機能（ＣＳＦ）（すなわち、サービス能力）のセットをサポートする。１つ以上の特定のタイプのＣＳＦのセットのインスタンス化は、異なるタイプのネットワークノード（例えば、インフラストラクチャノード、中間ノード、特定用途向けノード）上にホストされ得る、共通サービスエンティティ（ＣＳＥ）と称される。さらに、本願の接続方法は、本願の接続方法等のサービスにアクセスするために、サービス指向アーキテクチャ（ＳＯＡ）および／またはリソース指向アーキテクチャ（ＲＯＡ）を使用する、Ｍ２Ｍネットワークの一部として実装されることができる。
【０３５８】
いくつかの実施形態では、Ｍ２Ｍアプリケーション２０および２０’は、開示されるシステムおよび方法と併せて使用され得る。Ｍ２Ｍアプリケーション２０および２０’は、ＵＥまたはゲートウェイと相互作用するアプリケーションを含んでもよく、また、他の開示されるシステムおよび方法と併せて使用され得る。
【０３５９】
一実施形態では、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の論理エンティティは、図３６Ｂに示されるように、Ｍ２Ｍサーバ、Ｍ２Ｍゲートウェイ、またはＭ２Ｍデバイス等のＭ２ＭノードによってホストされるＭ２Ｍサービス層インスタンス内でホストされ得る。例えば、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の論理エンティティは、Ｍ２Ｍサービス層インスタンス内で、または既存のサービス能力内のサブ機能として、個々のサービス能力を備えてもよい。
【０３６０】
Ｍ２Ｍアプリケーション２０および２０’は、限定ではないが、輸送、保健および健康、コネクテッドホーム、エネルギー管理、アセット追跡、ならびにセキュリティおよび監視等の種々の業界でのアプリケーションを含み得る。上記のように、本システムのデバイス、ゲートウェイ、サーバ、および他のノードを横断して起動するＭ２Ｍサービス層は、例えば、データ収集、デバイス管理、セキュリティ、請求、場所追跡／ジオフェンシング、デバイス／サービス発見、およびレガシーシステム統合等の機能をサポートし、サービスとしてこれらの機能をＭ２Ｍアプリケーション２０および２０’に提供する。
【０３６１】
概して、サービス層２２および２２’は、アプリケーションプログラミングインターフェース（ＡＰＩ）および下層ネットワーキングインターフェースのセットを通して付加価値サービス能力をサポートする、ソフトウェアミドルウェア層を定義する。ＥＴＳＩ  Ｍ２ＭおよびｏｎｅＭ２Ｍアーキテクチャは両方とも、サービス層を定義する。ＥＴＳＩ  Ｍ２Ｍのサービス層は、サービス能力層（ＳＣＬ）と称される。ＳＣＬは、ＥＴＳＩ  Ｍ２Ｍアーキテクチャの種々の異なるノード内に実装され得る。例えば、サービス層のインスタンスは、Ｍ２Ｍデバイス（デバイスＳＣＬ（ＤＳＣＬ）と称される）、ゲートウェイ（ゲートウェイＳＣＬ（ＧＳＣＬ）と称される）、および／またはネットワークノード（ネットワークＳＣＬ（ＮＳＣＬ）と称される）内で実装され得る。ｏｎｅＭ２Ｍサービス層は、共通サービス機能（ＣＳＦ）（すなわち、サービス能力）のセットをサポートする。１つ以上の特定のタイプのＣＳＦのセットのインスタンス化は、異なるタイプのネットワークノード（例えば、インフラストラクチャノード、中間ノード、特定用途向けノード）上にホストされ得る、共通サービスエンティティ（ＣＳＥ）と称される。第３世代パートナーシッププロジェクト（３ＧＰＰ）はまた、マシンタイプ通信（ＭＴＣ）のためのアーキテクチャも定義している。そのアーキテクチャでは、サービス層およびそれが提供するサービス能力は、サービス能力サーバ（ＳＣＳ）の一部として実装される。ＥＴＳＩ  Ｍ２ＭアーキテクチャのＤＳＣＬ、ＧＳＣＬ、またはＮＳＣＬで、３ＧＰＰ  ＭＴＣアーキテクチャのサービス能力サーバ（ＳＣＳ）で、ｏｎｅＭ２ＭアーキテクチャのＣＳＦまたはＣＳＥで、もしくはネットワークのある他のノードで具現化されるかどうかにかかわらず、サービス層のインスタンスは、サーバ、コンピュータ、および他のコンピュータデバイスまたはノードを含む、ネットワーク内の１つ以上の独立型ノード上で、または１つ以上の既存のノードの一部としてのいずれかで実行する、論理エンティティ（例えば、ソフトウェア、コンピュータ実行可能命令等）として実装され得る。例として、サービス層またはそのコンポーネントのインスタンスは、以下で説明される図３６Ｃまたは図３６Ｄに図示される一般アーキテクチャを有する、ネットワークノード（例えば、サーバ、コンピュータ、ゲートウェイ、デバイス等）上で起動するソフトウェアの形態で実装され得る。
【０３６２】
さらに、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の論理エンティティは、本願のサービスにアクセスするために、サービス指向アーキテクチャ（ＳＯＡ）および／またはリソース指向アーキテクチャ（ＲＯＡ）を使用する、Ｍ２Ｍネットワークの一部として実装されることができる。
【０３６３】
図３６Ｃは、Ｍ２Ｍデバイス１８、Ｍ２Ｍゲートウェイ１４、Ｍ２Ｍサーバ等のＭ２Ｍネットワークノード３０の例示的ハードウェア／ソフトウェアアーキテクチャのブロック図である。ノード３０は、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の論理エンティティを実行する、または含むことができる。デバイス３０は、図３６Ａ−Ｂに示されるようなＭ２Ｍネットワークの一部または非Ｍ２Ｍネットワークの一部であることができる。図３６Ｃに示されるように、Ｍ２Ｍノード３０は、プロセッサ３２と、非取り外し可能メモリ４４と、取り外し可能メモリ４６と、スピーカ／マイクロホン３８と、キーパッド４０と、ディスプレイ、タッチパッド、および／またはインジケータ４２と、電源４８と、全地球測位システム（ＧＰＳ）チップセット５０と、他の周辺機器５２とを含み得る。ノード３０はまた、送受信機３４および伝送／受信要素３６等の通信回路を含み得る。Ｍ２Ｍノード３０は、実施形態と一致したままで、前述の要素の任意の副次的組み合わせを含み得ることを理解されるであろう。本ノードは、本明細書に説明されるＳＭＳＦ機能性を実装するノードであり得る。
【０３６４】
プロセッサ３２は、汎用プロセッサ、特殊目的プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。一般に、プロセッサ３２は、ノードの種々の要求される機能を果たすために、ノードのメモリ（例えば、メモリ４４および／またはメモリ４６）内に記憶されたコンピュータ実行可能命令を実行し得る。例えば、プロセッサ３２は、信号符号化、データ処理、電力制御、入出力処理、および／またはＭ２Ｍノード３０が無線もしくは有線環境内で動作することを可能にする任意の他の機能性を果たし得る。プロセッサ３２は、アプリケーション層プログラム（例えば、ブラウザ）および／または無線アクセス層（ＲＡＮ）プログラムならびに／もしくは他の通信プログラムを起動し得る。プロセッサ３２はまた、例えば、アクセス層および／またはアプリケーション層等で、認証、セキュリティキー一致、ならびに／もしくは暗号化動作等のセキュリティ動作を実施し得る。
【０３６５】
図３６Ｃに示されるように、プロセッサ２３は、その通信回路（例えば、送受信機３４および伝送／受信要素３６）に結合される。プロセッサ２３は、コンピュータ実行可能命令の実行を通して、それが接続されるネットワークを介してノード３０を他のノードと通信させるために、通信回路を制御し得る。具体的には、プロセッサ３２は、本明細書および請求項に説明される伝送および受信ステップを行うために、通信回路を制御し得る。図３６Ｃは、プロセッサ３２および送受信機３４を別個のコンポーネントとして描写するが、プロセッサ３２および送受信機３４は、電子パッケージまたはチップ内にともに統合され得ることを理解されるであろう。
【０３６６】
伝送／受信要素３６は、Ｍ２Ｍサーバ、ゲートウェイ、デバイス等を含む、他のＭ２Ｍノードに信号を伝送する、またはそこから信号を受信するように構成され得る。例えば、実施形態では、伝送／受信要素３６は、ＲＦ信号を伝送および／または受信するように構成されるアンテナであり得る。伝送／受信要素３６は、ＷＬＡＮ、ＷＰＡＮ、セルラー等の種々のネットワークならびにエアインターフェースをサポートし得る。実施形態では、伝送／受信要素３６は、例えば、ＩＲ、ＵＶ、もしくは可視光信号を伝送および／または受信するように構成されるエミッタ／検出器であり得る。さらに別の実施形態では、伝送／受信要素３６は、ＲＦおよび光信号の両方を伝送ならびに受信するように構成され得る。伝送／受信要素３６は、無線もしくは有線信号の任意の組み合わせを伝送および／または受信するように構成され得ることを理解されるであろう。
【０３６７】
加えて、伝送／受信要素３６は、単一の要素として図３６Ｃで描写されているが、Ｍ２Ｍノード３０は、任意の数の伝送／受信要素３６を含み得る。より具体的には、Ｍ２Ｍノード３０は、ＭＩＭＯ技術を採用し得る。したがって、実施形態では、Ｍ２Ｍノード３０は、無線信号を伝送および受信するための２つ以上の伝送／受信要素３６（例えば、複数のアンテナ）を含み得る。
【０３６８】
送受信機３４は、伝送／受信要素３６によって伝送される信号を変調するように、および伝送／受信要素３６によって受信される信号を復調するように構成され得る。上記のように、Ｍ２Ｍノード３０は、マルチモード能力を有し得る。したがって、送受信機３４は、Ｍ２Ｍノード３０が、例えば、ＵＴＲＡおよびＩＥＥＥ  ８０２．１１等の複数のＲＡＴを介して通信することを可能にするための複数の送受信機を含み得る。
【０３６９】
プロセッサ３２は、非取り外し可能メモリ４４および／または取り外し可能メモリ４６等の任意のタイプの好適なメモリから情報にアクセスし、その中にデータを記憶し得る。例えば、プロセッサ３２は、上記で説明されるように、セッションコンテキストをそのメモリの中に記憶し得る。非取り外し可能メモリ４４は、ランダムアクセスメモリ（ＲＡＭ）、読み取り専用メモリ（ＲＯＭ）、ハードディスク、または任意の他のタイプのメモリ記憶デバイスを含み得る。取り外し可能メモリ４６は、サブスクライバ識別モジュール（ＳＩＭ）カード、メモリスティック、セキュアデジタル（ＳＤ）メモリカード等を含み得る。他の実施形態では、プロセッサ３２は、サーバまたは自宅コンピュータ上等のＭ２Ｍノード３０上に物理的に位置しないメモリから情報にアクセスし、その中にデータを記憶し得る。プロセッサ３２は、ディスプレイ上の視覚的指示を制御し、システムのステータスを決定させる、または入力をユーザから得る、もしくは能力または設定についての情報をユーザに表示するように構成され得る。ディスプレイ上に示され得る、グラフィカルユーザインターフェースは、ユーザが本明細書に説明される機能性を双方向に行うことを可能にするように、ＡＰＩの上で層化され得る。
【０３７０】
プロセッサ３２は、電源４８から電力を受電し得、Ｍ２Ｍノード３０内の他のコンポーネントへの電力を分配および／または制御するように構成され得る。電源４８は、Ｍ２Ｍノード３０に給電するための任意の好適なデバイスであり得る。例えば、電源４８は、１つ以上の乾電池バッテリ（例えば、ニッケルカドミウム（ＮｉＣｄ）、ニッケル亜鉛（ＮｉＺｎ）、ニッケル水素（ＮｉＭＨ）、リチウムイオン（Ｌｉ−ｉｏｎ）等）、太陽電池、燃料電池等を含み得る。
【０３７１】
プロセッサ３２はまた、Ｍ２Ｍノード３０の現在の場所に関する場所情報（例えば、経度および緯度）を提供するように構成される、ＧＰＳチップセット５０に結合され得る。Ｍ２Ｍノード３０は、実施形態と一致したままで、任意の好適な場所決定方法を介して場所情報を獲得し得ることを理解されるであろう。
【０３７２】
プロセッサ３２はさらに、追加の特徴、機能性、および／または有線もしくは無線接続性を提供する、１つ以上のソフトウェアならびに／もしくはハードウェアモジュールを含み得る、他の周辺機器５２に結合され得る。例えば、周辺機器５２は、加速度計、バイオメトリック（例えば、指紋）センサ等の種々のセンサ、ｅ−コンパス、衛星送受信機、デジタルカメラ（写真またはビデオ用）、ユニバーサルシリアルバス（ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ等を含み得る。
【０３７３】
ノード３０は、センサ、消費者電子機器、スマートウォッチまたはスマート衣類等のウェアラブルデバイス、医療またはｅ−ヘルスデバイス、ロボット、産業機器、ドローン、車、トラック、電車、または飛行機等の車両等の他の装置もしくはデバイスで具現化され得る。ノード３０は、周辺機器５２のうちの１つを備え得る相互接続インターフェース等の１つ以上の相互接続インターフェースを介して、そのような装置もしくはデバイスの他のコンポーネント、モジュール、またはシステムに接続し得る。代替として、ノード３０は、センサ、消費者電子機器、スマートウォッチまたはスマート衣類等のウェアラブルデバイス、医療またはｅ−ヘルスデバイス、ロボット、産業機器、ドローン、車、トラック、電車、または飛行機等の車両等の装置もしくはデバイスを備えてもよい。
【０３７４】
図３６Ｄは、Ｍ２Ｍサーバ、ゲートウェイ、デバイス、または他のノード等のＭ２Ｍネットワークの１つ以上のノードを実装するためにも使用され得る、例示的コンピューティングシステム９０のブロック図である。コンピューティングシステム９０は、コンピュータまたはサーバを備えてもよく、主に、そのようなソフトウェアが記憶またはアクセスされる場所もしくは手段にかかわらず、ソフトウェアの形態であり得るコンピュータ読み取り可能な命令によって制御され得る。コンピューティングシステム９０は、サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の論理エンティティを実行する、または含むことができる。コンピューティングシステム９０は、Ｍ２Ｍデバイス、ユーザ機器、ゲートウェイ、ＵＥ／ＧＷ、または、例えば、モバイルコアネットワーク、サービス層ネットワークアプリケーションプロバイダ、端末デバイス１８、もしくはＭ２Ｍゲートウェイデバイス１４のノードを含む、任意の他のノードであることができる。そのようなコンピュータ読み取り可能な命令は、コンピューティングシステム９０を稼働させるように、中央処理装置（ＣＰＵ）９１等のプロセッサ内で実行され得る。多くの公知のワークステーション、サーバ、およびパーソナルコンピュータでは、中央処理装置９１は、マイクロプロセッサと呼ばれる単一チップＣＰＵによって実装される。他のマシンでは、中央処理装置９１は、複数のプロセッサを備えてもよい。コプロセッサ８１は、追加の機能を果たす、またはＣＰＵ９１を支援する、主要ＣＰＵ９１とは異なる、随意のプロセッサである。ＣＰＵ９１および／またはコプロセッサ８１は、セッション証明書の受信またはセッション証明書に基づく認証等のＥ２Ｅ  Ｍ２Ｍサービス層セッションのための開示されたシステムおよび方法に関連するデータを受信、生成、ならびに処理し得る。
【０３７５】
動作時、ＣＰＵ９１は、命令をフェッチ、復号、および実行し、コンピュータの主要データ転送パスであるシステムバス８０を介して、情報を他のリソースへ、ならびにそこから転送する。そのようなシステムバスは、コンピューティングシステム９０内のコンポーネントを接続し、データ交換のための媒体を定義する。システムバス８０は、典型的には、データを送信するためのデータラインと、アドレスを送信するためのアドレスラインと、インタラプトを送信するため、およびシステムバスを動作させるための制御ラインとを含む。そのようなシステムバス８０の例は、ＰＣＩ（周辺コンポーネント相互接続）バスである。
【０３７６】
システムバス８０に結合されるメモリは、ランダムアクセスメモリ（ＲＡＭ）８２と、読み取り専用メモリ（ＲＯＭ）９３とを含む。そのようなメモリは、情報が記憶されて読み出されることを可能にする回路を含む。ＲＯＭ９３は、概して、容易に修正されることができない、記憶されたデータを含む。ＲＡＭ８２内に記憶されたデータは、ＣＰＵ９１または他のハードウェアデバイスによって読み取られる、もしくは変更されることができる。ＲＡＭ８２および／またはＲＯＭ９３へのアクセスは、メモリコントローラ９２によって制御され得る。メモリコントローラ９２は、命令が実行されると、仮想アドレスを物理的アドレスに変換する、アドレス変換機能を提供し得る。メモリコントローラ９２はまた、システム内のプロセスを隔離し、ユーザプロセスからシステムプロセスを隔離する、メモリ保護機能を提供し得る。したがって、第１のモードで起動するプログラムは、その独自のプロセス仮想アドレス空間によってマップされるメモリのみにアクセスすることができ、プロセス間のメモリ共有が設定されていない限り、別のプロセスの仮想アドレス空間内のメモリにアクセスすることができない。
【０３７７】
加えて、コンピューティングシステム９０は、ＣＰＵ９１からプリンタ９４、キーボード８４、マウス９５、およびディスクドライブ８５等の周辺機器に命令を通信する責任がある、周辺機器コントローラ８３を含み得る。
【０３７８】
ディスプレイコントローラ９６によって制御されるディスプレイ８６は、コンピューティングシステム９０によって生成される視覚出力を表示するために使用される。そのような視覚出力は、テキスト、グラフィックス、動画グラフィックス、およびビデオを含み得る。ディスプレイ８６は、ＣＲＴベースのビデオディスプレイ、ＬＣＤベースのフラットパネルディスプレイ、ガスプラズマベースのフラットパネルディスプレイ、またはタッチパネルを伴って実装され得る。ディスプレイコントローラ９６は、ディスプレイ８６に送信されるビデオ信号を生成するために要求される、電子コンポーネントを含む。
【０３７９】
さらに、コンピューティングシステム９０は、コンピューティングシステム９０がネットワークの他のノードと通信することを可能にするように、図３６Ａおよび図３６Ｂのネットワーク１２等の外部通信ネットワークにコンピューティングシステム９０を接続するために使用され得る、例えば、ネットワークアダプタ９７等の通信回路を含み得る。
【０３８０】
ユーザ機器（ＵＥ）は、通信するためにエンドユーザによって使用される任意のデバイスであることができる。これは、ハンドヘルド電話、モバイルブロードバンドアダプタを装備するラップトップコンピュータ、または任意の他のデバイスであることができる。例えば、ＵＥは、図３６Ａ−ＢのＭ２Ｍ端末デバイス１８または図３６Ｃのデバイス３０として実装されることができる。
【０３８１】
第３世代パートナーシッププロジェクト（３ＧＰＰ）は、コーデック、セキュリティ、およびサービス品質に関する作業を含む、無線アクセス、コアトランスポートネットワーク、およびサービス能力を含む、セルラー電気通信ネットワーク技術のための技術的規格を開発している。最近の無線アクセス技術（ＲＡＴ）規格は、ＷＣＤＭＡ（登録商標）（一般に、３Ｇと称される）、ＬＴＥ（一般に、４Ｇと称される）、およびＬＴＥ−アドバンスト規格を含む。３ＧＰＰは、「５Ｇ」とも称される、新しい無線（ＮＲ）と呼ばれる、次世代セルラー技術の標準化に関する作業を開始している。３ＧＰＰ  ＮＲ規格開発は、次世代無線アクセス技術（新しいＲＡＴ）の定義を含むことが予期され、これは、６ＧＨｚを下回る新しいフレキシブルな無線アクセスの提供と、６ＧＨｚを上回る新しいウルトラモバイルブロードバンド無線アクセスの提供とを含むことが予期される。フレキシブルな無線アクセスは、６ＧＨｚを下回る新しいスペクトルにおける新しい非後方適合無線アクセスから成ることが予期され、同一スペクトル内でともに多重化され、多様な要件を伴う広範な３ＧＰＰ  ＮＲユースケースのセットに対処し得る、異なる動作モードを含むことが予期される。ウルトラモバイルブロードバンドは、ウルトラモバイルブロードバンドアクセス、例えば、屋内用途およびホットスポットの機会を提供するであろう、ｃｍ波およびｍｍ波スペクトルを含むことが予期される。特に、ウルトラモバイルブロードバンドは、ｃｍ波およびｍｍ波特有の設計最適化を伴って、６ＧＨｚを下回るフレキシブル無線アクセスと共通設計フレームワークを共有することが予期される。
【０３８２】
３ＧＰＰは、データレート、待ち時間、およびモビリティのための多種多様なユーザ体験要件をもたらす、ＮＲがサポートすることが予期される、種々のユースケースを識別している。ユースケースは、以下の一般的カテゴリ、すなわち、拡張モバイルブロードバンド（例えば、高密度エリアにおけるブロードバンドアクセス、屋内超高ブロードバンドアクセス、群集の中のブロードバンドアクセス、あらゆる場所における５０＋Ｍｂｐｓ、超低コストブロードバンドアクセス、車両内のモバイルブロードバンド）、重要通信、大量マシンタイプ通信、ネットワーク動作（例えば、ネットワークスライシング、ルーティング、移行およびインターワーキング、エネルギー節約）、および拡張された車両とあらゆるもの（ｅＶ２Ｘ）間の通信を含む。これらのカテゴリにおける具体的サービスおよび用途は、いくつか挙げると、例えば、監視およびセンサネットワーク、デバイス遠隔制御、双方向遠隔制御、パーソナルクラウドコンピューティング、ビデオストリーミング、無線クラウドベースのオフィス、緊急対応者接続性、自動車ｅコール、災害アラート、リアルタイムゲーム、多人数ビデオコール、自律運転、拡張現実、触知インターネット、および仮想現実を含む。これらのユースケースおよびその他は全て、本明細書で考慮される。
【０３８３】
図３７Ａは、本明細書で説明および請求される方法ならびに装置が具現化され得る、例示的通信システム２００の一実施形態を図示する。示されるように、例示的通信システム２００は、無線伝送／受信ユニット（ＷＴＲＵ）２０２ａ、２０２ｂ、２０２ｃ、および／または２０２ｄ（概して、もしくは集合的に、ＷＴＲＵ２０２と称され得る）と、無線アクセスネットワーク（ＲＡＮ）２０３／２０４／２０５／２０３ｂ／２０４ｂ／２０５ｂと、コアネットワーク２０６／２０７／２０９と、公衆交換電話ネットワーク（ＰＳＴＮ）２０８と、インターネット２１０と、他のネットワーク２１２とを含み得るが、開示される実施形態は、任意の数のＷＴＲＵ、基地局、ネットワーク、および／またはネットワーク要素を考慮することを理解されるであろう。ＷＴＲＵ２０２ａ、２０２ｂ、２０２ｃ、２０２ｄ、２０２ｅはそれぞれ、無線環境で動作および／または通信するように構成される、任意のタイプの装置もしくはデバイスであり得る。各ＷＴＲＵ２０２ａ、２０２ｂ、２０２ｃ、２０２ｄ、２０２ｅは、ハンドヘルド無線通信装置として図３７Ａ−３７Ｅに描写されるが、５Ｇ無線通信のために考慮される多種多様なユースケースを用いると、各ＷＴＲＵは、一例のみとして、ユーザ機器（ＵＥ）、移動局、固定またはモバイルサブスクライバユニット、ポケベル、携帯電話、携帯情報端末（ＰＤＡ）、スマートフォン、ラップトップ、タブレット、ネットブック、ノートブックコンピュータ、パーソナルコンピュータ、無線センサ、消費者電子機器、スマートウォッチまたはスマート衣類等のウェアラブルデバイス、医療またはｅ−ヘルスデバイス、ロボット、産業機器、ドローン、車、トラック、電車、もしくは飛行機等の車両等を含む、無線信号を伝送および／または受信するように構成される任意のタイプの装置もしくはデバイスを備える、またはそのように具現化され得ることを理解される。
【０３８４】
通信システム２００はまた、基地局２１４ａと、基地局２１４ｂとを含み得る。基地局２１４ａは、ＷＴＲＵ２０２ａ、２０２ｂ、２０２ｃのうちの少なくとも１つと無線でインターフェースをとり、コアネットワーク２０６／２０７／２０９、インターネット２１０、および／または他のネットワーク２１２等の１つ以上の通信ネットワークへのアクセスを促進するように構成される、任意のタイプのデバイスであり得る。基地局２１４ｂは、ＲＲＨ（遠隔無線ヘッド）２１８ａ、２１８ｂおよび／またはＴＲＰ（伝送および受信点）２１９ａ、２１９ｂのうちの少なくとも１つと有線ならびに／もしくは無線でインターフェースをとり、コアネットワーク２０６／２０７／２０９、インターネット２１０、および／または他のネットワーク２１２等の１つ以上の通信ネットワークへのアクセスを促進するように構成される、任意のタイプのデバイスであり得る。ＲＲＨ２１８ａ、２１８ｂは、ＷＴＲＵ２０２ｃのうちの少なくとも１つと無線でインターフェースをとり、コアネットワーク２０６／２０７／２０９、インターネット２１０、および／または他のネットワーク２１２等の１つ以上の通信ネットワークへのアクセスを促進するように構成される、任意のタイプのデバイスであり得る。ＴＲＰ２１９ａ、２１９ｂは、ＷＴＲＵ２０２ｄのうちの少なくとも１つと無線でインターフェースをとり、コアネットワーク２０６／２０７／２０９、インターネット２１０、および／または他のネットワーク２１２等の１つ以上の通信ネットワークへのアクセスを促進するように構成される、任意のタイプのデバイスであり得る。一例として、基地局２１４ａ、２１４ｂは、送受信機基地局（ＢＴＳ）、Ｎｏｄｅ−Ｂ、ｅＮｏｄｅ  Ｂ、ホームＮｏｄｅ  Ｂ、ホームｅＮｏｄｅ  Ｂ、サービス拠点コントローラ、アクセスポイント（ＡＰ）、無線ルータ等であり得る。基地局２１４ａ、２１４ｂはそれぞれ、単一要素として描写されるが、基地局２１４ａ、２１４ｂは、任意の数の相互接続された基地局および／またはネットワーク要素を含み得ることを理解されたい。
【０３８５】
基地局２１４ａは、ＲＡＮ２０３／２０４／２０５の一部であってもよく、これはまた、基地局コントローラ（ＢＳＣ）、無線ネットワークコントローラ（ＲＮＣ）、中継ノード等の他の基地局および／またはネットワーク要素（図示せず）を含み得る。基地局２１４ｂは、ＲＡＮ２０３ｂ／２０４ｂ／２０５ｂの一部であってもよく、これはまた、基地局コントローラ（ＢＳＣ）、無線ネットワークコントローラ（ＲＮＣ）、中継ノード等の他の基地局および／またはネットワーク要素（図示せず）を含み得る。基地局２１４ａは、セル（図示せず）と称され得る、特定の地理的領域内で無線信号を伝送および／または受信するように構成され得る。基地局２１４ｂは、セル（図示せず）と称され得る、特定の地理的領域内で有線および／または無線信号を伝送ならびに／もしくは受信するように構成され得る。セルはさらに、セルセクタに分割され得る。例えば、基地局２１４ａに関連付けられるセルは、３つのセクタに分割され得る。したがって、ある実施形態では、基地局２１４ａは、例えば、セルのセクタ毎に１つ、３つの送受信機を含み得る。ある実施形態では、基地局２１４ａは、多入力多出力（ＭＩＭＯ）技術を採用し得、したがって、セルのセクタ毎に複数の送受信機を利用し得る。
【０３８６】
基地局２１４ａは、任意の好適な無線通信リンク（例えば、無線周波数（ＲＦ）、マイクロ波、赤外線（ＩＲ）、紫外線（ＵＶ）、可視光、ｃｍ波、ｍｍ波等）であり得る、エアインターフェース２１５／２１６／２１７を経由して、ＷＴＲＵ２０２ａ、２０２ｂ、２０２ｃのうちの１つ以上のものと通信し得る。エアインターフェース２１５／２１６／２１７は、任意の好適な無線アクセス技術（ＲＡＴ）を使用して確立され得る。
【０３８７】
基地局２１４ｂは、任意の好適な有線（例えば、ケーブル、光ファイバ等）または無線通信リンク（例えば、無線周波数（ＲＦ）、マイクロ波、赤外線（ＩＲ）、紫外線（ＵＶ）、可視光、ｃｍ波、ｍｍ波等）であり得る、有線もしくはエアインターフェース２１５ｂ／２１６ｂ／２１７ｂを経由して、ＲＲＨ２１８ａ、２１８ｂおよび／またはＴＲＰ２１９ａ、２１９ｂのうちの１つ以上のものと通信し得る。エアインターフェース２１５ｂ／２１６ｂ／２１７ｂは、任意の好適な無線アクセス技術（ＲＡＴ）を使用して確立され得る。
【０３８８】
ＲＲＨ２１８ａ、２１８ｂおよび／またはＴＲＰ２１９ａ、２１９ｂは、任意の好適な無線通信リンク（例えば、無線周波数（ＲＦ）、マイクロ波、赤外線（ＩＲ）、紫外線（ＵＶ）、可視光、ｃｍ波、ｍｍ波等）であり得る、エアインターフェース２１５ｃ／２１６ｃ／２１７ｃを経由して、ＷＴＲＵ２０２ｃ、２０２ｄのうちの１つ以上のものと通信し得る。エアインターフェース２１５ｃ／２１６ｃ／２１７ｃは、任意の好適な無線アクセス技術（ＲＡＴ）を使用して確立され得る。
【０３８９】
より具体的には、上記のように、通信システム２００は、複数のアクセスシステムであってもよく、ＣＤＭＡ、ＴＤＭＡ、ＦＤＭＡ、ＯＦＤＭＡ、ＳＣ−ＦＤＭＡ等の１つ以上のチャネルアクセス方式を採用し得る。例えば、ＲＡＮ２０３／２０４／２０５およびＷＴＲＵ２０２ａ、２０２ｂ、２０２ｃ内の基地局２１４ａ、またはＲＡＮ２０３ｂ／２０４ｂ／２０５ｂおよびＷＴＲＵ２０２ｃ、２０２ｄ内のＲＲＨ２１８ａ、２１８ｂならびにＴＲＰ２１９ａ、２１９ｂは、それぞれ、広帯域ＣＤＭＡ（ＷＣＤＭＡ（登録商標））を使用して、エアインターフェース２１５／２１６／２１７または２１５ｃ／２１６ｃ／２１７ｃを確立し得る、ユニバーサルモバイル電気通信システム（ＵＭＴＳ）地上無線アクセス（ＵＴＲＡ）等の無線技術を実装し得る。ＷＣＤＭＡ（登録商標）は、高速パケットアクセス（ＨＳＰＡ）および／または進化型ＨＳＰＡ（ＨＳＰＡ＋）等の通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【０３９０】
ある実施形態では、基地局２１４ａおよびＷＴＲＵ２０２ａ、２０２ｂ、２０２ｃ、またはＲＡＮ２０３ｂ／２０４ｂ／２０５ｂならびにＷＴＲＵ２０２ｃ、２０２ｄ内のＲＲＨ２１８ａ、２１８ｂおよびＴＲＰ２１９ａ、２１９ｂは、それぞれ、ロングタームエボリューション（ＬＴＥ）ならびに／もしくはＬＴＥ−アドバンスト（ＬＴＥ−Ａ）を使用して、エアインターフェース２１５／２１６／２１７または２１５ｃ／２１６ｃ／２１７ｃを確立し得る、進化型ＵＭＴＳ地上無線アクセス（Ｅ−ＵＴＲＡ）等の無線技術を実装し得る。将来、エアインターフェース２１５／２１６／２１７は、３ＧＰＰ  ＮＲ技術を実装し得る。
【０３９１】
ある実施形態では、ＲＡＮ２０３／２０４／２０５およびＷＴＲＵ２０２ａ、２０２ｂ、２０２ｃ内の基地局２１４ａ、またはＲＡＮ２０３ｂ／２０４ｂ／２０５ｂおよびＷＴＲＵ２０２ｃ、２０２ｄ内のＲＲＨ２１８ａ、２１８ｂならびにＴＲＰ２１９ａ、２１９ｂは、ＩＥＥＥ８０２．１６（例えば、ワールドワイド・インターオペラビリティ・フォー・マイクロウェーブ・アクセス（ＷｉＭＡＸ））、ＣＤＭＡ２０００、ＣＤＭＡ２０００  １Ｘ、ＣＤＭＡ２０００  ＥＶ−ＤＯ、暫定規格２０００（ＩＳ−２０００）、暫定規格９５（ＩＳ−９５）、暫定規格８５６（ＩＳ−８５６）、モバイル通信用グローバルシステム（ＧＳＭ（登録商標））、ＧＳＭ（登録商標）進化型高速データレート（ＥＤＧＥ）、ＧＳＭ（登録商標）  ＥＤＧＥ（ＧＥＲＡＮ）等の無線技術を実装し得る。
【０３９２】
図３７Ａにおける基地局２１４ｃは、例えば、無線ルータ、ホームＮｏｄｅ  Ｂ、ホームｅＮｏｄｅ  Ｂ、またはアクセスポイントであってもよく、会社、自宅、車両、キャンパス等の場所等の局所的エリア内の無線接続性を促進するための任意の好適なＲＡＴを利用し得る。ある実施形態では、基地局２１４ｃおよびＷＴＲＵ２０２ｅは、ＩＥＥＥ８０２．１１等の無線技術を実装して、無線ローカルエリアネットワーク（ＷＬＡＮ）を確立し得る。ある実施形態では、基地局２１４ｃおよびＷＴＲＵ２０２ｄは、ＩＥＥＥ８０２．１５等の無線技術を実装して、無線パーソナルエリアネットワーク（ＷＰＡＮ）を確立し得る。さらに別の実施形態では、基地局２１４ｃおよびＷＴＲＵ２０２ｅは、セルラーベースのＲＡＴ（例えば、ＷＣＤＭＡ（登録商標）、ＣＤＭＡ２０００、ＧＳＭ（登録商標）、ＬＴＥ、ＬＴＥ−Ａ等）を利用して、ピコセルまたはフェムトセルを確立し得る。図３７Ａに示されるように、基地局２１４ｂは、インターネット２１０への直接接続を有し得る。したがって、基地局２１４ｃは、コアネットワーク２０６／２０７／２０９を介してインターネット２１０にアクセスするように要求されなくてもよい。
【０３９３】
ＲＡＮ２０３／２０４／２０５および／またはＲＡＮ２０３ｂ／２０４ｂ／２０５ｂは、音声、データ、アプリケーション、ならびに／もしくはボイスオーバーインターネットプロトコル（ＶｏＩＰ）サービスを、ＷＴＲＵ２０２ａ、２０２ｂ、２０２ｃ、２０２ｄのうちの１つ以上のものに提供するように構成される、任意のタイプのネットワークであり得る、コアネットワーク２０６／２０７／２０９と通信し得る。例えば、コアネットワーク２０６／２０７／２０９は、コール制御、請求サービス、モバイル場所ベースのサービス、プリペイドコール、インターネット接続性、ビデオ配布等を提供し、および／またユーザ認証等の高レベルセキュリティ機能を果たし得る。
【０３９４】
図３７Ａに示されていないが、ＲＡＮ２０３／２０４／２０５および／またはＲＡＮ２０３ｂ／２０４ｂ／２０５ｂならびに／もしくはコアネットワーク２０６／２０７／２０９は、ＲＡＮ２０３／２０４／２０５および／またはＲＡＮ２０３ｂ／２０４ｂ／２０５ｂと同一のＲＡＴもしくは異なるＲＡＴを採用する、他のＲＡＮと直接または間接通信し得ることを理解されるであろう。例えば、Ｅ−ＵＴＲＡ無線技術を利用し得る、ＲＡＮ２０３／２０４／２０５および／またはＲＡＮ２０３ｂ／２０４ｂ／２０５ｂに接続されることに加え、コアネットワーク２０６／２０７／２０９はまた、ＧＳＭ（登録商標）無線技術を採用する別のＲＡＮ（図示せず）と通信し得る。
【０３９５】
コアネットワーク２０６／２０７／２０９はまた、ＷＴＲＵ２０２ａ、２０２ｂ、２０２ｃ、２０２ｄ、２０２ｅのためのゲートウェイとしての役割を果たし、ＰＳＴＮ２０８、インターネット２１０、および／または他のネットワーク２１２にアクセスし得る。ＰＳＴＮ２０８は、従来のアナログ電話回線サービス（ＰＯＴＳ）を提供する、回路交換電話ネットワークを含み得る。インターネット２１０は、伝送制御プロトコル（ＴＣＰ）、ユーザデータグラムプロトコル（ＵＤＰ）、およびＴＣＰ／ＩＰインターネットプロトコルスイート内のインターネットプロトコル（ＩＰ）等の共通通信プロトコルを使用する、相互接続されたコンピュータネットワークならびにデバイスのグローバルシステムを含み得る。ネットワーク２１２は、他のサービスプロバイダによって所有および／または運営される、有線もしくは無線通信ネットワークを含み得る。例えば、ネットワーク２１２は、ＲＡＮ２０３／２０４／２０５および／またはＲＡＮ２０３ｂ／２０４ｂ／２０５ｂと同一のＲＡＴもしくは異なるＲＡＴを採用し得る、１つ以上のＲＡＮに接続される別のコアネットワークを含み得る。
【０３９６】
通信システム２００内のＷＴＲＵ２０２ａ、２０２ｂ、２０２ｃ、２０２ｄのうちのいくつかまたは全部は、マルチモード能力を含み得る、例えば、ＷＴＲＵ２０２ａ、２０２ｂ、２０２ｃ、２０２ｄ、および２０２ｅは、異なる無線リンクを経由して異なる無線ネットワークと通信するための複数の送受信機を含み得る。例えば、図３７Ａに示されるＷＴＲＵ２０２ｅは、セルラーベースの無線技術を採用し得る、基地局２１４ａと、ＩＥＥＥ８０２無線技術を採用し得る、基地局２１４ｃと通信するように構成され得る。
【０３９７】
図３７Ｂは、例えば、ＷＴＲＵ２０２等の本明細書に図示される実施形態に従って無線通信のために構成される、例示的装置またはデバイスのブロック図である。図３７Ｂに示されるように、例示的ＷＴＲＵ２０２は、プロセッサ２１８と、送受信機２２０と、伝送／受信要素２２２と、スピーカ／マイクロホン２２４と、キーパッド２２６と、ディスプレイ／タッチパッド／インジケータ２２８と、非取り外し可能メモリ２３０と、取り外し可能メモリ２３２と、電源２３４と、全地球測位システム（ＧＰＳ）チップセット２３６と、他の周辺機器２３８とを含み得る。ＷＴＲＵ２０２は、実施形態と一致したままで、前述の要素の任意の副次的組み合わせを含み得ることを理解されるであろう。また、実施形態は、基地局２１４ａならびに２１４ｂ、および／または限定ではないが、とりわけ、送受信機ステーション（ＢＴＳ）、Ｎｏｄｅ−Ｂ、サービス拠点コントローラ、アクセスポイント（ＡＰ）、ホームＮｏｄｅ−Ｂ、進化型ホームＮｏｄｅ−Ｂ（ｅＮｏｄｅＢ）、ホーム進化型Ｎｏｄｅ−Ｂ（ＨｅＮＢ）、ホーム進化型Ｎｏｄｅ−Ｂゲートウェイ、およびプロキシノード等の基地局２１４ａならびに２１４ｂが表し得るノードが、図３７Ｂに描写され、本明細書に説明される要素のうちのいくつかまたは全部を含み得ることを考慮する。
【０３９８】
プロセッサ２１８は、汎用プロセッサ、特殊目的プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ２１８は、信号コーディング、データ処理、電力制御、入力／出力処理、および／またはＷＴＲＵ２０２が無線環境内で動作することを可能にする任意の他の機能性を実施し得る。プロセッサ２１８は、伝送／受信要素２２２に結合され得る、送受信機２２０に結合され得る。図３７Ｂは、プロセッサ２１８および送受信機２２０を別個のコンポーネントとして描写するが、プロセッサ２１８および送受信機２２０は、電子パッケージまたはチップにともに統合され得ることを理解されるであろう。
【０３９９】
伝送／受信要素２２２は、エアインターフェース２１５／２１６／２１７を経由して、基地局（例えば、基地局２１４ａ）へ信号を伝送する、またはそこから信号を受信するように構成され得る。例えば、ある実施形態では、伝送／受信要素２２２は、ＲＦ信号を伝送および／または受信するように構成されるアンテナであり得る。図３７Ａに示されていないが、ＲＡＮ２０３／２０４／２０５および／またはコアネットワーク２０６／２０７／２０９は、ＲＡＮ２０３／２０４／２０５と同一のＲＡＴまたは異なるＲＡＴを採用する、他のＲＡＮと直接もしくは間接通信し得ることを理解されるであろう。例えば、Ｅ−ＵＴＲＡ無線技術を利用し得る、ＲＡＮ２０３／２０４／２０５に接続されることに加え、コアネットワーク２０６／２０７／２０９はまた、ＧＳＭ（登録商標）無線技術を採用する別のＲＡＮ（図示せず）と通信し得る。
【０４００】
コアネットワーク２０６／２０７／２０９はまた、ＷＴＲＵ２０２ａ、２０２ｂ、２０２ｃ、２０２ｄのためのゲートウェイとしての役割を果たし、ＰＳＴＮ２０８、インターネット２１０、および／または他のネットワーク２１２にアクセスし得る。ＰＳＴＮ２０８は、従来のアナログ電話回線サービス（ＰＯＴＳ）を提供する、回路交換電話ネットワークを含み得る。インターネット２１０は、伝送制御プロトコル（ＴＣＰ）、ユーザデータグラムプロトコル（ＵＤＰ）、およびＴＣＰ／ＩＰインターネットプロトコルスイート内のインターネットプロトコル（ＩＰ）等の共通通信プロトコルを使用する、相互接続されたコンピュータネットワークならびにデバイスのグローバルシステムを含み得る。ネットワーク２１２は、他のサービスプロバイダによって所有および／または運営される、有線もしくは無線通信ネットワークを含み得る。例えば、ネットワーク２１２は、ＲＡＮ２０３／２０４／２０５と同一のＲＡＴまたは異なるＲＡＴを採用し得る、１つ以上のＲＡＮに接続される、別のコアネットワークを含み得る。
【０４０１】
通信システム２００内のＷＴＲＵ２０２ａ、２０２ｂ、２０２ｃ、２０２ｄのうちのいくつかまたは全ては、マルチモード能力を含み得る、例えば、ＷＴＲＵ２０２ａ、２０２ｂ、２０２ｃ、および２０２ｄは、異なる無線リンクを経由して異なる無線ネットワークと通信するための複数の送受信機を含み得る。例えば、図３７Ａに示されるＷＴＲＵ２０２ｃは、セルラーベースの無線技術を採用し得る、基地局２１４ａと、ＩＥＥＥ８０２無線技術を採用し得る、基地局２１４ｂと通信するように構成され得る。
【０４０２】
図３７Ｂは、例えば、ＷＴＲＵ２０２等の本明細書に図示される実施形態に従って無線通信のために構成される例示的装置またはデバイスのブロック図である。図３７Ｂに示されるように、例示的ＷＴＲＵ２０２は、プロセッサ２１８と、送受信機２２０と、伝送／受信要素２２２と、スピーカ／マイクロホン２２４と、キーパッド２２６と、ディスプレイ／タッチパッド／インジケータ２２８と、非取り外し可能メモリ２３０と、取り外し可能メモリ２３２と、電源２３４と、全地球測位システム（ＧＰＳ）チップセット２３６と、他の周辺機器２３８とを含み得る。ＷＴＲＵ２０２は、実施形態と一致したままで、前述の要素の任意の副次的組み合わせを含み得ることを理解されるであろう。また、実施形態は、基地局２１４ａならびに２１４ｂ、および／または限定ではないが、とりわけ、送受信機ステーション（ＢＴＳ）、Ｎｏｄｅ−Ｂ、サービス拠点コントローラ、アクセスポイント（ＡＰ）、ホームＮｏｄｅ−Ｂ、進化型ホームＮｏｄｅ−Ｂ（ｅＮｏｄｅＢ）、ホーム進化型Ｎｏｄｅ−Ｂ（ＨｅＮＢ）、ホーム進化型Ｎｏｄｅ−Ｂゲートウェイ、およびプロキシノード等の基地局２１４ａならびに２１４ｂが表し得るノードが、図３７Ｂに描写され、本明細書に説明される要素のうちのいくつかまたは全部を含み得ることを考慮する。
【０４０３】
プロセッサ２１８は、汎用プロセッサ、特殊目的プロセッサ、従来のプロセッサ、デジタル信号プロセッサ（ＤＳＰ）、複数のマイクロプロセッサ、ＤＳＰコアと関連する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態マシン等であり得る。プロセッサ２１８は、信号コーディング、データ処理、電力制御、入力／出力処理、および／またはＷＴＲＵ２０２が無線環境内で動作することを可能にする任意の他の機能性を実施し得る。プロセッサ２１８は、伝送／受信要素２２２に結合され得る、送受信機２２０に結合され得る。図３７Ｂは、プロセッサ２１８および送受信機２２０を別個のコンポーネントとして描写するが、プロセッサ２１８および送受信機２２０は、電子パッケージまたはチップにともに統合され得ることを理解されるであろう。
【０４０４】
伝送／受信要素２２２は、エアインターフェース２１５／２１６／２１７を経由して、基地局（例えば、基地局２１４ａ）へ信号を伝送する、またはそこから信号を受信するように構成され得る。例えば、ある実施形態では、伝送／受信要素２２２は、ＲＦ信号を伝送および／または受信するように構成される、アンテナであり得る。ある実施形態では、伝送／受信要素２２２は、例えば、ＩＲ、ＵＶ、もしくは可視光信号を伝送および／または受信するように構成されるエミッタ／検出器であり得る。さらなる実施形態では、伝送／受信要素２２２は、ＲＦおよび光信号の両方を伝送ならびに受信するように構成され得る。伝送／受信要素２２２は、無線信号の任意の組み合わせを伝送および／または受信するように構成され得ることを理解されるであろう。
【０４０５】
加えて、伝送／受信要素２２２は、単一の要素として図３７Ｂで描写されているが、ＷＴＲＵ２０２は、任意の数の伝送／受信要素２２２を含み得る。より具体的には、ＷＴＲＵ２０２は、ＭＩＭＯ技術を採用し得る。したがって、実施形態では、ＷＴＲＵ２０２は、エアインターフェース２１５／２１６／２１７を経由して無線信号を伝送および受信するための２つ以上の伝送／受信要素２２２（例えば、複数のアンテナ）を含み得る。
【０４０６】
送受信機２２０は、伝送／受信要素２２２によって伝送される信号を変調するように、かつ伝送／受信要素２２２によって受信される信号を復調するように構成され得る。上記のように、ＷＴＲＵ２０２は、マルチモード能力を有し得る。したがって、送受信機２２０は、ＷＴＲＵ２０２が、例えば、ＵＴＲＡおよびＩＥＥＥ８０２．１１等の複数のＲＡＴを介して通信することを可能にするための複数の送受信機を含み得る。
【０４０７】
ＷＴＲＵ２０２のプロセッサ２１８は、スピーカ／マイクロホン２２４、キーパッド２２６、および／またはディスプレイ／タッチパッド／インジケータ２２８（例えば、液晶ディスプレイ（ＬＣＤ）ディスプレイユニットもしくは有機発光ダイオード（ＯＬＥＤ）ディスプレイユニット）に結合され得、かつそこからユーザ入力データを受信し得る。プロセッサ２１８はまた、ユーザデータをスピーカ／マイクロホン２２４、キーパッド２２６、および／またはディスプレイ／タッチパッド／インジケータ２２８に出力し得る。加えて、プロセッサ２１８は、非取り外し可能メモリ２３０および／または取り外し可能メモリ２３２等の任意のタイプの好適なメモリから情報にアクセスし、その中にデータを記憶し得る。非取り外し可能メモリ２３０は、ランダムアクセスメモリ（ＲＡＭ）、読み取り専用メモリ（ＲＯＭ）、ハードディスク、または任意の他のタイプのメモリ記憶デバイスを含み得る。取り外し可能メモリ２３２は、サブスクライバ識別モジュール（ＳＩＭ）カード、メモリスティック、セキュアデジタル（ＳＤ）メモリカード等を含み得る。ある実施形態では、プロセッサ２１８は、サーバまたはホームコンピュータ（図示せず）上等のＷＴＲＵ２０２上に物理的に位置しないメモリから情報にアクセスし、その中にデータを記憶し得る。
【０４０８】
プロセッサ２１８は、電源２３４から電力を受電し得、ＷＴＲＵ２０２内の他のコンポーネントへの電力を分配および／または制御するように構成され得る。電源２３４は、ＷＴＲＵ２０２に給電するための任意の好適なデバイスであり得る。例えば、電源２３４は、１つ以上の乾電池、太陽電池、燃料電池等を含み得る。
【０４０９】
プロセッサ２１８はまた、ＷＴＲＵ２０２の現在の場所に関する場所情報（例えば、経度および緯度）を提供するように構成され得る、ＧＰＳチップセット２３６に結合され得る。ＧＰＳチップセット２３６からの情報に加えて、またはその代わりに、ＷＴＲＵ２０２は、エアインターフェース２１５／２１６／２１７を経由して、基地局（例えば、基地局２１４ａ、２１４ｂ）から場所情報を受信し、および／または２つ以上の近傍基地局から受信されている信号のタイミングに基づいて、その場所を決定し得る。ＷＴＲＵ２０２は、実施形態と一致したままで、任意の好適な場所決定方法を介して場所情報を獲得し得ることを理解されるであろう。
【０４１０】
プロセッサ２１８はさらに、追加の特徴、機能性、および／または有線もしくは無線接続性を提供する、１つ以上のソフトウェアならびに／もしくはハードウェアモジュールを含み得る、他の周辺機器２３８に結合され得る。例えば、周辺機器２３８は、加速度計、バイオメトリック（例えば、指紋）センサ等の種々のセンサ、ｅ−コンパス、衛星送受信機、デジタルカメラ（写真またはビデオ用）、ユニバーサルシリアルバス（ＵＳＢ）ポートまたは他の相互接続インターフェース、振動デバイス、テレビ送受信機、ハンズフリーヘッドセット、Ｂｌｕｅｔｏｏｔｈ（登録商標）モジュール、周波数変調（ＦＭ）無線ユニット、デジタル音楽プレーヤ、メディアプレーヤ、ビデオゲームプレーヤモジュール、インターネットブラウザ等を含み得る。
【０４１１】
ＷＴＲＵ２０２は、センサ、消費者電子機器、スマートウォッチまたはスマート衣類等のウェアラブルデバイス、医療またはｅ−ヘルスデバイス、ロボット、産業機器、ドローン、車、トラック、電車、または飛行機等の車両等の他の装置もしくはデバイスで具現化され得る。ＷＴＲＵ２０２は、周辺機器２３８のうちの１つを備え得る相互接続インターフェース等の１つ以上の相互接続インターフェースを介して、そのような装置もしくはデバイスの他のコンポーネント、モジュール、またはシステムに接続し得る。
【０４１２】
図３７Ｃは、ある実施形態による、ＲＡＮ２０３およびコアネットワーク２０６の系統図である。上記のように、ＲＡＮ２０３は、ＵＴＲＡ無線技術を採用し、エアインターフェース２１５を経由して、ＷＴＲＵ２０２ａ、２０２ｂ、および２０２ｃと通信し得る。ＲＡＮ２０３はまた、コアネットワーク２０６と通信し得る。図３７Ｃに示されるように、ＲＡＮ２０３は、それぞれ、エアインターフェース２１５を経由して、ＷＴＲＵ２０２ａ、２０２ｂ、２０２ｃと通信するための１つ以上の送受信機を含み得る、Ｎｏｄｅ−Ｂ２４０ａ、２４０ｂ、２４０ｃを含み得る。Ｎｏｄｅ−Ｂ２４０ａ、２４０ｂ、２４０ｃはそれぞれ、ＲＡＮ２０３内の特定のセル（図示せず）に関連付けられ得る。ＲＡＮ２０３はまた、ＲＮＣ２４２ａ、２４２ｂを含み得る。ＲＡＮ２０３は、実施形態と一致したままで、任意の数のＮｏｄｅ−ＢおよびＲＮＣを含み得ることを理解されるであろう。
【０４１３】
図３７Ｃに示されるように、Ｎｏｄｅ−Ｂ２４０ａ、２４０ｂは、ＲＮＣ２４２ａと通信し得る。加えて、Ｎｏｄｅ−Ｂ２４０ｃは、ＲＮＣ２４２ｂと通信し得る。Ｎｏｄｅ−Ｂ２４０ａ、２４０ｂ、２４０ｃは、Ｉｕｂインターフェースを介して、個別のＲＮＣ２４２ａ、２４２ｂと通信し得る。ＲＮＣ２４２ａ、２４２ｂは、Ｉｕｒインターフェースを介して、互いと通信し得る。ＲＮＣ２４２ａ、２４２ｂはそれぞれ、それが接続される個別のＮｏｄｅ−Ｂ２４０ａ、２４０ｂ、２４０ｃを制御するように構成され得る。加えて、ＲＮＣ２４２ａ、２４２ｂはそれぞれ、外部ループ電力制御、負荷制御、受付制御、パケットスケジューリング、ハンドオーバ制御、マクロ多様性、セキュリティ機能、データ暗号化等の他の機能性を実施またはサポートするように構成され得る。
【０４１４】
図３７Ｃに示されるコアネットワーク２０６は、メディアゲートウェイ（ＭＧＷ）２４４、モバイル切り替えセンタ（ＭＳＣ）２４６、サービングＧＰＲＳサポートノード（ＳＧＳＮ）２４８、および／またはゲートウェイＧＰＲＳサポートノード（ＧＧＳＮ）２５０を含み得る。前述の要素はそれぞれ、コアネットワーク２０６の一部として描写されるが、これらの要素のうちのいずれか１つは、コアネットワークオペレータ以外のエンティティによって所有および／または運営され得ることを理解されるであろう。
【０４１５】
ＲＡＮ２０３内のＲＮＣ２４２ａは、ＩｕＣＳインターフェースを介して、コアネットワーク２０６内のＭＳＣ２４６に接続され得る。ＭＳＣ２４６は、ＭＧＷ２４４に接続され得る。ＭＳＣ２４６およびＭＧＷ２４４は、ＷＴＲＵ２０２ａ、２０２ｂ、２０２ｃに、ＰＳＴＮ２０８等の回路交換ネットワークへのアクセスを提供し、ＷＴＲＵ２０２ａ、２０２ｂ、２０２ｃと従来の地上通信デバイスとの間の通信を促進し得る。
【０４１６】
ＲＡＮ２０３内のＲＮＣ２４２ａはまた、ＩｕＰＳインターフェースを介して、コアネットワーク２０６内のＳＧＳＮ２４８に接続され得る。ＳＧＳＮ２４８は、ＧＧＳＮ２５０に接続され得る。ＳＧＳＮ２４８およびＧＧＳＮ２５０は、ＷＴＲＵ２０２ａ、２０２ｂ、２０２ｃに、インターネット２１０等のパケット交換ネットワークへのアクセスを提供し、ＷＴＲＵ２０２ａ、２０２ｂ、２０２ｃとＩＰ対応デバイスとの間の通信を促進し得る。
【０４１７】
上記のように、コアネットワーク２０６はまた、他のサービスプロバイダによって所有および／または運営される他の有線もしくは無線ネットワークを含み得る、ネットワーク２１２に接続され得る。
【０４１８】
図３７Ｄは、ある実施形態による、ＲＡＮ２０４およびコアネットワーク２０７の系統図である。上記ように、ＲＡＮ２０４は、Ｅ−ＵＴＲＡ無線技術を採用し、エアインターフェース２１６を経由して、ＷＴＲＵ２０２ａ、２０２ｂ、および２０２ｃと通信し得る。ＲＡＮ２０４はまた、コアネットワーク２０７と通信し得る。
【０４１９】
ＲＡＮ２０４は、ｅＮｏｄｅ−Ｂ２６０ａ、２６０ｂ、２６０ｃを含み得るが、ＲＡＮ２０４は、実施形態と一致したままで、任意の数のＮｏｄｅ−Ｂを含み得ることを理解されるであろう。ｅＮｏｄｅ−Ｂ２６０ａ、２６０ｂ、２６０ｃはそれぞれ、エアインターフェース２１６を経由して、ＷＴＲＵ２０２ａ、２０２ｂ、２０２ｃと通信するための１つ以上の送受信機を含み得る。ある実施形態では、ｅＮｏｄｅ−Ｂ２６０ａ、２６０ｂ、２６０ｃは、ＭＩＭＯ技術を実装し得る。したがって、ｅＮｏｄｅ−Ｂ２６０ａは、例えば、複数のアンテナを使用して、ＷＴＲＵ２０２ａに無線信号を伝送し、そこから無線信号を受信し得る。
【０４２０】
ｅＮｏｄｅ−Ｂ２６０ａ、２６０ｂ、および２６０ｃはそれぞれ、特定のセル（図示せず）に関連付けられ得、無線リソース管理決定、ハンドオーバ決定、アップリンクおよび／またはダウンリンクにおけるユーザのスケジューリング等をハンドリングするように構成され得る。図３７Ｄに示されるように、ｅＮｏｄｅ−Ｂ２６０ａ、２６０ｂ、２６０ｃは、Ｘ２インターフェースを経由して、互いと通信し得る。
【０４２１】
図３７Ｄに示されるコアネットワーク２０７は、モビリティ管理ゲートウェイ（ＭＭＥ）２６２と、サービングゲートウェイ２６４と、パケットデータネットワーク（ＰＤＮ）ゲートウェイ２６６とを含み得る。前述の要素はそれぞれ、コアネットワーク２０７の一部として描写されるが、これらの要素のうちのいずれか１つは、コアネットワークオペレータ以外のエンティティによって所有および／または運営され得ることを理解されるであろう。
【０４２２】
ＭＭＥ２６２は、Ｓ１インターフェースを介して、ＲＡＮ２０４内のｅＮｏｄｅ−Ｂ２６０ａ、２６０ｂ、および２６０ｃのそれぞれに接続され得、制御ノードとしての役割を果たし得る。例えば、ＭＭＥ２６２は、ＷＴＲＵ２０２ａ、２０２ｂ、２０２ｃのユーザの認証、ベアラアクティブ化／非アクティブ化、ＷＴＲＵ２０２ａ、２０２ｂ、２０２ｃの初期アタッチ中の特定のサービングゲートウェイの選択等に責任があり得る。ＭＭＥ２６２はまた、ＲＡＮ２０４とＧＳＭ（登録商標）またはＷＣＤＭＡ（登録商標）等の他の無線技術を採用する他のＲＡＮ（図示せず）との間の切り替えのための制御プレーン機能を提供し得る。
【０４２３】
サービングゲートウェイ２６４は、Ｓ１インターフェースを介して、ＲＡＮ２０４内のｅＮｏｄｅ−Ｂ２６０ａ、２６０ｂ、および２６０ｃのそれぞれに接続され得る。サービングゲートウェイ２６４は、概して、ユーザデータパケットをＷＴＲＵ２０２ａ、２０２ｂ、２０２ｃへ／からルーティングおよび転送し得る。サービングゲートウェイ２６４はまた、ｅＮｏｄｅ  Ｂ間ハンドオーバ中のユーザプレーンのアンカ、ダウンリンクデータがＷＴＲＵ２０２ａ、２０２ｂ、２０２ｃのために利用可能であるときのページングのトリガ、ＷＴＲＵ２０２ａ、２０２ｂ、２０２ｃのコンテキストの管理および記憶等の他の機能を果たし得る。
【０４２４】
サービングゲートウェイ２６４はまた、ＷＴＲＵ２０２ａ、２０２ｂ、２０２ｃに、インターネット２１０等のパケット交換ネットワークへのアクセスを提供し、ＷＴＲＵ２０２ａ、２０２ｂ、２０２ｃとＩＰ対応デバイスとの間の通信を促進し得る、ＰＤＮゲートウェイ２６６に接続され得る。
【０４２５】
コアネットワーク２０７は、他のネットワークとの通信を促進し得る。例えば、コアネットワーク２０７は、ＷＴＲＵ２０２ａ、２０２ｂ、２０２ｃに、ＰＳＴＮ２０８等の回路交換ネットワークへのアクセスを提供し、ＷＴＲＵ２０２ａ、２０２ｂ、２０２ｃと従来の地上通信デバイスとの間の通信を促進し得る。例えば、コアネットワーク２０７は、コアネットワーク２０７とＰＳＴＮ２０８との間のインターフェースとしての役割を果たす、ＩＰゲートウェイ（例えば、ＩＰマルチメディアサブシステム（ＩＭＳ）サーバ）を含み得る、またはそれと通信し得る。加えて、コアネットワーク２０７は、ＷＴＲＵ２０２ａ、２０２ｂ、２０２ｃに、他のサービスプロバイダによって所有および／または運営される他の有線もしくは無線ネットワークを含み得る、ネットワーク２１２へのアクセスを提供し得る。
【０４２６】
図３７Ｅは、ある実施形態による、ＲＡＮ２０５およびコアネットワーク２０９の系統図である。ＲＡＮ２０５は、ＩＥＥＥ８０２．１６無線技術を採用し、エアインターフェース２１７を経由して、ＷＴＲＵ２０２ａ、２０２ｂ、および２０２ｃと通信する、アクセスサービスネットワーク（ＡＳＮ）であり得る。以下でさらに議論されるであろうように、ＷＴＲＵ２０２ａ、２０２ｂ、２０２ｃ、ＲＡＮ２０５の異なる機能エンティティとコアネットワーク２０９との間の通信リンクは、参照点として定義され得る。
【０４２７】
図３７Ｅに示されるように、ＲＡＮ２０５は、基地局２８０ａ、２８０ｂ、２８０ｃと、ＡＳＮゲートウェイ２８２とを含み得るが、ＲＡＮ２０５は、実施形態と一致したままで、任意の数の基地局およびＡＳＮゲートウェイを含み得ることを理解されるであろう。基地局２８０ａ、２８０ｂ、２８０ｃはそれぞれ、ＲＡＮ２０５内の特定のセルに関連付けられ得、エアインターフェース２１７を経由してＷＴＲＵ２０２ａ、２０２ｂ、２０２ｃと通信するための１つ以上の送受信機を含み得る。ある実施形態では、基地局２８０ａ、２８０ｂ、２８０ｃは、ＭＩＭＯ技術を実装し得る。したがって、基地局２８０ａは、例えば、複数のアンテナを使用して、ＷＴＲＵ２０２ａに無線信号を伝送し、そこから無線信号を受信し得る。基地局２０２ａ、２０２ｂ、２０２ｃはまた、ハンドオフトリガ、トンネル確立、無線リソース管理、トラフィック分類、サービス品質（ＱｏＳ）ポリシ強制等のモビリティ管理機能を提供し得る。ＡＳＮゲートウェイ２８２は、トラフィック集約点としての役割を果たし得、ページング、サブスクライバプロファイルのキャッシング、コアネットワーク２０９へのルーティング等に責任があり得る。
【０４２８】
ＷＴＲＵ２０２ａ、２０２ｂ、２０２ｃとＲＡＮ２０５との間のエアインターフェース２１７は、ＩＥＥＥ８０２．１６仕様を実装する、Ｒ１参照点として定義され得る。加えて、ＷＴＲＵ２０２ａ、２０２ｂ、および２０２ｃはそれぞれ、コアネットワーク２０９と論理インターフェース（図示せず）を確立し得る。ＷＴＲＵ２０２ａ、２０２ｂ、２０２ｃとコアネットワーク２０９との間の論理インターフェースは、認証、認可、ＩＰホスト構成管理、および／またはモビリティ管理のために使用され得る、Ｒ２参照点として定義され得る。
【０４２９】
基地局２８０ａ、２８０ｂ、および２８０ｃのそれぞれ間の通信リンクは、ＷＴＲＵハンドオーバならびに基地局の間のデータの転送を促進するためのプロトコルを含む、Ｒ８参照点として定義され得る。基地局２８０ａ、２８０ｂ、２８０ｃとＡＳＮゲートウェイ２８２との間の通信リンクは、Ｒ６参照点として定義され得る。Ｒ６参照点は、ＷＴＲＵ２０２ａ、２０２ｂ、２０２ｃのそれぞれに関連付けられるモビリティイベントに基づいてモビリティ管理を促進するためのプロトコルを含み得る。
【０４３０】
図３７Ｅに示されるように、ＲＡＮ２０５は、コアネットワーク２０９に接続され得る。ＲＡＮ２０５とコアネットワーク２０９との間の通信リンクは、例えば、データ転送およびモビリティ管理能力を促進するためのプロトコルを含む、Ｒ３参照点として定義され得る。コアネットワーク２０９は、モバイルＩＰホームエージェント（ＭＩＰ−ＨＡ）２８４と、認証、認可、会計（ＡＡＡ）サーバ２８６と、ゲートウェイ２８８とを含み得る。前述の要素はそれぞれ、コアネットワーク２０９の一部として描写されるが、これらの要素のうちのいずれか１つは、コアネットワークオペレータ以外のエンティティによって所有および／または運営され得ることを理解されるであろう。
【０４３１】
ＭＩＰ−ＨＡは、ＩＰアドレス管理に責任があり得、ＷＴＲＵ２０２ａ、２０２ｂ、および２０２ｃが、異なるＡＳＮおよび／または異なるコアネットワークの間でローミングすることを可能にし得る。ＭＩＰ−ＨＡ２８４は、ＷＴＲＵ２０２ａ、２０２ｂ、２０２ｃに、インターネット２１０等のパケット交換ネットワークへのアクセスを提供し、ＷＴＲＵ２０２ａ、２０２ｂ、２０２ｃとＩＰ対応デバイスとの間の通信を促進し得る。ＡＡＡサーバ２８６は、ユーザ認証およびユーザサービスをサポートすることに責任があり得る。ゲートウェイ２８８は、他のネットワークとのインターワーキングを促進し得る。例えば、ゲートウェイ２８８は、ＷＴＲＵ２０２ａ、２０２ｂ、２０２ｃに、ＰＳＴＮ２０８等の回路交換ネットワークへのアクセスを提供し、ＷＴＲＵ２０２ａ、２０２ｂ、２０２ｃと従来の地上通信デバイスとの間の通信を促進し得る。加えて、ゲートウェイ２８８は、ＷＴＲＵ２０２ａ、２０２ｂ、２０２ｃに、他のサービスプロバイダによって所有および／または運営される他の有線もしくは無線ネットワークを含み得る、ネットワーク２１２へのアクセスを提供し得る。
【０４３２】
図３７Ｅに示されていないが、ＲＡＮ２０５は、他のＡＳＮに接続され得、コアネットワーク２０９は、他のコアネットワークに接続され得ることを理解されるであろう。ＲＡＮ２０５と他のＡＳＮとの間の通信リンクは、ＲＡＮ２０５と他のＡＳＮとの間のＷＴＲＵ２０２ａ、２０２ｂ、２０２ｃのモビリティを協調するためのプロトコルを含み得る、Ｒ４参照点として定義され得る。コアネットワーク２０９と他のコアネットワークとの間の通信リンクは、ホームコアネットワークと訪問したコアネットワークとの間のインターワーキングを促進するためのプロトコルを含み得る、Ｒ５参照点として定義され得る。
【０４３３】
本明細書に説明され、図３７Ａ、３７Ｃ、３７Ｄ、および３７Ｅに図示される、コアネットワークエンティティは、ある既存の３ＧＰＰ仕様におけるそれらのエンティティに与えられる名称によって識別されるが、将来において、それらのエンティティおよび機能性は、他の名称によって識別され得、あるエンティティまたは機能は、将来の３ＧＰＰ  ＮＲ仕様を含む、３ＧＰＰによって公開される将来の仕様の中で組み合わせられ得ることを理解されたい。したがって、図３７Ａ、３７Ｃ、３７Ｄ、および３７Ｅに説明および図示される特定のネットワークエンティティならびに機能性は、一例としてのみ提供され、本明細書で開示および請求される主題は、現在定義されているか、または将来的に定義されるかどうかにかかわらず、任意の類似通信システムにおいて具現化もしくは実装され得ることを理解される。
【０４３４】
図３７Ｆに示される５Ｇコアネットワーク２７０は、アクセスおよびモビリティ管理機能（ＡＭＦ）２７２と、セッション管理機能（ＳＭＦ）２７４と、ユーザプレーン機能（ＵＰＦ）２７６と、ユーザデータ管理機能（ＵＤＭ）２７８と、認証サーバ機能（ＡＵＳＦ）２８０と、ネットワークエクスポージャ機能（ＮＥＦ）と、ポリシ制御機能（ＰＣＦ）２８４と、非３ＧＰＰインターワーキング機能（Ｎ３ＩＷＦ）２９２と、アプリケーション機能（ＡＦ）２８８とを含み得る。前述の要素はそれぞれ、５Ｇコアネットワーク２７０の一部として描写されるが、これらの要素のうちのいずれか１つは、コアネットワークオペレータ以外のエンティティによって所有および／または運営され得ることを理解されるであろう。また、５Ｇコアネットワークは、これらの要素の全てから成らなくてもよい、追加の要素から成り得る、およびこれらの要素のそれぞれの複数のインスタンスから成り得ることも理解されたい。図３７Ｆは、ネットワーク機能が相互に直接接続することを示すが、しかしながら、それらは、ｄｉａｍｅｔｅｒルーティングエジェント等のルーティングエジェントまたはメッセージバスを介して通信し得ることを理解されたい。
【０４３５】
ＡＭＦ２７２は、Ｎ２インターフェースを介してＲＡＮ２０３／２０４／２０５／２０３ｂ／２０４ｂ／２０５ｂのそれぞれに接続され得、制御ノードとしての役割を果たし得る。例えば、ＡＭＦ２７２は、登録管理、接続管理、到達可能性管理、アクセス認証、アクセス認可に責任があり得る。ＡＭＦ２７２は、概して、ＷＴＲＵ２０２ａ、２０２ｂ、２０２ｃへ／からＮＡＳパケットをルーティングおよび転送し得る。
【０４３６】
ＳＭＦ２７４は、Ｎ１１インターフェースを介してＡＭＦ２７２に接続され得、Ｎ７インターフェースを介してＰＣＦ２８４に接続され得、Ｎ４インターフェースを介してＵＰＦ２７６に接続され得る。ＳＭＦ２７４は、制御ノードとしての役割を果たし得る。例えば、ＳＭＦ２７４は、セッション管理、ＷＴＲＵ２０２ａ、２０２ｂ、２０２ｃＩＰアドレス配分およびＵＰＦ２７６内のトラフィックステアリング規則の管理ならびに構成、およびダウンリンクデータ通知の生成に責任があり得る。
【０４３７】
ＳＭＦ２７４はまた、ＷＴＲＵ２０２ａ、２０２ｂ、２０２ｃに、インターネット２１０等のデータネットワーク（ＤＮ）２９０へのアクセスを提供し、ＷＴＲＵ２０２ａ、２０２ｂ、２０２ｃとＩＰ対応デバイスとの間の通信を促進し得る、ＵＰＦ２７６に接続され得る。ＳＭＦ２７４は、Ｎ４インターフェースを介してＵＰＦ２７６内のトラフィックステアリング規則を管理および構成し得る。ＵＰＦ２７６は、パケットデータ単位（ＰＤＵ）セッションをデータネットワークと相互接続すること、パケットルーティングおよび転送、ポリシ規則施行、ユーザプレーントラフィックのためのサービス品質ハンドリング、ならびにダウンリンクパケットバッファリングに責任があり得る。
【０４３８】
ＡＭＦ２７２はまた、Ｎ２インターフェースを介してＮ３ＩＷＦ２９２に接続され得る。Ｎ３ＩＷＦは、３ＧＰＰによって定義されていない無線インターフェース技術を介して、ＷＴＲＵ２０２ａ、２０２ｂ、２０２ｃと５Ｇコアネットワーク２７０との間の接続を促進する。
【０４３９】
ＰＣＦ２８４は、Ｎ７インターフェースを介してＳＭＦ２７４に接続され、Ｎ１５インターフェースを介してＡＭＦ２７２に接続され、Ｎ５インターフェースを介してアプリケーション機能（ＡＦ）２８８に接続され得る。ＰＣＦ２８４は、ポリシ規則をＡＭＦ２７２およびＳＭＦ２７４等の制御プレーンノードに提供し得、制御プレーンノードがこれらの規則を施行することを可能にする。
【０４４０】
ＵＤＭ２７８は、認証証明書およびサブスクリプション情報のためのリポジトリとしての役割を果たす。ＵＤＭは、ＡＭＦ２７２、ＳＭＦ２７４、およびＡＵＳＦ２８０等の他の機能に接続し得る。
【０４４１】
ＡＵＳＦ２８０は、認証関連動作を実施し、Ｎ１３インターフェースを介してＵＤＭ２７８に、およびＮ１２インターフェースを介してＡＭＦ２７２に接続する。
【０４４２】
ＮＥＦは、５Ｇコアネットワーク２７０内の能力およびサービスをエクスポーズする。ＮＥＦは、インターフェースを介してＡＦ２８８に接続し得、これは、５Ｇコアネットワーク２７０の能力およびサービスをエクスポーズするために、他の制御プレーンおよびユーザプレーン機能（２８０、２７８、２７２、２７２、２８４、２７６、およびＮ３ＩＷＦ）に接続し得る。
【０４４３】
５Ｇコアネットワーク２７０は、他のネットワークとの通信を促進し得る。例えば、コアネットワーク２７０は、５Ｇコアネットワーク２７０とＰＳＴＮ２０８との間のインターフェースとしての役割を果たす、ＩＰゲートウェイ（例えば、ＩＰマルチメディアサブシステム（ＩＭＳ）サーバ）を含み得る、またはそれと通信し得る。例えば、コアネットワーク２７０は、ショートメッセージサービスを介した通信を促進する、ショートメッセージサービス（ＳＭＳ）サービスセンタを含み得る、またはそれと通信し得る。例えば、５Ｇコアネットワーク２７０は、ＷＴＲＵ２０２ａ、２０２ｂ、２０２ｃとサーバとの間の非ＩＰデータパケットの交換を促進し得る。加えて、コアネットワーク２７０は、ＷＴＲＵ２０２ａ、２０２ｂ、２０２ｃに、他のサービスプロバイダによって所有および／または運営される他の有線もしくは無線ネットワークを含み得る、ネットワーク２１２へのアクセスを提供し得る。
【０４４４】
上記で議論されるように、図３６Ｄは、ＲＡＮ２０３／２０４／２０５、コアネットワーク２０６／２０７／２０９、ＰＳＴＮ２０８、インターネット２１０、または他のネットワーク２１２内のあるノードもしくは機能エンティティ等の図３６Ａ−Ｃ、３６Ｅ、３７Ａ、３７Ｃ、３７Ｄ、３７Ｅ、および３７Ｆに図示される通信ネットワークの１つ以上の装置が具現化され得る、例示的コンピューティングシステム９０のブロック図である。さらに、コンピューティングシステム９０は、図３７Ａ、３７Ｂ、３７Ｃ、３７Ｄ、３７Ｅ、および３７ＦのＲＡＮ２０３／２０４／２０５、コアネットワーク２０６／２０７／２０９、ＰＳＴＮ２０８、インターネット２１０、または他のネットワーク２１２等の外部通信ネットワークにコンピューティングシステム９０を接続し、コンピューティングシステム９０がそれらのネットワークの他のノードもしくは機能エンティティと通信することを可能にするために使用され得る、例えば、ネットワークアダプタ９７等の通信回路を含み得る。
【０４４５】
本明細書に説明されるシステム、方法、およびプロセスのうちのいずれかまたは全ては、コンピュータ読み取り可能な記憶媒体上に記憶されたコンピュータ実行可能命令（すなわち、プログラムコード）の形態で具現化され得、その命令は、例えば、Ｍ２Ｍサーバ、ゲートウェイ、デバイス等を含む、Ｍ２Ｍネットワークのノード等のマシンによって（またはプロセッサ３２、１１８、２１８、もしくは９１等のプロセッサによって）実行されると、本明細書に説明されるシステム、方法、およびプロセスを実施ならびに／もしくは実装することを理解される。具体的には、ゲートウェイ、ＵＥ、ＵＥ／ＧＷ、またはモバイルコアネットワーク、サービス層、もしくはネットワークアプリケーションプロバイダのノードのうちのいずれかの動作を含む、上記で説明されるステップ、動作、または機能のうちのいずれかは、そのようなコンピュータ実行可能命令の形態で実装され得る。サブスクリプションサービス機能（ＳＳＦ）２０６０、ユーザデータリポジトリ２０３２、ポリシ維持機能（ＰＭＦ）２０５０、ポリシ施行機能（ＰＥＦ）、認可認証会計（ＡＡＡ）機能２０２８、ＲＡＴインターフェース機能（ＲＩＦ）２１０２、スライスインスタンス選択機能（ＳＩＳＦ）２０２４、スライスインスタンス管理機能（ＳＩＭＦ）２０２６、コアネットワークエントリポイント（ＣＮＥＰ）２０２０、相互接続およびルーティング機能（ＩＲＦ）２０５８、モバイル発信進入機能（ＭＯＩ）２０４０、モバイル発信退出機能（ＭＯＥ）２０４６、モバイル終端進入機能（ＭＴＩ）２０４４、モバイル終端退出機能（ＭＴＥ）２０４２、セッション管理（ＳＭ）機能２０４８、ならびにモビリティ管理（ＭＭ）機能２０２２等の論理エンティティは、コンピュータ読み取り可能な記憶媒体上に記憶されたコンピュータ実行可能命令の形態で具現化され得る。コンピュータ読み取り可能な記憶媒体は、情報の記憶のための任意の非一過性（すなわち、有形または物理）方法もしくは技術で実装される、揮発性および不揮発性、取り外し可能および非取り外し可能媒体の両方を含むが、そのようなコンピュータ読み取り可能な記憶媒体は、信号を含まない。コンピュータ読み取り可能な記憶媒体は、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学ディスク記憶装置、磁気カセット、磁気テープ、磁気ディスク記憶装置もしくは他の磁気記憶デバイス、または所望の情報を記憶するために使用されることができ、かつコンピュータによってアクセスされることができる、任意の他の有形もしくは物理的媒体を含むが、それらに限定されない。
【０４４６】
図に図示されるような本開示の主題の好ましい実施形態を説明する際に、具体的用語が、明確にするために採用される。しかしながら、請求される主題は、そのように選択された具体的用語に限定されることを意図せず、各具体的要素は、類似目的を達成するように同様に動作する、全ての技術的均等物を含むことを理解されたい。
【０４４７】
本明細書は、最良の様態を含む、本発明を開示するために、また、当業者が、任意のデバイスまたはシステムを作製して使用することと、任意の組み込まれた方法を行うこととを含む、本発明を実践することを可能にするために、例を使用する。本発明の特許性のある範囲は、請求項によって定義され、当業者に想起される他の例を含み得る。そのような他の例は、請求項の文字通りの言葉とは異ならない要素を有する場合に、または請求項の文字通りの言葉とのごくわずかな差異を伴う同等の要素を含む場合に、請求項の範囲内であることを意図している。
【図１】
2020191667.tif 000012
【図２】
2020191667.tif 000013
【図３】
2020191667.tif 000014
【図４】
2020191667.tif 000015
【図５】
2020191667.tif 000016
【図６】
2020191667.tif 000017
【図７】
2020191667.tif 000018
【図８】
2020191667.tif 000019
【図９】
2020191667.tif 000020
【図１０】
2020191667.tif 000021
【図１１】
2020191667.tif 000022
【図１２】
2020191667.tif 000023
【図１３】
2020191667.tif 000024
【図１４】
2020191667.tif 000025
【図１５】
2020191667.tif 000026
【図１６】
2020191667.tif 000027
【図１７】
2020191667.tif 000028
【図１８】
2020191667.tif 000029
【図１９】
2020191667.tif 000030
【図２０Ａ】
2020191667.tif 000031
【図２０Ｂ】
2020191667.tif 000032
【図２０Ｃ】
2020191667.tif 000033
【図２１】
2020191667.tif 000034
【図２２】
2020191667.tif 000035
【図２３】
2020191667.tif 000036
【図２４】
2020191667.tif 000037
【図２５】
2020191667.tif 000038
【図２６】
2020191667.tif 000039
【図２７】
2020191667.tif 000040
【図２８】
2020191667.tif 000041
【図２９】
2020191667.tif 000042
【図３０】
2020191667.tif 000043
【図３１】
2020191667.tif 000044
【図３２】
2020191667.tif 000045
【図３３】
2020191667.tif 000046
【図３４】
2020191667.tif 000047
【図３５】
2020191667.tif 000048
【図３６Ａ】
2020191667.tif 000049
【図３６Ｂ】
2020191667.tif 000050
【図３６Ｃ】
2020191667.tif 000051
【図３６Ｄ】
2020191667.tif 000052
【図３７Ａ】
2020191667.tif 000053
【図３７Ｂ】
2020191667.tif 000054
【図３７Ｃ】
2020191667.tif 000055
【図３７Ｄ】
2020191667.tif 000056
【図３７Ｅ】
2020191667.tif 000057
【図３７Ｆ】
2020191667.tif 000058
【手続補正書】
【提出日】令和2年8月3日(2020.8.3)
【手続補正１】
【補正対象書類名】特許請求の範囲
【補正対象項目名】全文
【補正方法】変更
【補正の内容】
【特許請求の範囲】
【請求項１】
方法であって、前記方法は、
ユーザ機器（ＵＥ）からメッセージを受信することであって、前記メッセージは、前記ＵＥによるネットワークへのアクセスを要求し、１つ以上のサービスへのアクセスを要求し、前記メッセージは、前記ＵＥに関連付けられた一時識別子および１つ以上のサービス記述子を含み、前記ＵＥに関連付けられた一時識別子は、ネットワークオペレータを識別するためのモバイルネットワークコード（ＭＮＣ）とモバイル国コード（ＭＣＣ）を含み、前記１つ以上のサービス記述子の各サービス記述子は、前記ＵＥがアクセスを要求するサービスのうちのそれぞれの１つを識別する、ことと、
前記一時識別子を使用して、認証サーバを決定することと、
前記認証サーバと通信し、前記ネットワークへのアクセスのために前記ＵＥを認証することと、
ユーザデータリポジトリ（ＵＤＲ）からＵＥサブスクリプション情報を取得することであって、前記ＵＥサブスクリプション情報は、前記ＵＥが使用可能な１つ以上のスライスの識別子を含むことと、
前記メッセージにおける前記１つ以上のサービス記述子および前記１つ以上のスライスの識別子に基づいて、１つ以上のネットワークスライスを介して前記ＵＥに利用可能である前記要求されたサービスのうちのサービスを決定することと、
前記ＵＥに応答メッセージを送信することであって、前記応答メッセージは、前記ネットワークへの接続が許可されるかどうかの指示、および、新しい一時識別子を含む、ことと、
前記ＵＥサブスクリプション情報が更新された場合に、前記ＵＥに対してプロファイル更新情報を送信することであって、前記プロファイル更新情報は、前記ＵＥがアクセス可能なサービス情報を含むことと、
を含む、方法。
【請求項２】
前記メッセージは、ＵＥ能力をさらに含む、請求項１に記載の方法。
【請求項３】
前記１つ以上のサービス記述子に基づいて、前記ＵＥが接続すべき前記１つ以上のネットワークスライスのうちのネットワークスライスを決定することをさらに含む、請求項１に記載の方法。
【請求項４】
前記応答メッセージは、前記１つ以上のネットワークスライスへの接続が提供されることができるかどうかの指示をさらに含む、請求項１に記載の方法。
【請求項５】
ノードにクエリを行い、前記ＵＥが接続すべき前記１つ以上のネットワークスライスのうちのネットワークスライスを決定することをさらに含む、請求項１に記載の方法。
【請求項６】
ノードにクエリを行い、前記ＵＥが前記１つ以上のネットワークスライスのうちの少なくとも１つのネットワークスライスを使用する権限を与えられているかどうかを決定することをさらに含む、請求項１に記載の方法。
【請求項７】
前記ＵＥがアクセスし得る前記要求されたサービスに関連するポリシに対してノードにクエリを行うことをさらに含む、請求項１に記載の方法。
【請求項８】
前記ＵＥサブスクリプション情報は、前記ＵＥが使用可能な前記１つ以上のスライスの識別子のうち１つ以上を、前記ＵＥが用いるデフォルトスライスとして定義する、請求項１に記載の方法。
【請求項９】
プロセッサと、メモリとを備えている装置であって、前記装置は、前記装置の前記メモリ内に記憶されたコンピュータ実行可能命令をさらに含み、前記命令は、前記装置の前記プロセッサによって実行されると、
ユーザ機器（ＵＥ）からメッセージを受信することであって、前記メッセージは、前記ＵＥによるネットワークへのアクセスを要求し、１つ以上のサービスへのアクセスを要求し、前記メッセージは、前記ＵＥに関連付けられた一時識別子および１つ以上のサービス記述子を含み、前記ＵＥに関連付けられた一時識別子は、ネットワークオペレータを識別するためのモバイルネットワークコード（ＭＮＣ）とモバイル国コード（ＭＣＣ）を含み、前記１つ以上のサービス記述子の各サービス記述子は、前記ＵＥがアクセスを要求するサービスのうちのそれぞれの１つを識別する、ことと、
前記一時識別子を使用して、認証サーバを決定することと、
前記認証サーバと通信し、前記ネットワークへのアクセスのために前記ＵＥを認証することと、
ユーザデータリポジトリ（ＵＤＲ）からＵＥサブスクリプション情報を取得することであって、前記ＵＥサブスクリプション情報は、前記ＵＥが使用可能な１つ以上のスライスの識別子を含むことと、
前記メッセージにおける前記１つ以上のサービス記述子および前記１つ以上のスライスの識別子に基づいて、１つ以上のネットワークスライスを介して前記ＵＥに利用可能である前記要求されたサービスのうちのサービスを決定することと、
前記ＵＥに応答メッセージを送信することであって、前記応答メッセージは、前記ネットワークへの接続が許可されるかどうかの指示、および、新しい一時識別子を含む、ことと、
前記ＵＥサブスクリプション情報が更新された場合に、前記ＵＥに対してプロファイル更新情報を送信することであって、前記プロファイル更新情報は、前記ＵＥがアクセス可能なサービス情報を含むことと、
を前記装置に行わせる、装置。
【請求項１０】
前記メッセージは、ＵＥ能力をさらに含む、請求項９に記載の装置。
【請求項１１】
前記装置は、前記装置の前記メモリ内に記憶されたコンピュータ実行可能命令をさらに含み、前記命令は、前記装置の前記プロセッサによって実行されると、
前記１つ以上のサービス記述子に基づいて、前記ＵＥが接続すべき前記１つ以上のネットワークスライスのうちのネットワークスライスを決定すること
を前記装置に行わせる、請求項９に記載の装置。
【請求項１２】
前記応答メッセージは、前記１つ以上のネットワークスライスへの接続が提供されることができるかどうかの指示をさらに含む、請求項９に記載の装置。
【請求項１３】
前記装置は、前記装置の前記メモリ内に記憶されたコンピュータ実行可能命令をさらに含み、前記命令は、前記装置の前記プロセッサによって実行されると、
ノードにクエリを行い、前記ＵＥが接続すべき前記１つ以上のネットワークスライスのうちのネットワークスライスを決定すること
を前記装置に行わせる、請求項９に記載の装置。
【請求項１４】
前記装置は、前記装置の前記メモリ内に記憶されたコンピュータ実行可能命令をさらに含み、前記命令は、前記装置の前記プロセッサによって実行されると、
ノードにクエリを行い、前記ＵＥが前記１つ以上のネットワークスライスのうちの少なくとも１つのネットワークスライスを使用する権限を与えられているかどうかを決定すること
を前記装置に行わせる、請求項９に記載の装置。
【請求項１５】
前記装置は、前記装置の前記メモリ内に記憶されたコンピュータ実行可能命令をさらに含み、前記命令は、前記装置の前記プロセッサによって実行されると、
前記ＵＥがアクセスし得る前記要求されたサービスに関連するポリシに対してノードにクエリを行うこと
を前記装置に行わせる、請求項９に記載の装置。
【請求項１６】
前記ＵＥサブスクリプション情報は、前記ＵＥが使用可能な前記１つ以上のスライスの識別子のうち１つ以上を、前記ＵＥが用いるデフォルトスライスとして定義する、請求項９に記載の装置。
【請求項１７】
プロセッサと、メモリとを備えているユーザ機器（ＵＥ）であって、前記ＵＥは、前記ＵＥの前記メモリ内に記憶されたコンピュータ実行可能命令をさらに含み、前記命令は、前記ＵＥの前記プロセッサによって実行されると、
ネットワーク装置に対して、メッセージを送信することであって、前記メッセージは、前記ＵＥによるネットワークへのアクセスを要求し、１つ以上のサービスへのアクセスを要求し、前記メッセージは、前記ＵＥに関連付けられた一時識別子および１つ以上のサービス記述子を含み、前記ＵＥに関連付けられた一時識別子は、ネットワークオペレータを識別するためのモバイルネットワークコード（ＭＮＣ）とモバイル国コード（ＭＣＣ）を含み、前記１つ以上のサービス記述子の各サービス記述子は、前記ＵＥがアクセスを要求するサービスのうちのそれぞれの１つを識別する、ことであって、
前記一時識別子は、前記ネットワークへのアクセスのために前記ＵＥを認証することに用いられ、
前記１つ以上のサービス記述子は、前記ネットワーク装置がユーザデータリポジトリ（ＵＤＲ）から取得したＵＥサブスクリプション情報に含まれる前記ＵＥが使用可能な１つ以上のスライスの識別子とともに、１つ以上のネットワークスライスを介して前記ＵＥに利用可能である前記要求されたサービスのうちのサービスを決定することに用いられる、ことと、
前記ネットワーク装置から応答メッセージを受信することであって、前記応答メッセージは、前記ネットワークへの接続が許可されるかどうかの指示、および、新しい一時識別子を含む、ことと、
前記ＵＥサブスクリプション情報が更新された場合に、前記ネットワーク装置から、プロファイル更新情報を受信することであって、前記プロファイル更新情報は、前記ＵＥがアクセス可能なサービス情報を含むことと、
を前記ＵＥに行わせる、ＵＥ。
【外国語明細書】
2020191667000001.pdf